(57)【要約】  本発明は無線通信システムに関し、周期的信号に関する構成情報を上位階層信号を介して受信し、前記周期的信号の送信／受信位置は、周期的に設定された各スロット内の第１シンボルセットからなるステップと、前記周期的信号の送信／受信位置が存在する第１スロットに対するスロット構成情報を受信するために、前記第１スロットのスロット構成に関するＰＤＣＣＨをモニタリングするステップと、前記第１スロットで前記周期的信号を送信／受信するための過程を行うステップと、を含み、前記第１スロット内の前記第１シンボルセットが上位階層によってｆｌｅｘｉｂｌｅシンボルと指定されていれば、前記第１スロットで前記周期的信号の送信／受信は前記ＰＤＣＣＨの検出結果に応じて選択的に行われ、前記ｆｌｅｘｉｂｌｅシンボルは、前記ＰＤＣＣＨのスロット構成情報に応じて用途がＤＬ、ＵＬ、或いはｆｌｅｘｉｂｌｅに再指定されるシンボルを意味する方法、及びそのための装置に関する。
2020511897.tif 000002
【特許請求の範囲】
【請求項１】
無線通信システムで端末が下りリンク信号の受信を決定する方法において、
周期的信号に関する構成情報を上位階層信号を介して受信し、前記周期的信号の受信位置は、周期的に設定された各スロット内の第１シンボルセットからなるステップと、
前記周期的信号の受信位置が存在する第１スロットに対するスロット構成情報を受信するために、前記第１スロットのスロット構成に関するＰＤＣＣＨ（ｐｈｙｓｉｃａｌ  ｄｏｗｎｌｉｎｋ  ｃｏｎｔｒｏｌ  ｃｈａｎｎｅｌ）をモニタリングするステップと、
前記第１スロットで前記第１周期的信号を受信するための過程を行うステップと、を含み、
前記第１スロット内の前記第１シンボルセットが上位階層によってｆｌｅｘｉｂｌｅシンボルと指定されていれば、前記第１スロットで前記周期的信号の受信は前記ＰＤＣＣＨの検出結果に応じて選択的に行われ、
前記ｆｌｅｘｉｂｌｅシンボルは、前記ＰＤＣＣＨのスロット構成情報に応じて用途がＤＬ（ｄｏｗｎｌｉｎｋ）、ＵＬ（ｕｐｌｉｎｋ）、或いはｆｌｅｘｉｂｌｅに再指定されるシンボルを意味する方法。
【請求項２】
前記周期的信号はＣＳＩ−ＲＳ（ｃｈａｎｎｅｌ  ｓｔａｔｕｓ  ｉｎｆｏｒｍａｔｉｏｎ  ｒｅｆｅｒｅｎｃｅ  ｓｉｇｎａｌ）を含む請求項１に記載の方法。
【請求項３】
前記ＰＤＣＣＨは前記第１スロットに関するスロット構成を有するＧＣ（ｇｒｏｕｐ  ｃｏｍｍｏｎ）−ＰＤＣＣＨを含み、前記第１スロット内の前記第１シンボルセットが上位階層によってｆｌｅｘｉｂｌｅシンボルと指定されている場合、前記ＧＣ−ＰＤＣＣＨが検出されていなければ、前記第１スロットで前記周期的信号の受信はスキップされる請求項１に記載の方法。
【請求項４】
前記ＰＤＣＣＨは前記第１スロットに関するスロット構成情報を有するＧＣ−ＰＤＣＣＨを含み、前記第１スロット内の前記第１シンボルセットが上位階層によってｆｌｅｘｉｂｌｅシンボルと指定されている場合、前記ＧＣ−ＰＤＣＣＨから検出されたスロット構成情報が前記第１シンボルセットをｆｌｅｘｉｂｌｅに指示すれば、前記第１スロットで前記周期的信号の受信はスキップされる請求項１に記載の方法。
【請求項５】
前記ＧＣ−ＰＤＣＣＨから検出されたスロット構成情報が前記第１シンボルセットをＤＬシンボルに指示する場合のみ、前記第１スロットから前記周期的信号の受信が行われる請求項３または請求項４に記載の方法。
【請求項６】
前記ＰＤＣＣＨは下りリンクスケジューリング情報を有するＵＳ（ｕｓｅｒ  ｓｐｅｃｉｆｉｃ）−ＰＤＣＣＨを含み、前記第１スロット内の前記第１シンボルセットが上位階層によってｆｌｅｘｉｂｌｅシンボルと指定されている場合、前記ＵＳ−ＰＤＣＣＨによって前記第１シンボルセットにＤＬ信号がスケジューリングされていれば、前記第１スロットで前記周期的信号の受信が行われる請求項１に記載の方法。
【請求項７】
無線通信システムに使用される端末において、
通信モジュールと、
プロセッサと、を含み、前記プロセッサは、
周期的信号に関する構成情報を上位階層信号を介して受信し、前記周期的信号の受信位置は、周期的に設定された各スロット内の第１シンボルセットからなり、
前記周期的信号の受信位置が存在する第１スロットに対するスロット構成情報を受信するために、前記第１スロットのスロット構成に関するＰＤＣＣＨをモニタリングし、
前記第１スロットで前記第１周期的信号を受信するための過程を行うように構成され、
前記第１スロット内の前記第１シンボルセットが上位階層によってｆｌｅｘｉｂｌｅシンボルと指定されていれば、前記第１スロットで前記周期的信号の受信は前記ＰＤＣＣＨの検出結果に応じて選択的に行われ、
前記ｆｌｅｘｉｂｌｅシンボルは、前記ＰＤＣＣＨのスロット構成情報に応じて用途がＤＬ、ＵＬ、或いはｆｌｅｘｉｂｌｅに再指定されるシンボルを意味する端末。
【請求項８】
前記周期的信号はＣＳＩ−ＲＳを含む請求項７に記載の端末。
【請求項９】
前記ＰＤＣＣＨは前記第１スロットに関するスロット構成を有するＧＣ−ＰＤＣＣＨを含み、前記第１スロット内の前記第１シンボルセットが上位階層によってｆｌｅｘｉｂｌｅシンボルと指定されている場合、前記ＧＣ−ＰＤＣＣＨが検出されていなければ、前記第１スロットで前記周期的信号の受信はスキップされる請求項７に記載の端末。
【請求項１０】
前記ＰＤＣＣＨは前記第１スロットに関するスロット構成を有するＧＣ−ＰＤＣＣＨを含み、前記第１スロット内の前記第１シンボルセットが上位階層によってｆｌｅｘｉｂｌｅシンボルと指定されている場合、前記ＧＣ−ＰＤＣＣＨから検出されたスロット構成情報が前記第１シンボルセットをｆｌｅｘｉｂｌｅに指示すれば、前記第１スロットで前記周期的信号の受信はスキップされる請求項７に記載の端末。
【請求項１１】
前記ＧＣ−ＰＤＣＣＨから検出されたスロット構成情報が前記第１シンボルセットをＤＬシンボルに指示する場合のみ、前記第１スロットから前記周期的信号の受信が行われる請求項９または請求項１０に記載の端末。
【請求項１２】
前記ＰＤＣＣＨは下りリンクスケジューリング情報を有するＵＳ−ＰＤＣＣＨを含み、前記第１スロット内の前記第１シンボルセットが上位階層によってｆｌｅｘｉｂｌｅシンボルと指定されている場合、前記ＵＳ−ＰＤＣＣＨによって前記第１シンボルセットにＤＬ信号がスケジューリングされていれば、前記第１スロットで前記周期的信号の受信が行われる請求項７に記載の端末。
【請求項１３】
無線通信システムで端末が上りリンク信号の送信を決定する方法において、
周期的信号に関する構成情報を上位階層信号を介して受信し、前記周期的信号の送信位置は、周期的に設定された各スロット内の第１シンボルセットからなるステップと、
前記周期的信号の送信位置が存在する第１スロットに対するスロット構成情報を受信するために、前記第１スロットのスロット構成に関するＰＤＣＣＨをモニタリングするステップと、
前記第１スロットで前記第１周期的信号を送信するための過程を行うステップと、を含み、
前記第１スロット内の前記第１シンボルセットが上位階層によってｆｌｅｘｉｂｌｅシンボルと指定されていれば、前記第１スロットで前記周期的信号の送信は前記ＰＤＣＣＨの検出結果に応じて選択的に行われ、
前記ｆｌｅｘｉｂｌｅシンボルは、前記ＰＤＣＣＨのスロット構成情報に応じて用途がＤＬ、ＵＬ、或いはｆｌｅｘｉｂｌｅに再指定されるシンボルを意味する方法。
【請求項１４】
前記周期的信号はＳＲＳ（ｓｏｕｎｄｉｎｇ  ｒｅｆｅｒｅｎｃｅ  ｓｉｇｎａｌ）を含む請求項１３に記載の方法。
【請求項１５】
前記ＰＤＣＣＨは前記第１スロットに関するスロット構成情報を有するＧＣ−ＰＤＣＣＨを含み、前記第１スロット内の前記第１シンボルセットが上位階層によってｆｌｅｘｉｂｌｅシンボルと指定されている場合、前記ＧＣ−ＰＤＣＣＨが検出されていなければ、前記第１スロットで前記周期的信号の送信はスキップされる請求項１３に記載の方法。
【請求項１６】
前記ＰＤＣＣＨは前記第１スロットに関するスロット構成情報を有するＧＣ−ＰＤＣＣＨを含み、前記第１スロット内の前記第１シンボルセットが上位階層によってｆｌｅｘｉｂｌｅシンボルと指定されている場合、前記ＧＣ−ＰＤＣＣＨから検出されたスロット構成情報が前記第１シンボルセットをｆｌｅｘｉｂｌｅに指示すれば、前記第１スロットで前記周期的信号の送信はスキップされる請求項１３に記載の方法。
【請求項１７】
前記ＧＣ−ＰＤＣＣＨから検出されたスロット構成情報が前記第１シンボルセットをＵＬシンボルに指示する場合のみ、前記第１スロットから前記周期的信号の送信が行われる請求項１５または請求項１６に記載の方法。
【請求項１８】
前記ＰＤＣＣＨは上りリンクスケジューリング情報を有するＵＳ−ＰＤＣＣＨを含み、前記第１スロット内の前記第１シンボルセットが上位階層によってｆｌｅｘｉｂｌｅシンボルと指定されている場合、前記ＵＳ−ＰＤＣＣＨによって前記第１シンボルセットにＵＬ信号がスケジューリングされていれば、前記第１スロットで前記周期的信号の送信が行われる請求項１３に記載の方法。
【請求項１９】
無線通信システムに使用される端末において、
通信モジュールと、
プロセッサと、を含み、前記プロセッサは、
周期的信号に関する構成情報を上位階層信号を介して受信し、前記周期的信号の送信位置は、周期的に設定された各スロット内の第１シンボルセットからなり、
前記周期的信号の送信位置が存在する第１スロットに対するスロット構成情報を受信するために、前記第１スロットのスロット構成に関するＰＤＣＣＨをモニタリングし、
前記第１スロットで前記第１周期的信号を送信するための過程を行うように構成され、
前記第１スロット内の前記第１シンボルセットが上位階層によってｆｌｅｘｉｂｌｅシンボルと指定されていれば、前記第１スロットで前記周期的信号の送信は前記ＰＤＣＣＨの検出結果に応じて選択的に行われ、
前記ｆｌｅｘｉｂｌｅシンボルは、前記ＰＤＣＣＨのスロット構成情報に応じて用途がＤＬ、ＵＬ、或いはｆｌｅｘｉｂｌｅに再指定されるシンボルを意味する端末。
【請求項２０】
前記周期的信号はＳＲＳを含む請求項１９に記載の端末。
【請求項２１】
前記ＰＤＣＣＨは前記第１スロットに関するスロット構成情報を有するＧＣ−ＰＤＣＣＨを含み、前記第１スロット内の前記第１シンボルセットが上位階層によってｆｌｅｘｉｂｌｅシンボルと指定されている場合、前記ＧＣ−ＰＤＣＣＨが検出されていなければ、前記第１スロットで前記周期的信号の送信はスキップされる請求項１９に記載の端末。
【請求項２２】
前記ＰＤＣＣＨは前記第１スロットに関するスロット構成情報を有するＧＣ−ＰＤＣＣＨを含み、前記第１スロット内の前記第１シンボルセットが上位階層によってｆｌｅｘｉｂｌｅシンボルと指定されている場合、前記ＧＣ−ＰＤＣＣＨから検出されたスロット構成情報が前記第１シンボルセットをｆｌｅｘｉｂｌｅに指示すれば、前記第１スロットで前記周期的信号の送信はスキップされる請求項１９に記載の端末。
【請求項２３】
前記ＧＣ−ＰＤＣＣＨから検出されたスロット構成情報が前記第１シンボルセットをＵＬシンボルに指示する場合のみ、前記第１スロットから前記周期的信号の送信が行われる請求項２１または請求項２２に記載の端末。
【請求項２４】
前記ＰＤＣＣＨは上りリンクスケジューリング情報を有するＵＳ−ＰＤＣＣＨを含み、前記第１スロット内の前記第１シンボルセットが上位階層によってｆｌｅｘｉｂｌｅシンボルと指定されている場合、前記ＵＳ−ＰＤＣＣＨによって前記第１シンボルセットにＵＬ信号がスケジューリングされていれば、前記第１スロットで前記周期的信号の送信が行われる請求項１９に記載の端末。
【発明の詳細な説明】
【技術分野】
【０００１】
本発明は無線通信システムに関し、より詳しくは、本発明は時分割多重接続を支援する無線通信システムにおける制御チャネルを伝送及び受信するための方法及び装置に関する。
【背景技術】
【０００２】
３ＧＰＰ  ＮＲ（３ｒｄ  Ｇｅｎｅｒａｔｉｏｎ  Ｐａｒｔｎｅｒｓｈｉｐ  Ｐｒｏｊｅｃｔ  Ｎｅｗ  Ｒａｄｉｏ）システムは、ネットワークのスペクトル効率を向上させて、通信事業者が与えられた帯域幅でより多くのデータ及び音声サービスを提供するようにする。よって、３ＧＰＰ  ＮＲシステムは、大容量の音声支援以外にも高速のデータ及びメディア伝送に対する要求を満足するように設計される。ＮＲシステムの長所は、同じフラットフォームにおいて高い処理量、低い待機時間、ＦＤＤ（Ｆｒｅｑｕｅｎｃｙ  Ｄｉｖｉｓｉｏｎ  Ｄｕｐｌｅｘ）及びＴＤＤ（Ｔｉｍｅ  Ｄｉｖｉｓｉｏｎ  Ｄｕｐｌｅｘ）の支援、向上された最終ユーザ環境など、簡単なアーキテクチャで低い運営コストを有することである。
【０００３】
より効率的なデータ処理のために、ＮＲシステムのＤｙｎａｍｉｃ  ＴＤＤは、セルのユーザのデータトラフィック方向に応じて上りリンクや下りリンクに使用するＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの数を可変する方式を使用する。例えば、基地局はセルの下りリンクトラフィックが上りリンクトラフィックより大きければ、スロット（またはサブフレーム）に多数の下りリンクＯＦＤＭシンボルを割り当てる。スロット構成に関する情報は端末に伝送されるべきである。
【発明の概要】
【発明が解決しようとする課題】
【０００４】
本発明の目的は、スロット構成に関する情報を端末に知らせる方法、スロット構成による通信方法、及びそのための装置を提供することである。
【０００５】
本発明でなそうとする技術的課題は前記技術的課題に限らず、言及していない他の技術的課題は、下記記載から本発明の属する技術分野における通常の知識を有する者に明確に理解されるはずである。
【課題を解決するための手段】
【０００６】
本発明の第１様相として、無線通信システムで端末が下りリンク信号の受信を決定する方法において、周期的信号に関する構成情報を上位階層信号を介して受信し、前記周期的信号の受信位置は、周期的に設定された各スロット内の第１シンボルセットからなるステップと、前記周期的信号の受信位置が存在する第１スロットに対するスロット構成情報を受信するために、前記第１スロットのスロット構成に関するＰＤＣＣＨ（ｐｈｙｓｉｃａｌ  ｄｏｗｎｌｉｎｋ  ｃｏｎｔｒｏｌ  ｃｈａｎｎｅｌ）をモニタリングするステップと、前記第１スロットで前記第１周期的信号を受信するための過程を行うステップと、を含み、前記第１スロット内の前記第１シンボルセットが上位階層によってｆｌｅｘｉｂｌｅシンボルと指定されていれば、前記第１スロットで前記周期的信号の受信は前記ＰＤＣＣＨの検出結果に応じて選択的に行われ、前記ｆｌｅｘｉｂｌｅシンボルは、前記ＰＤＣＣＨのスロット構成情報に応じて用途がＤＬ（ｄｏｗｎｌｉｎｋ）、ＵＬ（ｕｐｌｉｎｋ）、或いはｆｌｅｘｉｂｌｅに再指定されるシンボルを意味する方法が提供される。
【０００７】
本発明の第２様相として、無線通信システムに使用される端末において、通信モジュールと、プロセッサと、を含み、前記プロセッサは、周期的信号に関する構成情報を上位階層信号を介して受信し、前記周期的信号の受信位置は、周期的に設定された各スロット内の第１シンボルセットからなり、前記周期的信号の受信位置が存在する第１スロットに対するスロット構成情報を受信するために、前記第１スロットのスロット構成に関するＰＤＣＣＨをモニタリングし、前記第１スロットで前記第１周期的信号を受信するための過程を行うように構成され、前記第１スロット内の前記第１シンボルセットが上位階層によってｆｌｅｘｉｂｌｅシンボルと指定されていれば、前記第１スロットで前記周期的信号の受信は前記ＰＤＣＣＨの検出結果に応じて選択的に行われ、前記ｆｌｅｘｉｂｌｅシンボルは、前記ＰＤＣＣＨのスロット構成情報に応じて用途がＤＬ、ＵＬ、或いはｆｌｅｘｉｂｌｅに再指定されるシンボルを意味する方法が提供される。
【０００８】
第１及び第２様相において、前記下りリンクの周期的信号は、ＣＳＩ−ＲＳ（ｃｈａｎｎｅｌ  ｓｔａｔｕｓ  ｉｎｆｏｒｍａｔｉｏｎ  ｒｅｆｅｒｅｎｃｅ  ｓｉｇｎａｌ）を含む。
【０００９】
第１及び第２様相において、前記ＰＤＣＣＨは前記第１スロットに関するスロット構成を有するＧＣ（ｇｒｏｕｐ  ｃｏｍｍｏｎ）−ＰＤＣＣＨを含み、前記第１スロット内の前記第１シンボルセットが上位階層によってｆｌｅｘｉｂｌｅシンボルと指定されている場合、前記ＧＣ−ＰＤＣＣＨが検出されていなければ、前記第１スロットで前記周期的信号の受信はスキップされる。
【００１０】
第１及び第２様相において、前記ＰＤＣＣＨは前記第１スロットに関するスロット構成を有するＧＣ−ＰＤＣＣＨを含み、前記第１スロット内の前記第１シンボルセットが上位階層によってｆｌｅｘｉｂｌｅシンボルと指定されている場合、前記ＧＣ−ＰＤＣＣＨから検出されたスロット構成情報が前記第１シンボルセットをｆｌｅｘｉｂｌｅに指示すれば、前記第１スロットで前記周期的信号の受信はスキップされる。
【００１１】
第１及び第２様相において、前記ＧＣ−ＰＤＣＣＨから検出されたスロット構成情報が前記第１シンボルセットをＤＬシンボルに指示する場合のみ、前記第１スロットから前記周期的信号の受信が行われる。
【００１２】
第１及び第２様相において、前記ＰＤＣＣＨは下りリンクスケジューリング情報を有するＵＳ（ｕｓｅｒ  ｓｐｅｃｉｆｉｃ）−ＰＤＣＣＨを含み、前記第１スロット内の前記第１シンボルセットが上位階層によってｆｌｅｘｉｂｌｅシンボルと指定されている場合、前記ＵＳ−ＰＤＣＣＨによって前記第１シンボルセットにＤＬ信号がスケジューリングされていれば、前記第１スロットで前記周期的信号の受信が行われる。
【００１３】
本発明の第３様相として、無線通信システムで端末が上りリンク信号の送信を決定する方法において、周期的信号に関する構成情報を上位階層信号を介して受信し、前記周期的信号の送信位置は、周期的に設定された各スロット内の第１シンボルセットからなるステップと、前記周期的信号の送信位置が存在する第１スロットに対するスロット構成情報を受信するために、前記第１スロットのスロット構成に関するＰＤＣＣＨをモニタリングするステップと、前記第１スロットで前記第１周期的信号を送信するための過程を行うステップと、を含み、前記第１スロット内の前記第１シンボルセットが上位階層によってｆｌｅｘｉｂｌｅシンボルと指定されていれば、前記第１スロットで前記周期的信号の送信は前記ＰＤＣＣＨの検出結果に応じて選択的に行われ、前記ｆｌｅｘｉｂｌｅシンボルは、前記ＰＤＣＣＨのスロット構成情報に応じて用途がＤＬ、ＵＬ、或いはｆｌｅｘｉｂｌｅに再指定されるシンボルを意味する方法が提供される。
【００１４】
本発明の第４様相として、無線通信システムに使用される端末において、通信モジュールと、プロセッサと、を含み、前記プロセッサは、周期的信号に関する構成情報を上位階層信号を介して受信し、前記周期的信号の送信位置は、周期的に設定された各スロット内の第１シンボルセットからなり、前記周期的信号の送信位置が存在する第１スロットに対するスロット構成情報を受信するために、前記第１スロットのスロット構成に関するＰＤＣＣＨをモニタリングし、前記第１スロットで前記第１周期的信号を送信するための過程を行うように構成され、前記第１スロット内の前記第１シンボルセットが上位階層によってｆｌｅｘｉｂｌｅシンボルと指定されていれば、前記第１スロットで前記周期的信号の送信は前記ＰＤＣＣＨの検出結果に応じて選択的に行われ、前記ｆｌｅｘｉｂｌｅシンボルは、前記ＰＤＣＣＨのスロット構成情報に応じて用途がＤＬ、ＵＬ、或いはｆｌｅｘｉｂｌｅに再指定されるシンボルを意味する端末が提供される。
【００１５】
第３及び第４様相において、前記周期的信号は、ＳＲＳ（ｓｏｕｎｄｉｎｇ  ｒｅｆｅｒｅｎｃｅ  ｓｉｇｎａｌ）を含む。
【００１６】
第３及び第４様相において、前記ＰＤＣＣＨは前記第１スロットに関するスロット構成情報を有するＧＣ−ＰＤＣＣＨを含み、前記第１スロット内の前記第１シンボルセットが上位階層によってｆｌｅｘｉｂｌｅシンボルと指定されている場合、前記ＧＣ−ＰＤＣＣＨが検出されていなければ、前記第１スロットで前記周期的信号の送信はスキップされる。
【００１７】
第３及び第４様相において、前記ＰＤＣＣＨは前記第１スロットに関するスロット構成情報を有するＧＣ−ＰＤＣＣＨを含み、前記第１スロット内の前記第１シンボルセットが上位階層によってｆｌｅｘｉｂｌｅシンボルと指定されている場合、前記ＧＣ−ＰＤＣＣＨから検出されたスロット構成情報が前記第１シンボルセットをｆｌｅｘｉｂｌｅに指示すれば、前記第１スロットで前記周期的信号の送信はスキップされる。
【００１８】
第３及び第４様相において、前記ＧＣ−ＰＤＣＣＨから検出されたスロット構成情報が前記第１シンボルセットをＵＬシンボルに指示する場合のみ、前記第１スロットから前記周期的信号の送信が行われる。
【００１９】
第３及び第４様相において、前記ＰＤＣＣＨは上りリンクスケジューリング情報を有するＵＳ−ＰＤＣＣＨを含み、前記第１スロット内の前記第１シンボルセットが上位階層によってｆｌｅｘｉｂｌｅシンボルと指定されている場合、前記ＵＳ−ＰＤＣＣＨによって前記第１シンボルセットにＵＬ信号がスケジューリングされていれば、前記第１スロットで前記周期的信号の送信が行われる。
【発明の効果】
【００２０】
本発明によると、スロット構成に関する情報を端末に効率的に知らせ、スロット構成に応じて基地局と端末との間で効率的に信号を送受信することができる。
【００２１】
本発明で得られる効果は上述した効果に限らず、言及していない他の効果は、下記記載から本発明の属する技術分野における通常の知識を有する者に明確に理解されるはずである。
【図面の簡単な説明】
【００２２】
【図１】無線通信システムで使用される無線フレーム構造の一例を示す図である。
【図２】無線通信システムで下りリンク（ｄｏｗｎｌｉｎｋ、ＤＬ）／上りリンク（ｕｐｌｉｎｋ、ＵＬ）のスロット構造の一例を示す図である。
【図３】３ＧＰＰシステムに利用される物理チャンネル及び物理チャンネルを利用した一般的な信号伝送方法を説明するための図である。
【図４】３ＧＰＰ  ＮＲシステムにおける初期セル接続のためのＳＳ／ＰＢＣＨブロックに関する図である。
【図５】３ＧＰＰ  ＮＲシステムにおけるＰＤＣＣＨが伝送されるＣＯＲＥＳＥＴ（ｃｏｎｔｒｏｌ  ｒｅｓｏｕｒｃｅ  ｓｅｔ）を示す図である。
【図６】キャリアアグリゲーション（ｃａｒｒｉｅｒ  ａｇｇｒｅｇａｔｉｏｎ）を説明する概念図である。
【図７】単一キャリア通信と多重キャリア通信を説明するための図である。
【図８】クロスキャリアスケジューリング技法が適用される例を示す図である。
【図９】（ａ）はＬＴＥ（−Ａ）における制御情報の伝送手順に関する図であり、（ｂ）はＰＤＣＣＨのＣＣＥアグリゲーションとＰＤＣＣＨの多重化に関する図である。
【図１０】共通（ｃｏｍｍｏｎ）探索空間（ｓｅａｒｃｈ  ｓｐａｃｅ）とＵＥ特定（ｓｐｅｃｉｆｉｃ）（またはＴｅｒｍｉｎａｌ  ｓｐｅｃｉｆｉｃ）探索空間のためのＣＣＥアグリゲーションごとの探索空間割当を示す図である。
【図１１】時分割多重接続で可能なスロット構成を示す図である。
【図１２】時分割多重接続で可能なスロット構成を示す図である。
【図１３】時分割多重接続において、グループ共通（ｇｒｏｕｐ  ｃｏｍｍｏｎ、ＧＣ）ＰＤＣＣＨで多数個のスロット構成を知らせることを示す図である。
【図１４】時分割多重接続において、スケジューリング情報を伝達するＵＥ−特定（ＵＥ−ｓｐｅｃｉｆｉｃ）ＰＤＣＣＨでスケジューリングするスロット構成を示すブロック図である。
【図１５】本発明の一実施例によるＤＬ−ｏｎｌｙでスケジューリングされたユーザが直後のスロットがＵＬ−ｏｎｌｙであるのかを確認するために、スケジューリングされたスロットのグループ共通ＰＣＤＤＨを利用してスロット構成を知ることを示す図である。
【図１６】本発明の一実施例によるＤＬ−ｏｎｌｙでスケジューリングされたユーザが直後のスロットがＵＬ−ｏｎｌｙであるのかを確認するために、スケジューリングされたスロットに最も近い以前のグループ共通ＰＣＤＤＨを利用してスロット構成を知ることを示す図である。
【図１７】本発明の一実施例によるＵＬ−ｏｎｌｙでスケジューリングされたユーザが直前のスロットがＤＬ−ｏｎｌｙであるのかを確認するために、スケジューリングされたスロットの直前のスロットのグループ共通ＰＣＤＤＨを利用してスロット構成を知ることを示す図である。
【図１８】本発明の一実施例によるＵＬ−ｏｎｌｙでスケジューリングされたユーザが直前のスロットがＤＬ−ｏｎｌｙであるのかを確認するために、スケジューリングされたスロットに最も近い以前のグループ共通ＰＣＤＤＨを利用してスロット構成を知ることを示す図である。
【図１９】スケジューリングされた端末のスロット構成の判断に関する図である。
【図２０】本発明の一実施例によるクロススロットスケジューリングの際、スケジューリングされたスロットのグループ共通ＰＤＣＣＨを利用してスケジューリングされたスロット構造を知ることを示すブロック図である。
【図２１】本発明の一実施例によるクロススロットスケジューリングの際、スケジューリングされたスロットに最も近い以前のグループ共通ＰＣＤＤＨを利用してスケジューリングされたスロット構造を知ることを示すブロック図である。
【図２２】周期的に信号を送受信する端末がスケジューリング情報を有しない際のスロット構成の判断に関する図である。
【図２３】周期的に信号を送受信する端末がスケジューリング情報を有する際のスロット構成の判断に関する図である。
【図２４】本発明の一実施例によるスロット構成情報を獲得する手順を示すブロック図である。
【図２５】本発明の一実施例によるスロット構成情報を含むＰＤＣＣＨを受信する手順を示すブロック図である。
【図２６】時分割多重接続において、基地局と端末が互いに異なるスロット構成を使用する際を示す図である。
【図２７】本発明の一実施例によるグループ共通ＰＤＣＣＨをモニタリングするＣＯＲＥＳＥＴを変更することに関する図である。
【図２８】本発明の一実施例による端末と基地局の構成をそれぞれ示すブロック図である。
【発明を実施するための形態】
【００２３】
本明細書で使用される用語は本発明における機能を考慮してできるだけ現在広く使用されている一般的な用語を選択しているが、これは当分野に携わる技術者の意図、慣例、または新たな技術の出現などによって異なり得る。また、特定の場合は出願人が任意に選択したものもあるが、この場合、該当する発明の説明部分でその意味を記載する。よって、本明細書で使用される用語は、単なる用語の名称ではなく、その用語の有する実質的意味と本明細書全般にわたる内容に基づいて解析すべきであることを明らかにする。
【００２４】
明細書全体において、ある構成が他の構成を「連結」されているという際、これは「直接連結」されている場合だけでなく、その中間の他の構成要素を介在して「電気的に連結」されていることも含む。また、ある構成が特定構成要素を「含む」という際、これは特に反対する記載がない限り、他の構成要素を除くのではなく、他の構成要素を更に含むことを意味する。加えて、特定臨海を基準にする「以上」または「以下」という限定事項は、実施例によってそれぞれ「超過」または「未満」に適切に代替されてもよい。
【００２５】
以下の技術はＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線接続システムに使用される。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現される。ＴＤＭＡは、ＧＳＭ(登録商標)（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ(登録商標)  Ｅｖｏｌｕｔｉｏｎ）のような無線技術で具現される。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現される。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部である。３ＧＰＰ  ＬＴＥ（Ｌｏｎｇ  ｔｅｒｍ  ｅｖｏｌｕｔｉｏｎ）はＥ−ＵＴＲＡを使用するＥ−ＵＭＴＳ（Ｅｖｏｌｖｅｄ  ＵＭＴＳ）の一部であり、ＬＴＥ−Ａ（Ａｄｖａｎｃｅｄ）は３ＧＰＰ  ＬＴＥの進化したバージョンである。３ＧＰＰ  ＮＲはＬＴＥ／ＬＴＥ−Ａとは別途に設計されたシステムであって、ＩＭＴ−２０２０の要求条件であるｅＭＢＢ（ｅｎｈａｎｃｅｄ  Ｍｏｂｉｌｅ  ＢｒｏａｄＢａｎｄ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）、及びｍＭＴＣ（ｍａｓｓｉｖｅ  Ｍａｃｈｉｎｅ  Ｔｙｐｅ  Ｃｏｍｍｕｎｉｃａｔｉｏｎ）サービスを支援するためのシステムである。説明を明確にするために３ＧＰＰ  ＮＲを中心に説明するが、本発明の技術的思想はこれに限らない。
【００２６】
本明細書において、特別に説明しない限り、基地局は３ＧＰＰ  ＮＲで定義するｇＮＢ（ｎｅｘｔ  ｇｅｎｅｒａｔｉｏｎ  ｎｏｄｅ  Ｂ）を指す。また、特別に説明しない限り、端末はＵＥ（ｕｓｅｒ  ｅｑｕｉｐｍｅｎｔ）を指す。
【００２７】
図１は、無線通信システムで使用される無線フレーム構造の一例を示す図である。
【００２８】
図１を参照すると、３ＧＰＰ  ＮＲシステムで使用される無線フレーム（またはラジオフレーム）は、１０ｍｓ（ΔｆｍａｘＮｆ／１００）＊Ｔｃ）の長さを有する。また、無線フレームは１０個の均等な大きさのサブフレーム（Ｓｕｂｆｒａｍｅ、ＳＦ）からなる。ここで、Δｆｍａｘ＝４８０＊１０３ＨＺ、Ｎｆ＝４０９６、Ｔｃ＝１／（Δｆｒｅｆ＊Ｎｆ、ｒｅｆ）、Δｆｒｅｆ＝１５＊１０３Ｈｚ、Ｎｆ、ｒｅｆ＝２０４８である。一つの無線フレーム内の１０個のサブフレームにそれぞれ０から９までの番号が与えられる。それぞれのサブフレームは１ｍｓの長さを有し、サブキャリア間隔（ｓｕｂｃａｒｒｉｅｒ  ｓｐａｃｉｎｇ）に応じて一つまたは複数個のスロットからなる。より詳しくは、３ＧＰＰ  ＮＲシステムでは使用し得るサブキャリア間隔は１５＊２μｋＨｚであり、μはサブキャリア間隔構成因子（ｓｕｂｃａｒｒｉｅｒ  ｓｐａｃｉｎｇ  ｃｏｎｆｉｇｕｒａｔｉｏｎ）であって、μ＝０、１、２、３、４の値を有する。つまり、１５ｋＨｚ、３０ｋＨｚ、６０ｋＨｚ、１２０ｋＨｚ、２４０ｋＨｚがサブキャリア間隔として使用される。１ｍｓの長さを有する一つのサブフレームは、２μ個のスロットを含む。この際、各スロットの長さは２−μｍｓである。一つのサブフレーム内の２μ個のスロットは、それぞれ０から２μ−１までの番号が与えられる。また、一つのサブフレーム内のスロットはそれぞれ０〜１０＊２μ−１まで番号が与えられる。時間資源は、無線フレーム番号（或いは無線フレームインデックスともいう）、サブフレーム番号（或いはサブフレーム番号ともいう）、及びスロット番号（或いはスロットインデックス）のうち少なくともいずれか一つによって区分される。
【００２９】
図２は、無線通信システムで下りリンク（ＤＬ）／上りリンク（ＵＬ）のスロット構造の一例を示す図である。特に、図２は３ＧＰＰ  ＮＲシステムの資源格子（ｒｅｓｏｕｒｃｅ  ｇｒｉｄ）の構造を示す。
【００３０】
アンテナポート当たりに一つの資源格子がある。図２を参照すると、スロットは時間ドメイン（ｔｉｍｅ  ｄｏｍａｉｎ）で複数のＯＦＤＭシンボルを含み、周波数ドメイン（ｆｒｅｑｕｅｎｃｙ  ｄｏｍａｉｎ）で複数の資源ブロック（ｒｅｓｏｕｒｃｅ  ｂｌｏｃｋ、ＲＢ）を含む。ＯＦＤＭシンボルは、一つのシンボル区間を意味してもよい。特別に説明しない限り、ＯＦＤＭシンボルは簡単にシンボルと称されてもよい。図２を参照すると、各スロットから伝送される信号は、Ｎｓｉｚｅ、μｇｒｉｄ、ｘ＊ＮＲＢＳＣ個のサブキャリアと、ＮｓｌｏｔＳｙｍｂ個のＯＦＤＭシンボルからなる資源格子で表現される。ここで、下りリンク資源格子であればｘ＝ＤＬであり、上りリンク資源格子であればｘ＝ＵＬである。Ｎｓｉｚｅ、μｇｒｉｄ、ｘはサブキャリア間隔構成因子μによって資源ブロック（ＲＢ）の個数を示し（ｘによる下りリンクまたは上りリンク）、ＮｓｌｏｔＳｙｍｂはスロット内のＯＦＤＭシンボルの個数を示す。ＮＲＢＳＣは一つのＲＢを構成するサブキャリアの個数であって、ＮＲＢＳＣ＝１２である。ＯＦＤＭシンボルは、多重接続方式によってＣＰ−ＯＦＤＭ（ｃｙｃｌｉｃ  ｓｈｉｆｔ  ＯＦＤＭ）シンボル、またはＤＦＴ−ｓ−ＯＦＤＭ（Ｄｉｓｃｒｅｔｅ  Ｆｏｕｒｉｅｒ  ｔｒａｎｓｆｏｒｍ  ｓｐｒｅａｄｉｎｇ  ＯＦＤＭ）シンボルと称される。一つのスロットに含まれるＯＦＤＭシンボルの数はＣＰ（ｃｙｃｌｉｃ  ｐｒｅｆｉｘ）の長さによって異なり得る。例えば、正規（ｎｏｒｍａｌ）ＣＰであれば一つのスロットが１４個のＯＦＤＭシンボルを含むが、拡張（ｅｘｔｅｎｄｅｄ）ＣＰであれば一つのスロットが１２個のＯＦＤＭシンボルを含む。具体的な実施例において、拡張ＣＰは６０ｋＨｚのサブキャリア間隔でのみ使用される。図２では説明の便宜上、一つのスロットが１４ＯＦＤＭシンボルからなるスロットを例示したが、本発明の実施例は異なる個数のＯＦＤＭシンボルを有するスロットにも同じ方式で適用される。図２を参照すると、各ＯＦＤＭシンボルは、周波数ドメインにおいて、Ｎｓｉｚｅ、μｇｒｉｄ、ｘ＊ＮＲＢＳＣ個のサブキャリアを含む。サブキャリアの類型は、データを伝送するためのデータサブキャリア、参照信号（ｒｅｆｅｒｅｎｃｅ  ｓｉｇｎａｌ）を伝送するための参照信号サブキャリア、及びガードバンド（ｇｕａｒｄ  ｂａｎｄ）に分けられる。キャリア周波数は中心周波数（ｃｅｎｔｅｒ  ｆｒｅｑｕｅｎｃｙ）ともいう。
【００３１】
ＲＢは時間ドメインでＮｓｌｏｔＳｙｍｂ個（例えば、１４個）の連続するＯＦＤＭシンボルと定義され、周波数ドメインでＮＲＢＳＣ個（例えば、１２個）の連続するサブキャリアによって定義される。ちなみに、一つのＯＦＤＭシンボルと一つのサブキャリアからなる資源を資源要素（Ｒｅｓｏｕｒｃｅ  Ｅｌｅｍｅｎｔ、ＲＥ）或いはトーン（ｔｏｎｅ）と称する。よって、一つのＲＢはＮｓｌｏｔＳｙｍｂ＊ＮＲＢＳＣ個の資源要素からなる。資源格子内の各資源要素は、一つのスロット内のインデックス対（ｋ、ｌ）によって固有に定義される。ｋは周波数ドメインで０からＮｓｉｚｅ、μｇｒｉｄ、ｘ＊ＮＲＢＳＣ−１まで与えられるインデックスであり、ｌは時間ドメインで０からＮｓｌｏｔＳｙｍｂ−１まで与えられるインデックスである。
【００３２】
一方、一つのＲＢは、一つの物理資源ブロック（Ｐｈｙｓｉｃａｌ  Ｒｅｓｏｕｒｃｅ  Ｂｌｏｃｋ、ＰＲＢ）と一つの仮想資源ブロック（Ｖｉｒｔｕａｌ  Ｒｅｓｏｕｒｃｅ  Ｂｌｏｃｋ、ＶＲＢ）にそれぞれマッピングされる。ＰＲＢは、時間ドメインでＮｓｌｏｔＳｙｍｂ個（例えば、１４個）の連続するＯＦＤＭシンボルと定義される。また、ＰＲＢは周波数ドメインでＮＲＢＳＣ個（例えば、１２個）の連続するサブキャリアによって定義される。よって、一つのＰＲＢはＮＲＢＳＣ＊ＮｓｌｏｔＳｙｍｂ個の資源要素からなる。
【００３３】
端末が基地局から信号を受信するか基地局に信号を伝送するためには、端末の時間／周波数同期を基地局の時間／周波数同期と合わせるべきである。基地局と端末が同期化されなければ、端末がＤＬ信号の復調（ｄｅｍｏｄｕｌａｔｉｏｎ）及びＵＬ信号の伝送を正確な時点に行うのに必要な時間及び周波数パラメータを決定することができないためである。
【００３４】
図３は、３ＧＰＰシステム（例えば、ＮＲ）に利用される物理チャンネル及び物理チャンネルを利用した一般的な信号伝送方法を説明するための図である。端末に電源が入るか端末が新たにセルに進入すれば、端末は初期セル探索（ｉｎｉｔｉａｌ  ｃｅｌｌ  ｓｅａｒｃｈ）作業を行う（Ｓ３０１）。詳しくは、端末は初期セル探索で基地局と同期を合わせる。そのために、端末は基地局から主同期信号（Ｐｒｉｍａｒｙ  Ｓｙｎｃｈｒｏｎｉｚａｔｉｏｎ  Ｓｉｇｎａｌ、ＰＳＳ）、及び副同期信号（Ｓｅｃｏｎｄａｒｙ  Ｓｙｎｃｈｒｏｎｉｚａｔｉｏｎ  Ｓｉｇｎａｌ、ＳＳＳ）を受信して基地局と同期を合わせて、セルＩＤなどの情報を獲得する。その後、端末は基地局から物理放送チャネル（Ｐｈｙｓｉｃａｌ  Ｂｒｏａｄｃａｓｔ  Ｃｈａｎｎｅｌ）を受信し、セル内放送情報を獲得する。初期セル探索を終えた端末は、物理下りリンク制御チャネル（ＰＤＣＣＨ）、及び前記ＰＤＣＣＨに載せられた情報に応じて物理下りリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を受信することで、初期セル探索を介して獲得したシステム情報より具体的なシステム情報を獲得する（Ｓ３０２）。端末が基地局に最初に接続するか信号を伝送するための無線資源がなければ、端末は基地局に対して任意接続過程（Ｒａｎｄｏｍ  Ａｃｃｅｓｓ  Ｐｒｏｃｅｄｕｒｅ）を行う（Ｓ３０３乃至Ｓ３０６）。そのために、端末は物理任意接続チャネル（Ｐｈｙｓｉｃａｌ  Ｒａｎｄｏｍ  Ａｃｃｅｓｓ  Ｃｈａｎｎｅｌ、ＰＲＡＣＨ）を介して特定シーケンスをプリアンブルに伝送し（Ｓ３０３乃至Ｓ３０５）、基地局からＰＤＣＣＨ及び対応するＰＤＳＣＨを介してプリアンブルに対する応答メッセージを受信する（Ｓ３０４及びＳ３０６）。競争基板ＲＡＣＨの場合、追加に衝突解決手順（Ｃｏｎｔｅｎｔｉｏｎ  Ｒｅｓｏｌｕｔｉｏｎ  Ｐｒｏｃｅｄｕｒｅ）を行う。上述した手順の後、端末は一般的な上り／下りリンクの信号伝送手順としてＰＤＣＣＨ／ＰＤＳＣＨを受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）を伝送する（Ｓ３０８）。特に、端末はＰＤＣＣＨを介して下りリンク制御情報（Ｄｏｗｎｌｉｎｋ  Ｃｏｎｔｒｏｌ  Ｉｎｆｏｒｍａｔｉｏｎ、ＤＣＩ）を受信する。ＤＣＩは、端末に対する資源割当情報のような制御情報を含む。また、ＤＣＩは、ＤＣＩの使用目的に応じてフォーマットが異なりうる。端末が上りリンクを介して基地局に伝送する、または端末が基地局から受信する制御情報は、下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＮＲシステムの場合、端末はＰＵＳＣＨ及び／またはＰＵＣＣＨを介して上述したＨＡＲＱ−ＡＣＫとＣＳＩなどの制御情報を伝送する。
【００３５】
図４は、３ＧＰＰ  ＮＲシステムにおける初期セル接続のためのＳＳ／ＰＢＣＨブロックに関する図である。
【００３６】
端末は電源が入るか新たにセルに接続しようとする際、セルとの時間及び周波数同期を獲得してセル探索（ｉｎｉｔｉａｌ  ｃｅｌｌ  ｓｅａｒｃｈ）過程を行う。端末はセル探索過程で、セルの物理セル識別子（ｐｈｙｓｉｃａｌ  ｃｅｌｌ  ｉｄｅｎｔｉｔｙ）ＮｃｅｌｌＩＤを検出（ｄｅｔｅｃｔ）する。そのために、端末は基地局から同期信号、例えばＰＳＳ、及び服同期信号ＳＳＳを受信し、基地局と同期を合わせる。この際、端末はセル識別子（ｉｄｅｎｔｉｔｙ、ＩＤ）などの情報を獲得する。図4（ａ）を参照して、同期信号（ｓｙｎｃｈｒｏｎｉｚａｔｉｏｎ  ｓｉｇｎａｌ）をより詳しく説明する。同期信号はＰＳＳとＳＳＳに区分される。ＰＳＳは、ＯＦＤＭシンボル同期、スロット同期などのような時間ドメイン同期、及び／または周波数ドメイン同期を得るために使用される。ＳＳＳは、フレーム同期、セルグループＩＤを得るために使用される。図４（ａ）と表１を参照すると、ＳＳ／ＰＢＣＨブロックは周波数軸に２０ＲＢｓ（＝２４０サブキャリア）で構成され、時間軸に４ＯＦＤＭシンボルで構成される。ここで、ＳＳ／ＰＢＣＨブロックにおいて、最初のＯＦＤＭシンボル、ＳＳＳは３番目のＯＦＤＭシンボルで５６、５７、・・・１８２サブキャリアから伝送される。ここで、ＳＳ／ＰＢＣＨブロックの最も低いサブキャリアインデックスを０からつける。ＰＳＳが伝送する最初のＯＦＤＭシンボルにおいて、残りのサブキャリア、つまり、０、１、・・・５５、１８３、１８４、・・・２３９サブキャリアは基地局が信号を伝送しない。ＳＳＳが伝送する３番目ＯＦＤＭシンボルにおいて、４８、４９、・・・５５、１８３、１８４、・・・１９１サブキャリアは基地局が信号を伝送しない。基地局は、ＳＳ／ＰＢＣＨブロックにおいて前記信号を除いた残りのＲＥにはＰＢＣＨ信号を伝送する。
【００３７】
【表１】
2020511897.tif 000003
【００３８】
ＳＳは、３つのＰＳＳと３３６個のＳＳの組み合わせを介し、計１００８個の固有な物理階層セル識別子（ｐｈｙｓｉｃａｌ  ｌａｙｅｒ  ｃｅｌｌ  ＩＤ）を示す。詳しくは、物理階層セルＩＤは、各物理階層セルＩＤがたった一つの物理−階層セル−識別子グループの部分になるように、各グループが３つの固有な識別子を含む３３６個の物理−階層セル−識別子グループにグルーピングされる。よって、物理階層セル識別子ＮｃｅｌｌＩＤ＝３Ｎ（１）ＩＤ＋Ｎ（２）ＩＤは、物理−階層セル−識別子グループを示す０から３３５までの範囲内の番号Ｎ（１）ＩＤと、物理−階層セル−識別子グループ内の前記物理−階層セル−識別子を示す０から２までの番号Ｎ（２）ＩＤによって固有に定義される。端末はＰＳＳを検出し、３つの固有な物理−階層セル−識別子のうち一つを識別する。また、端末はＳＳＳを検出し、前記物理−階層セル−識別子に関する３３６個の物理階層セルＩＤのうち一つを識別する。ＰＳＳ信号は以下のようである。
【００３９】
【数１】
2020511897.tif 000004
【００４０】
ここで、
【００４１】
【数２】
2020511897.tif 000005
【００４２】
であり、
【００４３】
【数３】
2020511897.tif 000006
【００４４】
で与えられる。ＳＳＳは以下のようである。
【００４５】
【数４】
2020511897.tif 000007
【００４６】
ここで、
【００４７】
【数５】
2020511897.tif 000008
【００４８】
であり、
【００４９】
【数６】
2020511897.tif 000009
【００５０】
で与えられる。
【００５１】
１０ｍｓデュレーションを有する無線フレームは、５ｍｓデュレーションを有する２つの半フレームに分けられる。図４（ｂ）を参照して、各半フレーム内でＳＳ／ＰＢＣＨブロックが伝送されるスロットについて説明する。ＳＳ／ＰＢＣＨブロックが伝送されるスロットは、Ｃａｓｅ  Ａ、Ｂ、Ｃ、Ｄ、Ｅのうちいずれか一つである。Ｃａｓｅ  Ａにおいて、サブキャリア間隔は１５ｋＨｚであり、ＳＳ／ＰＢＣＨブロックの開始地点は｛２、８｝＋１４＊ｎシンボルである。この際、３ＧＨｚ以下のキャリア周波数において、ｎ＝０、１である。３ＧＨｚ超過６ＧＨｚ以下において、ｎ＝０、１、２、３である。Ｃａｓｅ  Ｂにおいて、サブキャリア間隔は３０ｋＨｚであり、ＳＳ／ＰＢＣＨブロックの開始地点は｛４、８、１６、２０｝＋２８＊ｎである。この際、３ＧＨｚ以下のキャリア周波数において、ｎ＝１である。３ＧＨｚ超過６ＧＨｚ以下において、ｎ＝０、１である。Ｃａｓｅ  Ｃにおいて、サブキャリア間隔は３０ｋＨｚであり、ＳＳ／ＰＢＣＨブロックの開始地点は｛２、８｝＋１４＊ｎである。この際、３ＧＨｚ以下のキャリア周波数において、ｎ＝０、１である。３ＧＨｚ超過６ＧＨｚ以下において、ｎ＝０、１、２、３である。Ｃａｓｅ  Ｄにおいて、サブキャリア間隔は１２０ｋＨｚであり、ＳＳ／ＰＢＣＨブロックの開始地点は｛４、８、１６、２０｝＋２８＊ｎである。この際、６ＧＨｚ以上のキャリア周波数において、ｎ＝０、１、２、３、５、６、７、８、１０、１１、１２、１３、１５、１６、１７、１８である。Ｃａｓｅ  Ｅにおいて、サブキャリア間隔は２４０ｋＨｚであり、ＳＳ／ＰＢＣＨブロックの開始地点は｛８、１２、１６、２０、３２、３６、４０、４４｝＋５６＊ｎである。この際、６ＧＨｚ以上のキャリア周波数において、ｎ＝０、１、２、３、５、６、７、８である。
【００５２】
図５は、３ＧＰＰ  ＮＲシステムにおける制御情報及び制御チャネル伝送のための手順に関する。図５（ａ）を参照すると、基地局は制御情報（例えば、ＤＣＩ）にＲＮＴＩ（Ｒａｄｉｏ  Ｎｅｔｗｏｒｋ  Ｔｅｍｐｏｒａｒｙ  Ｉｄｅｎｔｉｆｉｅｒ）でマスク（例えば、ＸＯＲ演算）されたＣＲＣ（Ｃｙｃｌｉｃ  Ｒｅｄｕｎｄａｎｃｙ  Ｃｈｅｃｋ）を付加する（Ｓ５０２）。基地局は、各制御情報の目的／対象によって決定されるＲＮＴＩ値でＣＲＣをスクランブルする。一つ以上の端末が使用する共通ＲＮＴＩは、ＳＩ−ＲＮＴＩ（Ｓｙｓｔｅｍ  Ｉｎｆｏｒｍａｔｉｏｎ  ＲＮＴＩ）、Ｐ−ＲＮＴＩ（Ｐａｇｉｎｇ  ＲＮＴＩ）、ＲＡ−ＲＮＴＩ（Ｒａｎｄｏｍ  Ａｃｃｅｓｓ  ＲＮＴＩ）、及びＴＰＣ−ＲＮＴＩ（Ｔｒａｎｓｉｔ  Ｐｏｗｅｒ  Ｃｏｎｔｒｏｌ  ＲＮＴＩ）のうち少なくともいずれか一つを含む。また、端末−特定ＲＮＴＩは、Ｃ−ＲＮＴＩ（Ｃｅｌｌ  ｔｅｍｐｏｒａｒｙ  ＲＮＴＩ）、及びＳＰＳ  Ｃ−ＲＮＴＩ（Ｓｅｍｉ−Ｐｅｒｓｉｓｔｅｎｔ  Ｓｃｈｅｄｕｌｉｎｇ）のうち少なくともいずれか一つを含む。次に、基地局はチャネル符号化（例えば、ｐｏｌａｒ  ｃｏｄｉｎｇ）を行った（Ｓ５０４）後、ＰＤＣＣＨ伝送のために使用された資源（ら）の量に合わせてレートマッチング（ｒａｔｅ−ｍａｔｃｈｉｎｇ）を行う（Ｓ５０６）。次に、基地局はＣＣＥ（Ｃｎｔｒｏｌ  Ｃｈａｎｎｅｌ  Ｅｌｅｍｅｎｔ）基板のＰＤＣＣＨ構造に基づいてＤＣＩ（ら）を多重化した後（Ｓ５０８）、多重化されたＤＣＩ（ら）に対して追加過程（例えば、スクランブリング、モジュレーション（例えば、ＱＰＳＫ）、インターリンク）（Ｓ９１０）を適用してから、伝送しようとする資源にマッピングする。ＣＣＥはＰＤＣＣＨのための基本資源単位であり、一つのＣＣＥは複数（例えば、６個）のＲＥＧ（Ｒｅｓｏｕｒｃｅ  Ｅｌｅｍｅｎｔ  Ｇｒｏｕｐ）からなる。一つのＲＥＧは複数（例えば、１２個）のＲＥからなる。一つのＰＤＣＣＨのために使用されたＣＣＥの個数をアグリゲーションレベルと定義する。３ＧＰＰ  ＮＲシステムにおいては、１、２、４、８、１６を使用する。図５（ｂ）はＣＣＥアグリゲーションレベルとＰＤＣＣＨの多重化に関する図であり、一つのＰＤＣＣＨのために使用されたＣＣＥアグリゲーションレベルの種類とそれによる制御領域から伝送されるＣＣＥ（ら）を示す。
【００５３】
図６は、３ＧＰＰ  ＮＲシステムにおけるＰＤＣＣＨが伝送されるＣＯＲＥＳＥＴを示す図である。
【００５４】
ＣＯＲＥＳＥＴは、端末の制御信号であるＰＤＣＣＨが伝送される時間−周波数資源である。図６を参照して、端末はすべての周波数帯域を受信してＰＤＣＣＨ」複合を試みるのではなく、ＣＯＲＥＳＥＴと定義された時間−周波数資源のみを受信し、ＣＯＲＥＳＥＴ内にマッピングされているＰＤＣＣＨを複合する。基地局は、端末にセルごとに一つまたは複数個のＣＯＲＥＳＥＴを構成する。ＣＯＲＥＳＥＴは、時間軸に最大３つまで連続したシンボルからなる。また、ＣＯＲＥＳＥＴは周波数軸に６ＰＲＢｓ単位で連続にまたは不連続に構成される。図５の実施例において、ＣＯＲＥＳＥＴ＃１は連続したＰＲＢからなり、ＣＯＲＥＳＥＴ＃２とＣＯＲＥＳＥＴ＃３は不連続のＰＲＢからなる。ＣＯＲＥＳＥＴはスロット内にいかなるシンボルにも位置し得る。例えば、図５のＣＯＲＥＳＥＴ＃１はスロットの最初のシンボルから始まり、ＣＯＲＥＳＥＴ＃２はスロットの５番目のシンボルから始まり、ＣＯＲＥＳＥＴ＃９はスロットの９番目のシンボルから始まる。
【００５５】
図７は、３ＧＰＰ  ＮＲシステムにおけるＰＤＣＣＨ探索空間（ｓｅａｒｃｈ  ｓｐａｃｅ）の設定に関する図である。端末にＰＤＣＣＨを伝送するために、各ＣＯＲＥＳＥＴには少なくとも一つ以上の探索空間が存在する。本発明において、探索空間とは、端末のＰＤＣＣＨが伝送され得る全ての時間−周波数資源（以下、ＰＤＣＣＨ候補（ｃａｎｄｉｄａｔｅ））の集合である。探索空間は、３ＧＰＰ  ＮＲの端末が共通に探索すべき共通探索空間（ｃｏｍｍｏｎ  ｓｅａｒｃｈ  ｓｐａｃｅ）と、特定端末が探索すべき端末−特定探索空間（Ｔｅｒｍｉｎａｌ−ｓｐｅｃｉｆｉｃ  ｏｒ  ＵＥ−ｓｐｅｃｉｆｉｃ  ｓｅａｒｃｈ  ｓｐａｃｅ）を含む。共通探索空間は、同一基地局に属するセルにおける全ての端末が共通に探すように設定されているＰＤＣＣＨをモニタリングするように設定されており、端末−特定探索空間は、端末に応じて異なる探索空間位置において、各端末に割り当てられたＰＤＣＣＨをモニタリングするように端末ごとに設定されている。端末−特定探索空間は、ＰＤＣＣＨに割り当てられ得る制限された制御領域により、端末間探索空間が部分的に重なって割り当てられている可能性がある。ＰＤＣＣＨをモニタリングすることは、探索空間内のＰＤＣＣＨ候補をブラインドデコーディングすることを含む。ブラインドデコーディングに成功した場合をＰＤＣＣＨが（成功的に）検出／受信されたと表現し、ブラインドデコーディングに失敗した場合をＰＤＣＣＨが未検出／未受信されたと表現するか、成功的に検出／受信されなかったと表現する。
【００５６】
説明の便宜上、一つ以上の端末に上りリンクスケジューリング情報または下りリンクスケジューリング情報を伝送するために、既に知っているグループ共通（ｇｒｏｕｐ  ｃｏｍｍｏｎ、ＧＣ）ＲＮＴＩ（ｏｒ  ｃｏｍｍｏｎ  ｃｏｎｔｒｏｌ  ＲＮＴＩ、ＣＣ−ＲＮＴＩ）でスクランブルされたＰＤＣＣＨを（端末）グループ共通（（ＵＥ）ｇｒｏｕｐ  ｃｏｍｍｏｎ、ＧＣ）ＰＤＣＣＨ、または共通ＰＤＣＣＨと称する。また、一つの特定端末に上りリンクスケジューリング情報または下りリンクスケジューリング情報を伝送するために、特定端末が既に知っている端末−特定ＲＮＴＩでスクランブルされたＰＤＣＣＨを端末−特定（ｕｓｅｒ−ｓｐｅｃｉｆｉｃ、ＵＳ）ＰＤＣＣＨと称する。
【００５７】
ＰＤＣＣＨは、伝送チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）の資源割当（ＤＬ  Ｇｒａｎｔ）に関する情報、ＵＬ−ＳＣＨの資源割当（Ｕｐｌｉｎｋ  Ｇｒａｎｔ）、ＨＡＲＱ情報のうち少なくともいずれか一つを各端末または端末グループに知らせる。基地局は、ＰＣＨ伝送ブロック及びＤＬ−ＳＣＨ伝送ブロックをＰＤＳＣＨを介して伝送する。基地局は、特定の制御情報または特定のサービスデータを除いたデータをＰＤＳＣＨを介して伝送する。また、端末は、特定の制御情報または特定のサービスデータを除いたデータをＰＤＳＣＨを介して受信する。
【００５８】
基地局はＰＤＳＣＨのデータがどの端末（一つまたは複数の端末）に伝送されるのか、該当端末がいかにＰＤＳＣＨを受信しデコーディング（ｄｅｃｏｄｉｎｇ）すべきであるのかに関する情報をＰＤＣＣＨに含ませて伝送する。例えば、特定ＰＤＣＣＨが「Ａ」というＲＮＴＩでＣＲＣマスキングされており、「Ｂ」という無線資源（例えば、周波数位置）、及び「Ｃ」というＤＣＩフォーマット、つまり、伝送形式情報（例えば、伝送ブロックのサイズ、変調方式、コーディング情報）などを利用して伝送されるデータに関する情報が特定サブフレームを介して伝送されると仮定する。この場合、セル内の端末は自ら有するＲＮＴＩ情報を利用してＰＤＣＣＨをモニタリングし、「Ａ」ＲＮＴＩを有する一つ以上の端末があれば、該当端末はＰＤＣＣＨを受信し、受信したＰＤＣＣＨの情報を介して「Ｂ」と「Ｃ」によって指示されるＰＤＳＣＨを受信する。
【００５９】
表２は、無線通信システムで使用されるＰＵＣＣＨ（ｐｈｙｓｉｃａｌ  ｕｐｌｉｎｋ  ｃｏｎｔｒｏｌ  ｃｈａｎｎｅｌ）に関する。
【００６０】
【表２】
2020511897.tif 000010
【００６１】
ＰＵＣＣＨは、以下の制御情報を伝送するのに使用される。
−ＳＲ（Ｓｃｈｅｄｕｌｉｎｇ  Ｒｅｑｕｅｓｔ）：上りリンクＵＬ−ＳＣＨ資源を要請するのに使用される情報である。
−ＨＡＲＱ−ＡＣＫ：（ＤＬ  ＳＰＳ  ｒｅｌｅａｓｅを指示する）ＰＤＣＣＨに対する応答、及び／またはＰＤＳＣＨ上の下りリンクデータパケットに対する応答である。ＰＤＣＣＨ或いはＰＤＳＣＨが成功的に受信されたのか否かを示す。ＨＡＲＱ−ＡＣＫ応答は、ポジティブＡＣＫ（簡単にＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）、またはＮＡＣＫ／ＤＴＸを含む。ここで、ＨＡＲＱ−ＡＣＫという用語は、ＨＡＲＱ  ＡＣＫ／ＮＡＣＫ、ＡＣＫ／ＮＡＣＫと混用される。一般に、ＡＣＫは１に対応して表現に、ＮＡＣＫは０に対応して表現する。
−ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。基地局が伝送するＣＳＩ−ＲＳ（Ｒｅｆｅｒｅｎｃｅ  Ｓｉｇｎａｌ）に基づいて端末が生成する。ＭＩＭＯ（Ｍｕｌｔｉ  Ｉｎｐｕｔ  Ｍｕｌｔｉ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。ＣＳＩは、ＣＳＩが示す情報に応じてＣＳＩパート（ｐａｒｔ）１とＣＳＩパート２に分けられる。
【００６２】
３ＧＰＰ  ＮＲシステムにおいては、多様なサービスシナリオ、多様なチャネル環境、及びフレーム構造を支援するために５つのＰＵＣＣＨフォーマットが使用される。
【００６３】
ＰＵＣＣＨ  ｆｏｒｍａｔ０は、１ビットまたは２ビットのＨＡＲＱ−ＡＣＫ情報を伝達するフォーマットである。ＰＵＣＣＨ  ｆｏｒｍａｔ０は、時間軸に１ＯＦＤＭシンボルまたは２ＯＦＤＭシンボル、周波数軸に１ＰＲＢを介して伝送される。ＰＵＣＣＨ  ｆｏｒｍａｔ０が２ＯＦＤＭシンボルで伝送されれば、２つのシンボルに同じシーケンスが異なるＰＲＢで伝送される。これを介して、端末は周波数ダイバーシティゲイン（ｄｉｖｅｒｓｉｔｙ  ｇａｉｎ）を得る。より詳しくは、端末は、Ｍｂｉｔ  ｂｉｔｓ  ＵＣＩ（Ｍｂｉｔ＝１  ｏｒ  ２）によってサイクリックシフト（ｃｙｃｌｉｃ  ｓｈｉｆｔ）の値ｍｃｓを決定し、長さ１２のベースシーケンス（ｂａｓｅ  ｓｅｑｕｅｎｃｅ）を決められた値ｍｃｓでサイクリックシフトしたシーケンスを、１ＯＦＤＭシンボルの１ＰＲＢの１２ＲＥｓにマッピングして伝送する。端末が使用可能なサイクリックシフトの数が１２個で、Ｍｂｉｔ＝１であれば、端末がＵＣＩ０とＵＣＩ１を伝送する際、端末は２つのサイクリックシフトの値の差を６に配置する。また、Ｍｂｉｔ＝２で、端末がＵＣＩ００、ＵＣＩ０１、ＵＣＩ１１、ＵＣＩ１０を伝送すれば、端末は４つのサイクリックシフトの値の差を３に配置する。
【００６４】
ＰＵＣＣＨ  ｆｏｒｍａｔ１は、１ビットまたは２ビットのＨＡＲＱ−ＡＣＫ情報を伝達する。ＰＵＣＣＨ  ｆｏｒｍａｔ１は、時間軸に連続したＯＦＤＭシンボルと周波数軸に１ＰＲＢで伝送される。ここで、ＰＵＣＣＨ  ｆｏｒｍａｔ１が占めるＯＦＤＭシンボルの数は、４、５、６、７、８、９、１０、１１、１２、１３、及び１４のうち一つである。より詳しくは、Ｍｂｉｔ＝１  ＵＣＩはＢＰＳＫモジュレーションされる。端末はＭｂｉｔ＝２  ＵＣＩをＱＰＳＫ（Ｑｕａｎｄｒａｔｕｒｅ  Ｐｈａｓｅ  Ｓｈｉｆｔ  Ｋｅｙｉｎｇ）モジュレーションして複素数シンボル（ｃｏｍｐｌｅｘ  ｖａｌｕｅｄ  ｓｙｍｂｏｌ）ｄ（０）を生成し、生成したｄ（０）は長さ１２のシーケンスをかけて信号を得る。端末は、得られた信号をＰＵＣＣＨ  ｆｏｒｍａｔ１が割り当てられた偶数番目のＯＦＤＭシンボルに時間軸ＯＣＣ（ｏｒｔｈｏｇｏｎａｌ  ｃｏｖｅｒ  ｃｏｄｅ）でスプレディング（ｓｐｒｅａｄｉｎｇ）して伝送する。ＰＵＣＣＨ  ｆｏｒｍａｔ１は、使用するＯＣＣの長さに応じて同じＰＲＢに多重化される異なる端末の最大数が決定される。ＰＵＣＣＨ  ｆｏｒｍａｔ１の帰趨番目のＯＦＤＭシンボルには、ＤＭＲＳ（Ｄｅｍｏｄｕｌａｔｉｏｎ  ＲＳ）がＯＣＣにスプレディングされてマッピングされる。
【００６５】
ＰＵＣＣＨ  ｆｏｒｍａｔ２は、２ビットを超過するＵＣＩ（Ｕｐｌｉｎｋ  Ｃｏｎｔｒｏｌ  Ｉｎｆｏｒｍａｔｉｏｎ）を伝送する。ＰＵＣＣＨ  ｆｏｒｍａｔ２は、時間軸に１ＯＦＤＭシンボルまたは２ＯＦＤＭシンボル、周波数軸に１ＰＲＢで伝送される。ＰＵＣＣＨ  ｆｏｒｍａｔ２が２つのＯＦＤＭシンボルで伝送されれば、２つのＯＦＤＭシンボルを介して同じシーケンスが異なるＰＲＢで伝送される。これを介して、端末は周波数ダイバーシティゲインを得る。より詳しくは、Ｍｂｉｔ  ｂｉｔｓ  ＵＣＩ（Ｍｂｉｔ＞２）はビット−レベルスクランブルされ、ＱＰＳＬモジュレーションされてＯＦＤＭシンボルのＰＲＢ（ｓ）にマッピングされる。ここで、ＰＲＢの数は１、２、・・・、１６のうちいずれか一つである。
【００６６】
ＰＵＣＣＨ  ｆｏｒｍａｔ３またはＰＵＣＣＨ  ｆｏｒｍａｔ４は、２ビットを超過するＵＣＩを伝達する。ＰＵＣＣＨ  ｆｏｒｍａｔ３またはＰＵＣＣＨ  ｆｏｒｍａｔ４は、時間軸に連続したＯＦＤＭシンボルと周波数軸に１ＰＲＢを介して伝送される。ＰＵＣＣＨ  ｆｏｒｍａｔ３またはＰＵＣＣＨ  ｆｏｒｍａｔ４が占めるＯＦＤＭシンボルの数は、４、５、６、７、８、９、１０、１１、１２、１３、及び１４のうち一つである。詳しくは、端末は、Ｍｂｉｔ  ｂｉｔｓ  ＵＣＩ（Ｍｂｉｔ＞２）をπ／２−ＢＰＳＫ（Ｂｉｎａｒｙ  Ｐｈａｓｅ  Ｋｅｙｉｎｇ）またはＱＰＳＫでモジュレーションし、複素数シンボルｄ（０）、・・・、ｄ（Ｍｓｙｍｂ−１）を生成する。端末は、ＰＵＣＣＨ  ｆｏｒｍａｔ３にｂｌｏｃｋ−ｗｉｓｅスプレディングを適用しない。但し、端末はＰＵＣＣＨ  ｆｏｒｍａｔ４が２つ或いは４つの多重化容量（ｍｕｌｔｉｐｌｅｘｉｎｇ  ｃａｐａｃｉｔｙ）を有するよう、ｌｅｎｇｔｈ−１２のＰｒｅＤＦＴ−ＯＣＣを使用して１ＲＢ（１２  ｓｕｂｃａｒｒｉｅｒ）にｂｌｏｃｋ−ｗｉｓｅスプレディングを適用する。端末はスプレディングされた信号を伝送プレコーティング（ｔｒａｎｓｍｉｔ  ｐｒｅｃｏｄｉｎｇ）（またはＤＦＴ−ｐｒｅｃｏｄｉｎｇ）し、各ＲＥにマッピングして、スプレディングされた信号を伝送する。
【００６７】
この際、ＰＵＣＣＨ  ｆｏｒｍａｔ２、ＰＵＣＣＨ  ｆｏｒｍａｔ３、またはＰＵＣＣＨ  ｆｏｒｍａｔ４が占めるＰＲＢの数は、端末が伝送するＵＣＩの長さと最大コードレート（ｃｏｄｅ  ｒａｔｅ）に応じて決定される。端末がＰＵＣＣＨ  ｆｏｒｍａｔ２を使用すれば、端末はＰＵＣＣＨを介してＨＡＲＱ−ＡＣＫ情報、ＣＳＩ情報を共に伝送する。もし端末が伝送し得るＰＲＢの数がＰＵＣＣＨ  ｆｏｒｍａｔ２、ＰＵＣＣＨ  ｆｏｒｍａｔ３、またはＰＵＣＣＨ  ｆｏｒｍａｔ４が使用可能な最大のＰＲＢの数より大きければ、端末はＵＣＩ情報の優先順位に応じて一部のＵＣＩ情報は伝送せず、残りのＵＣＩ情報のみを伝送する。
【００６８】
ＰＵＣＣＨ  ｆｏｒｍａｔ１、ＰＵＣＣＨ  ｆｏｒｍａｔ３、またはＰＵＣＣＨ  ｆｏｒｍａｔ４がスロット内で周波数ホッピング（ｆｒｅｑｕｅｎｃｙ  ｈｏｐｐｉｎｇ）を指示するよう、ＲＲＣ信号を介して構成される。周波数ホッピングが構成される際、周波数ホッピングするＰＲＢインデックスはＲＲＣ信号で構成（ｃｏｎｆｉｇｕｒｅｄ）される。ＰＵＣＣＨ  ｆｏｒｍａｔ１、ＰＵＣＣＨ  ｆｏｒｍａｔ３、またはＰＵＣＣＨ  ｆｏｒｍａｔ４が時間軸でＮ番目のＯＦＤＭシンボルにわたって伝送されれば、最初のホップ（ｈｏｐ）はｆｌｏｏｒ（Ｎ／２）個のＯＦＤＭシンボルを有し、２番目のホップはｃｅｉｌｉｎｇ（Ｎ／２）個のＯＦＤＭシンボルを有する。
【００６９】
ＰＵＣＣＨ  ｆｏｒｍａｔ１、ＰＵＣＣＨ  ｆｏｒｍａｔ３、またはＰＵＣＣＨ  ｆｏｒｍａｔ４は、複数のスロットに繰り返し伝送されるように構成される。この際、ＰＵＣＣＨが繰り返し伝送されるスロットの個数Ｋは、ＲＲＣ信号によって構成される。繰り返し伝送されるＰＵＣＣＨは、各スロット内で同じ位置のＯＦＤＭシンボルから始まり、同じ長さを有すべきである。端末がＰＵＣＣＨを伝送すべきスロットのＯＦＤＭシンボルのう一つのＯＦＤＭシンボルでもＲＲＣ信号でＤＬシンボルと指示されれば、端末は該当スロットでＰＵＣＣＨを伝送せず、次のスロットに伸ばして伝送する。
【００７０】
３ＧＰＰ  ＮＲシステムにおいて、端末はキャリア（またはセル）の帯域幅より小さいか同じ帯域幅を利用して送受信を行う。そのために、端末はキャリアの帯域幅のうち一部の連続した帯域幅からなるＢａｎｄｗｉｄｔｈ  ｐａｒｔ（ＢＷＰ）を構成される。ＴＤＤによって動作するかまたはアンペアドスペクトル（ｕｎｐａｉｒｅｄ  ｓｐｅｃｔｒｕｍ）で動作する端末は、一つのキャリア（またはセル）に最大４つのＤＬ／ＵＬ  ＢＷＰペア（ｐａｉｒｓ）を構成される。また、端末は一つのＤＬ／ＵＬ  ＢＷＰペアを活性化する。ＦＤＤによって動作するかまたはペアドスペクトル（ｐａｉｒｅｄ  ｓｐｅｃｔｒｕｍ）で動作する端末は、下りリンクキャリア（またはセル）に最大４つのＤＬ  ＢＷＰｓを構成され、上りリンクキャリア（またはセル）に最大４つのＵＬ  ＢＷＰｓを構成される。端末は、各キャリア（またはセル）ごとに一つのＤＬ  ＢＷＰとＵＬ  ＢＷＰを活性化する。端末は、活性化されたＢＷＰ以外の時間−周波数資源で受信するかそう試飲しない。活性化されたＢＷＰをアクティブＢＷＰと称する。
【００７１】
基地局は、端末が一つのＢＷＰから他のＢＷＰに移動することをＤＣＩを利用して指示する。端末が一つのＢＷＰから他のＢＷＰに移動することは、端末が使用するＢＷＰを非活性化し、新しいＢＷＰを活性化することを示す。ＴＤＤで動作するキャリア（またはセル）において、基地局は端末のＤＬ／ＵＬ  ＢＷＰペアを変えるために、ＰＤＳＣＨまたはＰＵＳＣＨをスケジューリングするＤＣＩに活性化されるＢＷＰを指示するＢＰＩ（Ｂａｎｄｗｉｄｔｈ  ｐａｒｔ  ｉｎｄｉｃａｔｏｒ）を含ませる。端末はＰＤＳＣＨまたはＰＵＳＣＨをスケジューリングするＤＣＩを受信し、ＢＰＩに基づいて活性化されるＤＬ／ＵＬ  ＢＷＰペアを識別する。ＦＤＤで動作する下りリンクキャリア（またはセル）の場合、基地局は端末のＤＬ  ＢＷＰを変えるためにＰＤＳＣＨをスケジューリングするＤＣＩに活性化されるＢＷＰを知らせるＢＰＩを含ませる。ＦＤＤで動作する上りリンクキャリア（またはセル）の場合、基地局は端末のＵＬ  ＢＷＰを変えるためにＰＤＳＣＨをスケジューリングするＤＣＩに活性化されるＢＷＰを指示するＢＰＩを含ませる。
【００７２】
以下では、キャリアアグリゲーション技法について説明する。図６は、キャリアアグリゲーションを説明する概念図である。
【００７３】
キャリアアグリゲーションは、無線通信システムがより広い周波数帯域を使用するために、端末が上りリンク資源（またはコンポーネントキャリア）及び／または下りリンク資源（またはコンポーネントキャリア）からなる周波数ブロック、または（論理的意味の）セルを複数個使用し、一つの大きい論理周波数帯域として使用する方法を意味する。以下では、説明の便宜上、コンポーネントキャリアという用語に統一する。
【００７４】
図８を参照すると、３ＧＰＰ  ＮＲシステムの一例として、全体のシステム帯域は最大１６個のコンポーネントキャリアを含むが、それぞれのコンポーネントキャリアは最大４００ＭＨｚの帯域幅を有する。コンポーネントキャリアは、物理的に連続した一つ以上の連続したサブキャリアを含む。図８ではそれぞれのコンポーネントキャリアがいずれも同じ帯域幅を有すると示しているが、これは例示に過ぎず、それぞれのコンポーネントキャリアは異なる帯域幅を有してもよい。また、それぞれのコンポーネントキャリア周波数軸で互いに隣接していると示しているが、前記図面は論理的外面で示されたものであって、それぞれのコンポーネントキャリアは物理的に互いに隣接してもよく、離れていてもよい。
【００７５】
それぞれのコンポーネントキャリアにおいて、異なる中心キャリア（ｃｏｎｔｅｒ  ｆｒｅｑｕｅｎｃｙ）が使用される。また、物理的に隣接したコンポーネントキャリアにおいて、共通した一つの中心キャリアが使用される。図８の実施例において、全てのコンポーネントキャリアが物理的に隣接していると仮定すれば、全てのコンポーネントキャリアに中心キャリアＡが使用される。また、それぞれのコンポーネントキャリアが物理的に隣接していない場合を仮定すれば、コンポーネントキャリアそれぞれにおいて中心キャリアＡ、中心キャリアＢが使用される。
【００７６】
キャリアアグリゲーションで全体のシステム帯域が拡張されていれば、各端末との通信に使用される周波数帯域はコンポーネントキャリア単位に定義される。端末Ａは全体のシステム帯域である１００ＭＨｚを使用可能で、５つのコンポーネントキャリアを全て使用して通信を行う。端末Ｂ１〜Ｂ５は２０ＭＨｚの帯域幅のみを使用可能で、一つのコンポーネントキャリアを使用して通信を行う。端末Ｃ１及びＣ２は４０ＭＨｚの帯域幅のみを使用可能で、それぞれ２つのコンポーネントキャリアを使用して通信を行う。２つのコンポーネントキャリアは、論理／物理的に隣接するか隣接しない。端末Ｃ１は隣接していない２つのコンポーネントキャリアを使用する場合を示し、端末Ｃ２は隣接した２つのコンポーネントキャリアを使用する場合を示す。
【００７７】
図９は、単一キャリア通信と多重キャリア通信を説明するための図である。特に、図９（ａ）は端末キャリアのサブフレーム構造を示し、図９（ｂ）は多重キャリアのサブフレーム構造を示す。
【００７８】
図９（ａ）を参照すると、一般的な無線通信システムは、一つのＤＬ帯域とそれに対応する一つのＵＬ帯域を介してデータの伝送或いは受信を行う（周波数分割デュプレックス（ｆｒｅｑｕｅｎｃｙ  ｄｉｖｉｓｉｏｎ  ｄｕｐｌｅｘ、ＦＤＤ）モードの場合）。他の具体的な実施例において、無線通信システムは、無線フレーム（ｒａｄｉｏ  ｆｒａｍｅ）を時間ドメイン（ｔｉｍｅ  ｄｏｍａｉｎ）で上りリンク時間ユニットと下りリンク時間ユニットに区分し、上り／下りリンク時間ユニットを介してデータの伝送或いは受信を行う（時分割デュプレックス（ｔｉｍｅ  ｄｉｖｉｓｉｏｎ  ｄｕｐｌｅｘ、ＴＤＤ）モードの場合）。図９（ｂ）を参照すると、ＵＬ及びＤＬにそれぞれ３つの２０ＭＨｚ  ＣＣが集められて６０ＭＨｚの帯域幅が支援される。それぞれのＣＣは周波数ドメインで互いに隣接するか非隣接する。図９（ｂ）は便宜上ＵＬ  ＣＣの帯域幅とＤＬ  ＣＣの帯域幅がいずれも同じで対称な場合を示しているが、各ＣＣの帯域幅は独立して決められてもよい。また、ＵＬ  ＣＣの個数とＤＬ  ＣＣの個数が異なる非対称のキャリアアグリゲーションも可能である。ＲＲＣを介して特定ＵＥに限定されたＤＬ／ＵＬ  ＣＣを特定ＵＬにおける構成された（ｃｏｎｆｉｇｕｒｅｄ）サービング（ｓｅｒｖｉｎｇ）ＵＬ／ＤＬ  ＣＣと称する。
【００７９】
基地局は端末に構成されたサービングＣＣのうち一部または全部を活性化（ａｃｔｉｖａｔｅ）するか、一部のＣＣを非活性化（ｄｅａｃｔｉｖｅ）することで、端末との通信に使用する。基地局は活性化／非活性化されるＣＣを変更し、活性化／非活性化されるＣＣの個数を変更する。基地局が端末に利用可能なＣＣをセル−特定或いは端末−特定に割り当てると、端末に対するＣＣ割当が全面的に再構成されるか端末がハンドオーバー（ｈａｎｄｏｖｅｒ）しない限り、いったん割り当てられたＣＣのうち少なくとも一つは非活性化されない。端末に非活性化されない一つのＣＣを主ＣＣ（Ｐｒｉｍａｒｙ  ＣＣ、ＰＣＣ）と称し、基地局が自由に活性化／非活性化するＣＣを副ＣＣ（Ｓｅｃｏｎｄａｒｙ  ＣＣ、ＳＣＣ）と称する。ＰＣＣとＳＣＣは制御情報を基準に区分されてもよい。例えば、特定の制御情報は特定のＣＣを介してのみ送受信されるように設定されるが、このような特定ＣＣをＰＣＣと称し、残りのＣＣ（ら）をＳＣＣ（ｓ）と称してもよい。
【００８０】
一方、３ＧＰＰ  ＮＲは無線資源を管理するためにセル（Ｃｅｌｌ）の概念を使用する。セルとは、下りリンク資源（ＤＬ  ｒｅｓｏｕｒｃｅｓ）と上りリンク資源（ＵＬ  ｒｅｓｏｕｒｃｅｓ）の組み合わせ、つまり、ＤＬ  ＣＣとＵＬ  ＣＣの組み合わせで定義される。セルは、ＤＬ資源単独、またはＤＬ資源とＵＬ資源の組み合わせからなる。キャリアアグリゲーションが支援されれば、ＤＬ資源（または、ＤＬ  ＣＣ）のキャリア周波数（ｃａｒｒｉｅｒ  ｆｒｅｑｕｅｎｃｙ）とＵＬ資源（または、ＵＬ  ＣＣ）のキャリア周波数との間のリンケージ（ｌｉｎｋａｇｅ）はシステム情報によって指示される。RRC_CONNECTED状態にあるが、キャリアアグリゲーションが設定されていないかキャリアアグリゲーションを支援しないＵＥの場合、ＰＣｅｌｌでのみ構成されたサービングセルがたった一つ存在する。
【００８１】
上述したように、キャリアアグリゲーションで使用されるセル（Ｃｅｌｌ）という用語は、一つの基地局或いは一つのアンテナグループによって通信サービスが提供される一定地理的領域を指すセル（Ｃｅｌｌ）という用語と区分される。一定地理的領域を指す（Ｃｅｌｌ）とキャリアアグリゲーションのセル（Ｃｅｌｌ）を区分するために、本発明ではキャリアアグリゲーションのセル（Ｃｅｌｌ）をＣＣと称し、地理的領域のセル（Ｃｅｌｌ）をセル（Ｃｅｌｌ）と称する。
【００８２】
図１０は、クロスキャリアスケジューリング技法が適用される例を示す図である。特に、図１０では割り当てられたセル（または、コンポーネントキャリア）の個数は３つであって、上述したようにＣＩＦを利用してクロスキャリアスケジューリング技法が行われる。ここで、下りリンクセル＃０は下りリンク主コンポーネントキャリア（つまり、Ｐｒｉｍａｒｙ  Ｃｅｌｌ、ＰＣｅｌｌ）と仮定し、残りのコンポーネントキャリア＃１及びコンポーネントキャリア＃２は副コンポーネントキャリア（つまり、Ｓｅｃｏｎｄａｒｙ  Ｃｅｌｌ、ＳＣｅｌｌ）と仮定する。
【００８３】
本発明では、端末がキャリアアグリゲーション動作を行う途中で主コンポーネントキャリア（ｐｒｉｍａｒｙ  ｃｏｍｐｏｎｅｎｔ  ｃａｒｒｉｅｒ或いはＰｒｉｍａｒｙ  Ｃｅｌｌ或いはＰＣｅｌｌ）または副コンポーネントキャリア（ｓｅｃｏｎｄａｒｙ  ｃｏｍｐｏｎｅｎｔ  ｃａｒｒｉｅｒ或いはＳＣｅｌｌ）に対する上りリンク資源の効果的な管理方法を提案する。以下では、端末が２つのコンポーネントキャリアを併合して動作する場合を説明するが、３つ以上のコンポーネントキャリアを併合する場合にも適用可能であることは自明である。
【００８４】
図９乃至図１０は３ＧＰＰ  ＬＴＥ−Ａシステムのサブフレーム構造を中心に例示しているが、３ＧＰＰ  ＮＲシステムにも適用可能である。３ＧＰＰ  ＮＲシステムにおいて、図９乃至図１０のサブフレームはスロットに代替されてもよい。
【００８５】
以下、本発明について説明する。説明を理解を助けるために、それぞれの内容を別途に実施例と区分して説明するが、それぞれの実施例は互いに組み合わせられて使用されてもよい。
【００８６】
実施例１：スロットの構成及びそのためのシグナリング
図１１乃至図１２は、ＴＤＤを使用する移動通信システムにおけるスロット構成の一例を示す。
【００８７】
３ＧＰＰ  ＮＲシステムにおいて、基地局はユーザのトラフィックによって柔軟にスロットの構成を変更するが、端末にスロットの構成に関する情報（簡単に、スロット−フォーマット情報）（ｓｌｏｔ  ｆｏｒｍａｔ  ｉｎｆｏｒｍａｔｉｏｎ、ＳＦＩ）をＲＲＣ信号として構成するか、Ｌ１（Ｌａｙｅｒ１）（例えば、ＰＤＣＣＨ）信号に指示する。ここで、スロットの構成に関する情報とは、スロット内のシンボルに関する構成情報を示す。ここで、シンボルはＯＦＤＭシンボルを意味し、ＯＦＤＭシンボルはＣＰ−ＯＦＤＭシンボルまたはＤＦＴ−ｓ−ＯＦＤＭシンボル（或いは、ＳＣ−ＦＤＭ（Ａ）シンボル）を含む。図１１乃至図１２を参照すると、スロット内の各シンボルは下りリンク（ＤＬ）シンボル、上りリンク（ＵＬ）シンボル、Ｕｎｋｎｏｗｎシンボルのうち一つで構成される。ここで、ＵｎｋｎｏｗｎシンボルはＤＬシンボルでもＵＬシンボルでもないシンボルを意味し、使用用途、伝送方向、またはシンボルのタイプ（例えば、ＤＬ、ＵＬ、Ｘ）が変更される（ここで、ＸはＵｎｋｎｏｗｎを示す）。例えば、ＵｎｋｎｏｗｎシンボルはＤＬシンボルでもなくＵＬシンボルでもないシンボルであって、ＤＬシンボル、ＵＬシンボル、またはＵｎｋｎｏｗｎシンボルに変更されてもよい。スロット内のＵｎｋｎｏｗｎシンボルのうち一部／全体は、ＤＬ−ＵＬスイッチングのためのギャップ（ｇｑｐ）として使用されるか、ｇａｐ以外の他の目的に使用される。ＵｎｋｎｏｗｎシンボルはＦｌｅｘｉｂｌｅシンボルと表現されてもよく、本発明ではＦｌｅｘｉｂｌｅシンボルとＵｎｋｎｏｗｎシンボルは互いに混用される。
【００８８】
図１１を参照すると、スロットは複数のシンボルを含み、各シンボルはＤＬシンボル、Ｕｎｋｎｏｗｎシンボル、ＵＬシンボルである。スロットは図２に示したように１４個のシンボルを含むが、説明の便宜上、シンボルの個数を７個に仮定する。図１１のＵｎｋｏｗｎはＤＬ−ＵＬスイッチングギャップを保障するためのシンボルと理解される。図１１の場合、８つのスロット構成（ｆｏｒｍａｔ）を定義する。スロット構成０は、いずれも下りリンクＯＦＤＭシンボルからなる。スロット構成１は、６つの下りリンクシンボルと一つのＵｎｋｏｗｎシンボルからなる。スロット構成２は、５つの下りリンクシンボルと一つのＵｎｋｏｗｎシンボル、一つの上りリンクシンボルからなる。スロット構成３は、４つの下りリンクシンボルと一つのＵｎｋｏｗｎシンボル、２つの上りリンクシンボルからなる。スロット構成４は、３つの下りリンクシンボルと一つのＵｎｋｏｗｎシンボル、３つの上りリンクシンボルからなる。スロット構成５は、２つの下りリンクシンボルと一つのＵｎｋｏｗｎシンボル、４つの上りリンクシンボルからなる。スロット構成６は、一つの下りリンクシンボルと一つのＵｎｋｏｗｎシンボル、５つの上りリンクシンボルからなる。スロット構成７は、７つの上りリンクシンボルからなる。本発明では説明の便宜上、スロット構成０をＤＬ−ｏｎｌｙスロット、スロット構成７をＵＬ−ｏｎｌｙスロットと称する。図１１のスロット構造は、１２個または１４個のＯＦＤＭシンボルからなるスロットに拡張して使用される。また、図１１のスロット構造において、一つのスロットは一つ以上のＵｎｋｏｗｎシンボルを含む。
【００８９】
以下、図１２のスロット構造に基づいて、基地局が端末にスロットの構成情報を知らせる方法について説明する。
【００９０】
端末にスロットの構成情報を知らせる第１方法として、基地局は端末に半−静的（ｓｅｍｉ−ｓｔａｔｉｃ）ＤＬ／ＵＬ割当情報を知らせる。ここで、半−静的ＤＬ／ＵＬ割当情報をスロット内ＤＬ／ＵＬ構成に関する情報を含み、これを半−静的スロット−フォーマット情報（半−静的ＳＦＩ）と称する。基地局は、半−静的ＤＬ／ＵＬ割当情報（または半−静的ＳＦＩ）をセル−特定に送るか（例えば、システム情報ブロック’伝送或いはセル−特定ＲＲＣ情報で伝送）、端末−特定ＲＲＣ信号を介して伝送する。端末は、半−静的ＤＬ／ＵＬ割当情報（または半−静的ＳＦＩ）を受信すれば、後にスロット（ら）がいかなるスロット構成を有するのか分かる。半−静的ＳＦＩは、スロット構成周期に当たるスロットセットに対するスロット構成情報を含み、スロット構成情報はスロットセット単位に繰り返し適用される。半−静的ＤＬ／ＵＬ割当情報（または半−静的ＳＦＩ）は、スロット構成に関する情報、例えば、スロットにおいて各シンボルが下りリンクシンボルであるのか（以下、ＤＬ）、上りリンクシンボルであるのか（以下、ＵＬ）、そして下りリンクシンボルでも上りリンクシンボルでもないＵｎｋｏｗｎシンボルであるのかに関する情報を含む。ちなみに、端末は半−静的ＤＬ／ＵＬ割当情報（または半−静的ＳＦＩ）が指示されていないシンボルは「Ｕｎｋｏｗｎ」が指示されたと仮定する。
【００９１】
本発明の一実施例として、半−静的ＤＬ／ＵＬ割当情報（または半−静的ＳＦＩ）をシグナリングする一方法として、基地局と端末は常に一つのスロットの構成がＤＬシンボル、Ｕｎｋｎｏｗｎシンボル、ＵＬシンボルの順序を有すると仮定して、各スロットのＤＬシンボルの数、ＮＤＬを知らせる。端末は、他のＲＲＣ信号を介してそのスロットのＵｎｋｏｗｎシンボルの数、ＮＵｎｋｎｏｗｎを知る。端末は、そのスロットのＵＬシンボルの数はｍａｘ（０、Ｎｓｙｍｂｏｌ−ＮＤＬ−ＮＵｎｋｎｏｗｎ）で求める。ここで、Ｎｓｙｍｂｏｌは一つのスロットに含まれた全体シンボルの個数であり、ｍａｘ（ｘ、ｙ）はｘ、ｙのうち大きい値を返還する関数である。前記他のＲＲＣ信号を介して構成されたＵｎｋｎｏｗｎシンボルの数は、端末のＤＬ−ＵＬスイッチングのためのＧＡＰに当たるシンボルの数と同じである。ちなみに、前記方式で一つのスロットの半−静的ＤＬ／ＵＬ割当情報（または半−静的ＳＦＩ）を指示するのに必要なビットの数をＫとすると、Ｎｓｙｍｂｏｌ＝１４である際にＮＤＬが有し得る値は０、１、・・・、１４のうち一つの値であるため、Ｋ＝４になり得る。
【００９２】
本発明の一実施例として、半−静的ＤＬ／ＵＬ割当情報（または半−静的ＳＦＩ）をシグナリングする他の方法として、基地局と端末は常に一つのスロットの構成がＤＬシンボル、Ｕｎｋｎｏｗｎシンボル、ＵＬシンボルの順序を有すると仮定して、各スロットのＤＬシンボルの数、ＮＤＬとＵｎｋｎｏｗｎシンボルの数、ＮＵｎｋｎｏｗｎを知らせる。端末は、そのスロットのＵＬシンボルの数はｍａｘ（０、Ｎｓｙｍｂｏｌ−ＮＤＬ−ＮＵｎｋｎｏｗｎ）で求める。ここで、Ｎｓｙｍｂｏｌは一つのスロットに含まれた全体シンボルの数であり、ｍａｘ（ｘ、ｙ）はｘ、ｙのうち大きい値を返還する関数である。基地局が２つのＮＵｎｋｎｏｗｎを使用すると仮定すれば、前記方式で一つのスロットの半−静的ＤＬ／ＵＬ割当情報（または半−静的ＳＦＩ）を指示するのに必要なビットの数をＫとすると、Ｎｓｙｍｂｏｌ＝１４である際にＮＤＬが有し得る値は０、１、・・・、１４を指示するために４ビットが必要となり、２つのＮＵｎｋｎｏｗｎ値を指示するために１ビットが必要となるため、Ｋ＝５になり得る。
【００９３】
本発明の一実施例として、半−静的ＤＬ／ＵＬ割当情報（または半−静的ＳＦＩ）をシグナリングする他の方法として、基地局と端末は常に一つのスロットの構成がＤＬシンボル、Ｕｎｋｎｏｗｎシンボル、ＵＬシンボルの順序を有すると仮定して、各スロットのＤＬシンボルの数、ＮＤＬとＵＬシンボルの数、ＮＵＬを知らせる。端末は、そのスロットのＵｎｋｏｗｎシンボルの数はｍａｘ（０、Ｎｓｙｍｂｏｌ−ＮＤＬ−ＮＵＬ）で求める。ここで、Ｎｓｙｍｂｏｌは一つのスロットに含まれた全体シンボルの数であり、ｍａｘ（ｘ、ｙ）はｘ、ｙのうち大きい値を返還する関数である。前記方式で一つのスロットの半−静的ＤＬ／ＵＬ割当情報（または半−静的ＳＦＩ）を指示するのに必要なビットの数をＫとすると、Ｎｓｙｍｂｏｌ＝１４である際、ＮＤＬとして０、１、・・・、１４、ＮＵＬとして０、１、・・・、１４を使用すると仮定すれば、Ｋ＝８になり得る。
【００９４】
半−静的ＤＬ／ＵＬ割当情報（または半−静的ＳＦＩ）をシグナリングするまた他の方法として、基地局と端末は常に一つのスロットの構成がＤＬシンボル、Ｕｎｋｎｏｗｎシンボル、ＵＬシンボルの順序を有すると仮定して、ＤＬシンボルとＵＬシンボルの数に当たるＸとＹを知らせる。また、更に、１ビットを介してＵＬ−ｃｅｎｔｒｉｃスロットフォーマットであるのかＤＬ−ｃｅｎｔｒｉｃスロットフォーマットであるのかを知らせる。ここで、Ｘが有し得る範囲はＹが有し得る範囲より大きい。例えば、ＸはＸｍｉｎ〜Ｎｓｙｍｂｏｌの値を有してもよく、Ｙは０〜Ｙｍａｘのように制限的な値を有してもよい。ここで、Ｘｍｉｎは０より大きいか同じであり、Ｎｓｙｍｂｏｌより一さいか同じ数である。好ましくは、Ｘｍｉｎ＝７である。ここで、Ｙｍａｘは０より大きいか同じであり、Ｘｍｉｎより小さいか同じである。好ましくは、Ｙｍａｘ＝７である。もし、追加の１ビットがＤＬ−ｃｅｎｔｒｉｃスロットであることを指示すれば、ＮＤＬ＝Ｘであり、ＮＵＬ＝Ｙである。もし、追加の１ビットがＵＬ−ｃｅｎｔｒｉｃスロットであることを指示すれば、ＮＤＬ＝Ｙであり、ＮＵＬ＝Ｘである。端末は、スロットのＵｎｋｏｗｎシンボルの数はｍａｘ（０、Ｎｓｙｍｂｏｌ−ＮＤＬ−ＮＵＬ）で求める。ここで、Ｎｓｙｍｂｏｌは一つのスロットに含まれた全体シンボルの数であり、ｍａｘ（ｘ、ｙ）はｘ、ｙのうち大きい値を返還する関数である。前記方式で一つのスロットの半−静的ＤＬ／ＵＬ割当情報（または半−静的ＳＦＩ）を指示するのに必要なビットの数をＫとすると、Ｎｓｙｍｂｏｌ＝１４である際、Ｘ＝７、８、９、１０、１１、１２、１３、１４を示し、Ｙ＝０、１、２、３、４、５、６、７を示すと仮定すればそれぞれ３ビットずつ必要となり、ＤＬ−ｃａｒｒｉｅｒであるのかＵＬ−ｃａｒｒｉｅｒであるのかを判定するために１ビットが必要なため、Ｋ＝７になり得る。
【００９５】
本発明の一実施例として、半−静的ＤＬ／ＵＬ割当情報（または半−静的ＳＦＩ）をシグナリングする更に他の方法として、基地局と端末は常に一つのスロットの構成がＤＬシンボル、Ｕｎｋｎｏｗｎシンボル、ＵＬシンボルの順序を有すると仮定して、一つのスロット内でＵｎｋｎｏｗｎシンボルが占めるシンボルの開始地点とその長さを知らせる。詳しくは、スロットのシンボルの数をＮｓｙｍｂｏｌとし、Ｎｓｔａｒｔをスロット内でＵｎｋｎｏｗｎシンボルが始まるＯＦＤＭシンボルの位置、Ｌｓｙｍｂｏｌｓを連続して割り当てられたＵｎｋｎｏｗｎシンボルの数とする。また、ＯＦＤＭシンボルの位置は０から始まると仮定する。一つのスロットにおいて、Ｕｎｋｎｏｗｎシンボルが割り当てられている情報を知らせるための値、ＳＩＶ（Ｓｙｍｂｏｌ  ｉｎｄｉｃａｔｉｏｎ  ｖａｌｕｅ）は以下のように決められる。
【００９６】
【数７】
2020511897.tif 000011
【００９７】
ここで、ｆｌｏｏｒ（ｘ）はｘより小さいか同じ数のうち最も大きい整数を返還する関数である。また、ＳＩＶ値は０〜Ｎｓｙｍｂｏｌ＊（Ｎｓｙｍｂｏｌ＋１）／２−１の間の値を有する。例えば、スロットが１４個のシンボルを有し、すべてＵｎｋｎｏｗｎシンボルであれば、Ｎｓｔａｒｔ＝０、Ｌｓｙｍｂｏｌｓ＝１４であるため、ＳＩＶ＝２７である。ＵｎｋｎｏｗｎシンボルがＯＦＤＭシンボル４、５、６に位置すれば、Ｎｓｔａｒｔ＝４、Ｌｓｙｍｂｏｌｓ＝３であるため、ＳＩＶ＝３２である。０〜Ｎｓｙｍｂｏｌ＊（Ｎｓｙｍｂｏｌ＋１）／２−１の間のＳＩＶ値は一つのスロット内に少なくとも一つのＵｎｋｎｏｗｎシンボルが存在すると仮定し、ＤＬ−ｏｎｌｙスロット（つまり、スロットの全てのシンボルがＤＬシンボルであるスロット）とＵＬ−ｏｎｌｙスロット（つまり、スロットの全てのシンボルがＵＬシンボルであるスロット）を指示することができない。
【００９８】
一方、ＳＩＶ値に追加の値を加えて、一つのスロットが全てＤＬシンボルでのみからなること、全てUＬシンボルでのみからなることを指示しすることができる。例えば、全てＤＬシンボルでのみからなるスロットを指示するために、ＳＩＶ＝Ｎｓｙｍｂｏｌ＊（Ｎｓｙｍｂｏｌ＋１）／２を指示してもよく、全てＵＬシンボルでのみからなるスロットを指示するために、ＳＩＶ＝Ｎｓｙｍｂｏｌ＊（Ｎｓｙｍｂｏｌ＋１）／２＋１を指示してもよい。他の例として、全てＵＬシンボルでのみからなるスロットを指示するために、ＳＩＶ＝Ｎｓｙｍｂｏｌ＊（Ｎｓｙｍｂｏｌ＋１）／２を指示してもよく、全てＤＬシンボルでのみからなるスロットを指示するために、ＳＩＶ＝Ｎｓｙｍｂｏｌ＊（Ｎｓｙｍｂｏｌ＋１）／２＋１を指示してもよい。本方式では、ＳＩＶは０〜Ｎｓｙｍｂｏｌ＊（Ｎｓｙｍｂｏｌ＋１）／２＋１の範囲を有する。よって、必要なビット数は、ｃｅｉｌ（ｌｏｇ２（Ｎｓｙｍｂｏｌ＊（Ｎｓｙｍｂｏｌ＋１）／２＋２））ビットである。ここで、ｃｅｉｌ（ｘ）はｘより大きいか同じ数のうち最も小さい整数を返還する関数である。よって、Ｎｓｙｍｂｏｌ＝１４であれば７ビットが必要である。
【００９９】
一方、０〜Ｎｓｙｍｂｏｌ＊（Ｎｓｙｍｂｏｌ＋１）／２＋１の間のＳＩＶ値のうち一部は、一つのスロットが全てＤＬシンボルのみからなることを指示すると解析される。例えば、スロットの最初のＯＦＤＭシンボルがＵｎｋｎｏｗｎシンボルで、残りが全てＵＬであることを指示するＳＩＶ値は、全てＵＬシンボルからなるスロットを指示すると解析される。また、スロットの最後ＯＦＤＭシンボルがＵｎｋｎｏｗｎで、残りが全てＤＬであることを指示するＳＩＶ値は、全てＤＬシンボルからなるスロットを指示すると解析される。
【０１００】
ＳＩＶ方式を利用してスロット構成を指示する際、ＳＩＶに使用されるビットを減らすための方法として、Ｕｎｋｎｏｗｎが位置し得るシンボルの位置を制限する。例えば、一つのスロットに全体Ｎｓｙｍｂｏｌ個のシンボルがあれば、Ｕｎｋｏｗｎは常にＯＦＤＭシンボルＡからＯＦＤＭシンボルＢまでの間にのみ位置し得ると制限してもよい。よって、ＳＩＶ方式は、ＯＦＤＭシンボルＡからＯＦＤＭシンボルＢまでの間のＢ−Ａ＋１個のシンボル内でＵｎｋｎｏｗｎシンボルの開始位置と長さを示す。例えば、Ａ＝６でＢ＝１１であればＳＩＶ値は０〜２０まで表現され、５ビットが必要となる。
【０１０１】
ＳＩＶ方式を利用してスロット構成を指示する際、ＳＩＶに使用されるビットを減らすための方法として、Ｕｎｋｎｏｗｎが占めるシンボルの粒度（ｇｒａｎｕｌａｒｉｔｙ）を制限する。前記では、Ｕｎｋｏｗｎが占めるシンボルは１シンボル単位であった、これをＰシンボル単位に伸ばすことができる。ＳＩＶは、Ｐ個に束ねたＵｎｋｎｏｗｎシンボルグループの開始位置と連続する個数を知らせる。例えば、Ｐ＝２であればＳＩＶに必要なビット数は５ビットに減る。
【０１０２】
半−静的ＤＬ／ＵＬ割当情報（または半−静的ＳＦＩ）をシグナリングする更に他の方法として、スロットは２つのサブ−スロットからなり、基地局と端末は各サブ−スロットは常にＤＬシンボル、Ｕｎｋｎｏｗｎシンボル、ＵＬシンボルの順序を有すると仮定する。各サブ−スロットの構成を知らせる方法として、前記ＳＩＶ方式を利用する。つまり、各サブ−スロット内でＵＬシンボルが始まる位置と終わる位置を知らせる。詳しくは、サブ−スロットのシンボルの数をＮｓｕｂ−ｓｙｍｂｏｌとし、Ｎｓｕｂ−ｓｔａｒｔをサブ−スロット内でＵｎｋｎｏｗｎシンボルが始まるＯＦＤＭシンボルの位置、Ｌｓｕｂ−ｓｙｍｂｏｌｓを連続して割り当てられたＯＦＤＭシンボルの数とする。また、ＯＦＤＭシンボルの位置は０から始まると仮定する。一つのサブ−スロットにおいて、Ｕｎｋｎｏｗｎシンボルが割り当てられている情報を知らせるための値、ＳＩＶは以下のように決められる。
【０１０３】
【数８】
2020511897.tif 000012
【０１０４】
ここで、ＳＩＶ値は０〜Ｎｓｕｂ−ｓｙｍｂｏｌ＊（Ｎｓｕｂ−ｓｙｍｂｏｌ＋１）／２−１の間の値を有する。０〜Ｎｓｕｂ−ｓｙｍｂｏｌ＊（Ｎｓｕｂ−ｓｙｍｂｏｌ＋１）／２−１の間のＳＩＶ値は、一つのサブ−スロット内に少なくとも一つのＵｎｋｎｏｗｎシンボルが存在すると仮定する。
【０１０５】
一方、ＳＩＶ値に追加の値を加えて、一つのサブ−スロットが全てＤＬシンボルでのみからなること、全てUＬシンボルでのみからなることを指示しすることができる。例えば、全てＤＬシンボルでのみからなるサブ−スロットを指示するために、ＳＩＶ＝Ｎｓｕｂ−ｓｙｍｂｏｌ＊（Ｎｓｕｂ−ｓｙｍｂｏｌ＋１）／２を指示してもよく、全てＵＬシンボルでのみからなるサブ−スロットを指示するために、ＳＩＶ＝Ｎｓｕｂ−ｓｙｍｂｏｌ＊（Ｎｓｕｂ−ｓｙｍｂｏｌ＋１）／２＋１を指示してもよい。他の例として、全てＵＬシンボルでのみからなるサブ−スロットを指示するために、ＳＩＶ＝Ｎｓｕｂ−ｓｙｍｂｏｌ＊（Ｎｓｕｂ−ｓｙｍｂｏｌ＋１）／２を指示してもよく、全てＤＬシンボルでのみからなるサブ−スロットを指示するために、ＳＩＶ＝Ｎｓｕｂ−ｓｙｍｂｏｌ＊（Ｎｓｕｂ−ｓｙｍｂｏｌ＋１）／２＋１を指示してもよい。よって、サブ−スロットのフォーマットを示すために必要なビット数は、Ｎｓｕｂ−ｓｙｍｂｏｌ＊ｃｅｉｌ（ｌｏｇ２（Ｎｓｕｂ−ｓｙｍｂｏｌｌ＊（Ｎｓｕｂ−ｓｙｍｂｏｌ＋１）／２＋２））ｂｉｔである。ここで、ｃｅｉｌ（ｘ）はｘより大きいか同じ数のうち最も小さい整数を返還する関数である。よって、Ｎｓｙｍｂｏｌ＝１４でＮｓｕｂ−ｓｙｍｂｏｌ＝７であればサブ−スロット当たり５ビットが必要となり、一つのスロットのために１０ビットが必要となる。
【０１０６】
一方、０〜Ｎｓｕｂ−ｓｙｍｂｏｌ＊（Ｎｓｕｂ−ｓｙｍｂｏｌ＋１）／２−１の間のＳＩＶ値のうち一部は、一つのサブ−スロットが全てＤＬシンボルのみからなることを指示すると解析される。例えば、サブ−スロットの最初のＯＦＤＭシンボルがＵｎｋｎｏｗｎシンボルで、残りが全てＵＬであることを指示するＳＩＶ値は、全てＵＬシンボルからなるサブ−スロットを指示すると解析される。また、サブ−スロットの最後ＯＦＤＭシンボルがＵｎｋｎｏｗｎで、残りが全てＤＬであることを指示するＳＩＶ値は、全てＤＬシンボルからなるサブ−スロットを指示すると解析される。
【０１０７】
一つのスロットが２つのサブ−スロットからなる際、一つのスロットのスロット構成情報は２つのサブ−スロットの構成情報で表現されて伝送される。つまり、最初のサブ−スロットの構成情報を示すＳＩＶをＳＶＩ１とし、２番目のサブ−スロットの構成情報を示すＳＩＶをＳＶＩ１２とすれば、端末はＳＩＶ１とＳＩＶ２を介して全体スロットの構成情報を知ることができる。ちなみに、ＳＩＶ１とＳＩＶ２はジョイント符号化されて伝送される。ジョイント符号化の一例として、スロット構成情報はＳＩＶｊｏｉｎｔ−ｅｎｃｏｄｉｎｇ＝ＳＩＶ１＊Ｑ＋ＳＩＶ２の形態に表現される。この際、ＱはＳＩＶ２が有し得る最も大きい値より１大きい値である。端末はＳＩＶｊｏｉｎｔ−ｅｎｃｏｄｉｎｇをＱで割った残りを介してＳＩＶ２を得て、（ＳＩＶｊｏｉｎｔ−ｅｎｃｏｄｉｎｇ−ＳＩＶ２）／Ｑを介してＳＩＶ１を得る。
【０１０８】
前記説明では、ＳＩＶはＵｎｋｎｏｗｎシンボルの開始と終了シンボルを知らせている。同じ方式で、スロットの最後のＤＬシンボルと最初のＵＬシンボルをＳＩＶ方式で指示することができる。
【０１０９】
端末にスロット構成情報を知らせる第２方法として、ＧＣ−ＰＤＣＣＨを介してＳＦＩ、つまり、スロットのシンボルが下りリンクシンボル（ＤＬ）であるのか、上りリンクシンボル（ＵＬ）であるのか、下りリンクシンボルでも上りリンクシンボルでもない（Ｕｎｋｏｗｎ）のかに関する情報を伝達する。ここで、ＳＦＩを有するＧＣ−ＰＤＣＣＨは、従来のＧＣ−ＰＤＣＣＨと区別するために新たなＧＣ−ＲＮＴＩにスクランブルされる。便宜上、これをＳＦＩ−ＲＮＴＩと称する。以下では、ＧＣ−ＰＤＣＣＨを介して伝送されるＳＦＩをＤｙｎａｍｉｃ  ＳＦＩ  ｆｒｏｍ  ＧＣ−ＰＤＣＣＨ、或いはＳＦＩ＿ＧＣ−ＰＤＣＣＨと称する。
【０１１０】
図１３を参照すると、基地局はＬ１信号を利用してスロット構成（或いはスロットフォーマット）を変更し、変更されたスロット構成に関する情報（つまり、Ｄｙｎａｍｉｃ  ＳＦＩ）をＧＣ−ＰＤＣＣＨを介して端末に伝送する。端末はＧＣ−ＰＤＣＣＨからスロット構成情報を受信し、スロット構成情報に応じて無線信号を送受信する。スロット構成情報はＳＦＩ＿ＧＣ−ＰＤＣＣＨが検出された現在のスロット構成に関する情報を伝達する。また、スロット構成情報は、ＳＦＩ＿ＧＣ−ＰＤＣＣＨが検出された現在のスロット構成だけでなく、次にスロット（ら）の構成に関する情報を一度に伝送するか、現在のスロット構成が次のいくつかのスロットまで同じ構成を有することを知らせる情報を伝送するか、現在のスロットと次のスロットの構成情報を伝達する。
【０１１１】
ＳＦＩ＿ＧＣ−ＰＤＣＣＨを介して端末にスロットフォーマットを知らせるために、基地局はＳＦＩ＿ＧＣ−ＰＤＣＣＨが指示可能なスロットフォーマットを端末に予め知らせる。この際、ＳＦＩ＿ＧＣ−ＰＤＣＣＨが指示可能なスロットフォーマットは、端末−特定ＲＲＣ信号を利用して端末に提供される。つまり、端末がＳＦＩ＿ＧＣ−ＰＤＣＣＨを受信してスロットフォーマットを知るためのスロットフォーマットのマッピングテーブルは、端末−特定ＲＲＣ信号で予め構成される。端末−特定ＲＲＣ信号で端末にＳＦＩ＿ＧＣ−ＰＤＣＣＨが指示可能なスロットフォーマットを知らせる方法は、各シンボルごとにＤＬシンボル、ＵＬシンボル、またはＵｎｋｎｏｗｎシンボルであるのかを知らせる方式となり、上述した半−静的ＤＬ／ＵＬ割当情報（または半−静的ＳＦＩ）方式でスロット構成情報を知らせるＳＩＶ方式となる。他の方式として、端末−特定ＲＲＣ信号で端末にＳＦＩ＿ＧＣ−ＰＤＣＣＨが指示可能なスロットフォーマットを知らせる方法として、半−静的ＤＬ／ＵＬ割当情報（または半−静的ＳＦＩ）でＵｎｋｏｗｎと指示したシンボルに対してＤＬ／ＵＬを指示する。例えば、半−静的ＤＬ／ＵＬ割当情報（または半−静的ＳＦＩ）で５つの「Ｕｎｋｏｗｎ」シンボルを指示すれば、ＳＦＩ＿ＧＣ−ＰＤＣＣＨは５つの「Ｕｎｋｏｗｎ」シンボルに対してＤＬであるのか、ＵＬであるのか、または「Ｕｎｋｎｏｗｎ」であるのかを知らせる。次に、ＳＦＩ＿ＧＣ−ＰＤＣＣＨがスロットフォーマットは基地局と端末との間に予め−定義される。
【０１１２】
表３は、基地局が端末に指示するＳＦＩ＿ＧＣ−ＰＤＣＣＨを例示する。表３において、ＤはＤＬシンボルを、ＵはＵＬシンボルを、ＸはＵｎｋｎｏｗｎシンボルを示す。表３のように、一つのスロットで最大２回のＤＬ／ＵＬスイッチングが許容される。
【０１１３】
【表３】
2020511897.tif 000013
【０１１４】
ＳＦＩ＿ＧＣ−ＰＤＣＣＨは、一つのスロットまたは複数個のスロットのスロット構成に関する情報を含む。
【０１１５】
ＳＦＩ＿ＧＣ−ＰＤＣＣＨが一つのスロット構成を含めば、ＳＦＩ＿ＧＣ−ＰＤＣＣＨは「Ｓｌｏｔ＿ｉｎｄｅｘ＿ｏｆｆｓｅｔ」と「Ｓｌｏｔ＿ｆｏｒｍａｔ＿ｉｎｄｅｘ」を含む／指示する。ＳＦＩ＿ＧＣ−ＰＤＣＣＨがＳｌｏｔ＿ｉｎｄｅｘ＿ｏｆｆｓｅｔ＝ｋ、Ｓｌｏｔ＿ｆｏｒｍａｔ＿ｉｎｄｅｘ＝ｉを指示すれば、端末はＳＦＩ＿ＧＣ−ＰＤＣＣＨを以下のように解析する。ＳＦＩ＿ＧＣ−ＰＤＣＣＨがスロットｎで受信されれば、スロットｎ＋ｋはスロットフォーマットｉに従う。ここで、スロットフォーマットｉは、ＲＲＣ信号によって予め指定された複数のスロットフォーマットのうちｉ番目のスロットフォーマットを意味する。「Ｓｌｏｔ＿ｉｎｄｅｘ＿ｏｆｆｓｅｔ」はＳＦＩ＿ＧＣ−ＰＤＣＣＨによって指示されず、ＲＲＣ階層で予め構成される。端末はＲＲＣ階層によって予め構成された「Ｓｌｏｔ＿ｉｎｄｅｘ＿ｏｆｆｓｅｔ」値をＳＦＩ＿ＧＣ−ＰＤＣＣＨを解析するのに使用する。
【０１１６】
端末が複数個のスロット構成情報を知らせる際、ＳＦＩ＿ＧＣ−ＰＤＣＣＨは「Ｓｌｏｔ＿ｎｕｍｂｅｒｓ」と一つの「Ｓｌｏｔ＿ｆｏｒｍａｔ＿ｉｎｄｅｘ」を含む／指示する。ＳＦＩ＿ＧＣ−ＰＤＣＣＨがＳｌｏｔ＿ｎｕｍｂｅｒｓ＝ｋ、Ｓｌｏｔ＿ｆｏｒｍａｔ＿ｉｎｄｅｘ＝ｉを指示すれば、端末はＳＦＩ＿ＧＣ−ＰＤＣＣＨを以下のように解析する。ＳＦＩ＿ＧＣ−ＰＤＣＣＨがスロットｎで受信されれば、スロットｎからｋ個のスロットがスロットフォーマットｉに従う。ここで、スロットフォーマットｉは、表３のｉ番目のスロットフォーマット、またはＲＲＣ信号によって予め指定された複数のスロットフォーマットのうちｉ番目のスロットフォーマットを意味する。
【０１１７】
端末が複数個のスロット構成情報を知らせる際、ＳＦＩ＿ＧＣ−ＰＤＣＣＨは複数個の「Ｓｌｏｔ＿ｆｏｒｍａｔ＿ｉｎｄｅｘ」を含む／指示する。ＳＦＩ＿ＧＣ−ＰＤＣＣＨがＳｌｏｔ＿ｆｏｒｍａｔ＿ｉｎｄｅｘに［ｉ１、ｉ２、・・・、ｉｊ］に当たる値を指示すれば、端末はＳＦＩ＿ＧＣ−ＰＤＣＣＨを以下のように解析する。ＳＦＩ＿ＧＣ−ＰＤＣＣＨがスロットｎで受信されれば、スロットｎからスロットｎ＋ｋ−１は、スロットフォーマットｉ１、スロットフォーマットｉ２、・・・、スロットフォーマットｉｊを順次に従う。ここで、スロットフォーマットｉ１、・・・、ｉｊは、表３のｉ１、・・・、ｉｊ番目のスロットフォーマット、またはＲＲＣ信号によって予め指定された複数のスロットフォーマットのうち、ｉ１、・・・、ｉｊ番目のスロットフォーマットを意味する。
【０１１８】
端末が複数個のスロット構成情報を知らせる際、ＳＦＩ＿ＧＣ−ＰＤＣＣＨは「Ｓｌｏｔ＿ｎｕｍｂｅｒｓ」と複数個の「Ｓｌｏｔ＿ｆｏｒｍａｔ＿ｉｎｄｅｘ」を含む／指示する。ＳＦＩ＿ＧＣ−ＰＤＣＣＨがＳｌｏｔ＿ｎｕｍｂｅｒｓ＝ｋ、Ｓｌｏｔ＿ｆｏｒｍａｔ＿ｉｎｄｅｘに［ｉ１、ｉ２、・・・、ｉｊ］に当たる値を指示すれば、端末はＳＦＩ＿ＧＣ−ＰＤＣＣＨを以下のように解析する。ＳＦＩ＿ＧＣ−ＰＤＣＣＨがスロットｎで受信されれば、スロットｎからスロットｎ＋ｊ＊ｋ−１まで［スロットフォーマットｉ１、スロットフォーマットｉ２、・・・、スロットフォーマットｉｊ］がｋ回繰り返される。他の解析として、ｊがｋの約数であれば、スロットｎからスロットｎ＋ｋ−１まで［スロットフォーマットｉ１、スロットフォーマットｉ２、・・・、スロットフォーマットｉｊ］がｋ／ｊ回繰り返される。ここで、スロットフォーマットｉ１、・・・、ｉｊは、表３のｉ１、・・・、ｉｊ番目のスロットフォーマット、またはＲＲＣ信号によって予め指定された複数のスロットフォーマットのうち、ｉ１、・・・、ｉｊ番目のスロットフォーマットを意味する。
【０１１９】
端末が複数個のスロット構成情報を知らせる際、ＳＦＩ＿ＧＣ−ＰＤＣＣＨは「Ｓｌｏｔ＿ｎｕｍｂｅｒｓ」と複数個の「Ｓｌｏｔ＿ｆｏｒｍａｔ＿ｉｎｄｅｘ」を含む／指示する。ＳＦＩ＿ＧＣ−ＰＤＣＣＨがＳｌｏｔ＿ｎｕｍｂｅｒｓ＝ｋ、Ｓｌｏｔ＿ｆｏｒｍａｔ＿ｉｎｄｅｘに［ｉ１、ｉ２、・・・、ｉｊ］を指示すれば、端末はＳＦＩ＿ＧＣ−ＰＤＣＣＨを以下のように解析する。ＳＦＩ＿ＧＣ−ＰＤＣＣＨがスロットｎで受信されれば、スロットｎ〜スロットｎ＋ｋ−１はスロットフォーマットｉ１、スロットｎ＋ｋ〜スロットｎ＋２＊ｋ−１はスロットフォーマットｉ２、・・・、スロットｎ＋（ｊ−１）＊ｋ〜スロットｎ＋ｊ＊ｋ−１はスロットフォーマットｉｊに従う。他の解析として、ｊがｋの約数であれば、スロットｎ〜スロットｎ＋ｋ／ｊ−１はスロットフォーマットｉ１、スロットｎ＋ｋ／ｊ〜スロットｎ＋２＊ｋ／ｊ−１はスロットフォーマットｉ２、・・・、スロットｎ＋（ｊ−１）＊ｋ／ｊ〜スロットｎ＋ｋ−１はスロットフォーマットｉｊに従う。ここで、スロットフォーマットｉ１、・・・、ｉｊは、表３のｉ１、・・・、ｉｊ番目のスロットフォーマット、またはＲＲＣ信号によって予め指定された複数のスロットフォーマットのうち、ｉ１、・・・、ｉｊ番目のスロットフォーマットを意味する。
【０１２０】
端末が複数個のスロット構成情報を知らせる際、ＳＦＩ＿ＧＣ−ＰＤＣＣＨは複数個の「Ｓｌｏｔ＿ｆｏｒｍａｔ＿ｉｎｄｅｘ」、複数個の「Ａｐｐｌｉｅｄ＿ｓｌｏｔ＿ｆｏｒｍａｔ＿ｉｎｄｅｘ」を含む／指示する。ＳＦＩ＿ＧＣ−ＰＤＣＣＨがＳｌｏｔ＿ｆｏｒｍａｔ＿ｉｎｄｅｘ＝［ｉ１、ｉ２、・・・、ｉｊ］、Ａｐｐｌｉｅｄ＿ｓｌｏｔ＿ｆｏｒｍａｔ＿ｉｎｄｅｘ＝［ａ（１）、ａ（２）、・・・、ａ（ｊ）］を指示すれば、端末はＳＦＩ＿ＧＣ−ＰＤＣＣＨを以下のように解析する。ＳＦＩ＿ＧＣ−ＰＤＣＣＨはスロットｎで受信されれば、スロットｎはスロットフォーマットｉａ（１）、スロットｎ＋１はスロットフォーマットｉａ（２）、・・・、スロットｎ＋ｋ−１はスロットフォーマットｉａ（ｋ）に従う。ここで、ａ（１）、・・・、ａ（ｋ）は、１、・・・、ｊ値のうち一つの値を有する。ここで、スロットフォーマットｉ１、・・・、ｉｊは、表３のｉ１、・・・、ｉｊ番目のスロットフォーマット、またはＲＲＣ信号によって予め指定された複数のスロットフォーマットのうち、ｉ１、・・・、ｉｊ番目のスロットフォーマットを意味する。
【０１２１】
端末が複数個のスロット構成情報を知らせる際、ＳＦＩ＿ＧＣ−ＰＤＣＣＨは複数個の「Ｓｌｏｔ＿ｆｏｒｍａｔ＿ｉｎｄｅｘ」、複数個の「Ａｐｐｌｉｅｄ＿ｓｌｏｔ＿ｉｎｄｅｘ」を含む／指示する。ＳＦＩ＿ＧＣ−ＰＤＣＣＨがＳｌｏｔ＿ｆｏｒｍａｔ＿ｉｎｄｅｘ＝［ｉ１、ｉ２、・・・、ｉｊ］、Ａｐｐｌｉｅｄ＿ｓｌｏｔ＿ｉｎｄｅｘ＝［ｂ（１）、ｂ（２）、・・・、ｂ（ｊ）］を指示すれば、端末はＳＦＩ＿ＧＣ−ＰＤＣＣＨを以下のように解析する。ＳＦＩ＿ＧＣ−ＰＤＣＣＨがスロットｎで受信されれば、スロットｎ+ｂ(１)はスロットフォーマットｉ１、スロットｎ＋ｂ(２)はスロットフォーマットｉ２、・・・、スロットｎ＋ｂ（ｊ）はスロットフォーマットｉｊに従う。ここで、ｂ（１）、・・・、ｂ（ｊ）は順次に増加し、それぞれ負ではない整数値を有する。つまり、ｂ（１）＜ｂ（２）＜・・・＜ｂ（ｊ）。また、スロットフォーマットｉ１、・・・、ｉｊは、表３のｉ１、・・・、ｉｊ番目のスロットフォーマット、またはＲＲＣ信号によって予め指定された複数のスロットフォーマットのうち、ｉ１、・・・、ｉｊ番目のスロットフォーマットを意味する。
【０１２２】
端末が複数個のスロット構成情報を知らせる際、ＳＦＩ＿ＧＣ−ＰＤＣＣＨは複数個の「Ｓｌｏｔ＿ｆｏｒｍａｔ＿ｉｎｄｅｘ」、複数個の「Ａｐｐｌｉｅｄ＿ｓｌｏｔ＿ｉｎｄｅｘ」を含む／指示する。ＳＦＩ＿ＧＣ−ＰＤＣＣＨがＳｌｏｔ＿ｆｏｒｍａｔ＿ｉｎｄｅｘ＝［ｉ１、ｉ２、・・・、ｉｊ］、Ａｐｐｌｉｅｄ＿ｓｌｏｔ＿ｉｎｄｅｘ＝［ｂ（１）、ｂ（２）、・・・、ｂ（ｊ）］を指示すれば、端末はＳＦＩ＿ＧＣ−ＰＤＣＣＨを以下のように解析する。ＳＦＩ＿ＧＣ−ＰＤＣＣＨがスロットｎで受信されれば、スロットｎ+ｂ(１)はスロットフォーマットｉ１、スロットｎ＋ｂ（１）＋ｂ(２)はスロットフォーマットｉ２、・・・、スロットｎ＋ｂ（１）＋ｂ（２）＋・・・＋ｂ（ｊ）はスロットフォーマットｉｊに従う。ここで、ｂ（１）、・・・、ｂ（ｋ）はそれぞれ負ではない整数値のうち一つを有する。また他の解析として、ＳＦＩ＿ＧＣ−ＰＤＣＣＨがスロットｎで受信されれば、スロットｎ−１+ｂ(１)はスロットフォーマットｉ１、スロットｎ−１＋ｂ（１）＋ｂ(２)はスロットフォーマットｉ２、・・・、スロットｎ−１＋ｂ（１）＋ｂ（２）＋・・・＋ｂ（ｊ）はスロットフォーマットｉｊに従う。ここで、ｂ（１）、・・・、ｂ（ｋ）はそれぞれ自然数値を有する。スロットフォーマットｉ１、・・・、ｉｊは、表３のｉ１、・・・、ｉｊ番目のスロットフォーマット、またはＲＲＣ信号によって予め指定された複数のスロットフォーマットのうち、ｉ１、・・・、ｉｊ番目のスロットフォーマットを意味する。
【０１２３】
前記方法において、Ｓｌｏｔ＿ｎｕｍｂｅｒｓはＲＲＣ信号で知らせ、ＳＦＩ＿ＧＣ−ＰＤＣＣＨには含まれない。この場合、端末はＳＦＩ＿ＧＣ−ＰＤＣＣＨを受信した際、ＲＲＣ信号を介して得た「Ｓｌｏｔ＿ｎｕｍｂｅｒｓ」を利用してスロット構成情報を知る。他の方法として、Ｓｌｏｔ＿ｎｕｍｂｅｒｓはＳＦＩ＿ＧＣ−ＰＤＣＣＨが伝送される周期に応じて決定される。例えば、端末がＤｙｎａｍｉｃ  ＳＦＩが伝送されるＧＣ−ＰＤＣＣＨを４スロットごとにモニタリングすれば、Ｓｌｏｔ＿ｎｕｍｂｅｒｓは４つのスロットである。
【０１２４】
前記方法において、スロットは、半−静的ＳＦＩで構成した少なくとも一つのＵｎｋｎｏｗｎシンボルを含むスロットに対置して説明してもよい。つまり、前記ＳＦＩ＿ＧＣ−ＰＤＣＣＨで指示したスロットフォーマットは、半−静的ＳＦＩで構成した少なくとも一つのＵｎｋｎｏｗｎシンボルを含むスロットに順次に適用される。
【０１２５】
端末にスロット構成情報を知らせる第３方法として、ＵＳ−ＰＤＣＣＨのＤＣＩを利用してスケジューリングされたスロットの構成を知ることができる。例えば、ＤＣＩがＤＬ信号またはチャネル（例えば、ＰＤＳＣＨまたはＣＳＩ−ＲＳ）スケジューリング情報を含んでいれば、端末はスロット内でＤＬ信号またはチャネルがスケジューリングされているシンボルをＤＬシンボルと仮定する。これに限らないが、ＤＣＩはＰＤＳＣＨの開始位置と長さに関する情報を含んでもよい。また、ＤＣＩがＵＬ信号またはチャネル（例えば、ＰＵＳＣＨまたはＳＲＳ）スケジューリング情報を含んでいれば、端末はスロット内でＵＬ信号またはチャネルがスケジューリングされているシンボルをＵＬシンボルと仮定する。これに限らないが、ＤＣＩはＰＵＳＣＨの開始位置と長さに関する情報を含んでもよい。前記（ＤＬ／ＵＬ  ｇｒａｎｔ）ＤＣＩは、Ｃ−ＲＮＴＩでスクランブルされたＤＣＩである。以下では、ＵＳ−ＰＤＣＣＨを介して伝送されるスロット構成情報をＤｙｎａｍｉｃ  ＳＦＩ  ｆｒｏｍ  ＵＳ−ＰＤＣＣＨ、或いはＳＦＩ＿ＵＳ−ＰＤＣＣＨと称する。ＳＦＩ＿ＵＳ−ＰＤＣＣＨは、スロット内でスケジューリングされたＯＦＤＭシンボル（ら）に関する構成情報を提供する。本明細書では発明の理解を助けるために信号とチャネルを区別して記載しているが、信号は一般にチャネルを介して伝送される信号を含み、信号／チャネルは信号と通称する。
【０１２６】
図１４を参照すると、基地局が下りリンクスケジューリング情報を伝達するＳＦＩ＿ＵＳ−ＰＤＣＣＨにおいて、ＰＤＳＣＨの開始ＯＦＤＭシンボルインデックス及び終了ＯＦＤＭシンボルインデックス、またはその情報を知ることができる情報を知らせる。端末は、ＳＦＩ＿ＵＳ−ＰＤＣＣＨの受信に成功したらＰＤＳＣＨの開始ＯＦＤＭシンボルインデックス及び終了ＯＦＤＭシンボルインデックス、またはその情報を知ることができる情報がわかり、スケジューリング情報に合わせてレート−マッチングしてＰＤＳＣＨを受信する。図１４を参照すると、端末のためのＰＤＳＣＨがスケジューリングされるスロットは、ＳＦＩ＿ＵＳ−ＰＤＣＣＨ伝送スロットと同じスロットであるスロットｎである。また、端末のためのＰＤＳＣＨがスケジューリングされるスロットは、ＳＦＩ＿ＵＳ−ＰＤＣＣＨが伝送された後のｎ＋ｋ（ここで、ｋは1以上の整数）番目のスロットになってもよく、或いはＳＦＩ＿ＵＳ−ＰＤＣＣＨが伝送されたｎ番目のスロットからｎ＋Ｌ−１（ここで、Ｌはスロットアグリゲーションを仮定すれば、端末に割り当てられたＰＤＳＣＨが伝送されるスロットの個数を意味する）までのスロットになってもよい。端末のためにＰＤＳＣＨがスケジューリングされるスロットのインデックスは、ＰＤＳＣＨをスケジューリングするＳＦＩ＿ＵＳ−ＰＤＣＣＨから伝送される。よって、端末は前記ＰＤＳＣＨが形成されたシンボルをＤＬシンボルと仮定する。
【０１２７】
図１４を参照すると、基地局が上りリンクスケジューリング情報を伝達するＳＦＩ＿ＵＳ−ＰＤＣＣＨにおいて、ＰＵＳＣＨの開始ＯＦＤＭシンボルインデックス及び終了ＯＦＤＭシンボルインデックス、またはその情報を知ることができる情報を知らせる。端末は、ＳＦＩ＿ＵＳ−ＰＤＣＣＨの受信に成功したらＰＵＳＣＨの開始ＯＦＤＭシンボルインデックス及び終了ＯＦＤＭシンボルインデックス、またはその情報を知ることができる情報がわかり、スケジューリング情報に合わせてレート−マッチングしてＰＵＳＣＨを受信する。図１４を参照すると、端末のためのＰＵＳＣＨがスケジューリングされるスロットは、ＳＦＩ＿ＵＳ−ＰＤＣＣＨ伝送スロットと同じスロットであるスロットｎである。また、端末のためのＰＵＳＣＨがスケジューリングされるスロットは、ＳＦＩ＿ＵＳ−ＰＤＣＣＨが伝送された後のｎ＋ｋ（ここで、ｋは1以上の整数）番目のスロットになってもよく、或いはＳＦＩ＿ＵＳ−ＰＤＣＣＨが伝送されたｎ＋ｋ番目（ここで、ｋは０より大きい整数）のスロットからｎ＋ｋ＋Ｌ−１（ここで、Ｌはスロットアグリゲーションを仮定すれば、端末に割り当てられたＰＵＳＣＨが伝送されるスロットの個数を意味する）までのスロットになってもよい。端末のためにＰＵＳＣＨがスケジューリングされるスロットのインデックスは、ＰＵＳＣＨをスケジューリングするＳＦＩ＿ＵＳ−ＰＤＣＣＨから伝送される。よって、端末は前記ＰＵＳＣＨが形成されたシンボルをＵＬシンボルと仮定する。
【０１２８】
他の例として、基地局はＳＦＩ＿ＧＣ−ＰＤＣＣＨを介してスロット構成情報の一部を伝送し、残りの部分をスケジューリング情報を伝達するＳＦＩ＿ＵＳ−ＰＤＣＣＨを伝送する。端末はＳＦＩ＿ＧＣ−ＰＤＣＣＨを受信し、ＳＦＩ＿ＵＳ−ＰＤＣＣＨを受信する際、スロットフォーマット／構成を知る。詳しくは、構成可能なスロット構成指示情報を２つのステップに区分して伝達することであって、第1ステップ（グループ共通）では全体構成の一部のセットを指示し、第２ステップで該当セット内の特定構成を指示する。図１１を参照すると、基地局は８つのスロット構成を２つずつ束ねて、４つのスロット構成情報をＳＦＩ＿ＧＣ−ＰＤＣＣＨを介して送り、２つのスロット構成のうち一つはＳＦＩ＿ＵＳ−ＰＤＣＣＨを介して伝達する。端末はＳＦＩ＿ＧＣ−ＰＤＣＣＨから受信された２つずつ束ねられて伝達されたスロット構成情報と、ＳＦＩ＿ＵＳ−ＰＤＣＣＨから受信された２つのスロット構成のうち一つを知らせる情報を利用して全体のスロット構成を知る。前記方式を介し、ＳＦＩ＿ＧＣ−ＰＤＣＣＨとＳＦＩ＿ＵＳ−ＰＤＣＣＨを介してスロット構成情報を送る制御オーバーヘッドを減らすことができる。
【０１２９】
端末は、伝達遅延（ｐｒｏｐａｇａｔｉｏｎ  ｄｅｌａｙ）のため上りリンク信号を下りリンク信号より早く伝送する。これをＴｉｍｉｎｇ  ａｄｖａｎｃｅ（ＴＡ）と称し、ＴＡのための値はＲＲＣ信号に設定される。よって、端末は下りリンクシンボルの直後に上りリンクシンボルが配置されれば、下りリンクシンボルにおける受信と上りリンクシンボルにおける送信を同時にしなければならない。これを解決するために、端末に下りリンクシンボルと上りリンクシンボルとの間にDL−ｔｏ−ＵＬスイッチングのためのＧＡＰシンボルが必要となる。ＧＡＰシンボルをＵｎｋｎｏｗｎシンボルで示してもよい。よって、端末にＤＬシンボルとＵＬシンボルとの間にＵｎｋｎｏｗｎシンボルなしにスロットが構成されれば、スロットにＵｎｋｎｏｗｎシンボルを挿入する必要がある。
【０１３０】
図１５と図１６を参照すると、ＤＬ−ｏｎｌｙスロット（例えば、スロットｎ＋ｋ）を割り当てられた端末は、次のスロット（例えば、スロットｎ＋ｋ＋１）がＵＬ−ｏｎｌｙスロットからなることを知ったら、ＤＬ−ｏｎｌｙスロットの最後のＧ個のＯＦＤＭシンボルはパンクチャリング（ｐｕｎｃｔｕｒｉｎｇ）されるか受信されない。ここで、ＧはＤＬとＵＬとの間のギャップであって、端末またはセルごとに異なる値であってもよく、端末と基地局が予め知っている値であってもよい。Ｇは、ＯＦＤＭシンボルの個数または一定時間区間で表現される。
【０１３１】
図１７を参照すると、端末は、スケジューリングされる時点（例えば、スロットｎ）にＧＣ−ＰＤＣＣＨまたはスケジューリング情報が入ったＵＳ−ＰＤＣＣＨを介して未来のスロット（例えば、スロットｎ＋ｋ＋１）の構成としてＵＬ−ｏｎｌｙを割り当てられ、割り当てられたＵＬ−ｏｎｌｙスロットの直前のスロット（例えば、スロットｎ＋ｋ）でＧＣ−ＰＤＣＣＨが伝送／受信される。この際、ＵＬ−ｏｎｌｙスロットの直前のスロット（例えば、スロットｎ＋ｋ）のＧＣ−ＰＤＣＣＨはＵＬ−ｏｎｌｙスロットの前のスロット構成を知らせ、端末はＵＬ−ｏｎｌｙスロットの直前のスロット（例えば、スロットｎ＋ｋ）がＤＬ−ｏｎｌｙスロットであるのかを知るために、ＵＬ−ｏｎｌｙスロットの直前のスロット（例えば、スロットｎ＋ｋ）から受信されたＧＣ−ＰＤＣＣＨのスロット構成情報を利用する。
【０１３２】
図１８を参照すると、端末は、スケジューリングされる時点（例えば、スロットｎ）にＧＣ−ＰＤＣＣＨまたはスケジューリング情報が入ったＵＳ−ＰＤＣＣＨを介して未来のスロット（例えば、スロットｎ＋ｋ＋１）の構成としてＵＬ−ｏｎｌｙを割り当てられ、割り当てられたＵＬ−ｏｎｌｙスロットの前のスロット（例えば、スロットｎ＋ｋ、ｎ＋ｋ−１、・・・）のうち少なくとも一つ（例えば、スロットｎ＋ｋ−ｉ）でＧＣ−ＰＤＣＣＨが伝送／受信される。この場合、前記ＧＣ−ＰＤＣＣＨはＵＬ−ｏｎｌｙスロット（例えば、スロットｎ＋ｋ＋１）の直前のスロット構成を知らせ、端末はＵＬ−ｏｎｌｙスロットの直前のスロット（例えば、スロットｎ＋ｋ）がＤＬ−ｏｎｌｙスロットであるのかを知るために割り当てられたＵＬ−ｏｎｌｙスロットの前の最も近いスロットから受信されたＧＣ−ＰＤＣＣＨのスロット構成情報を利用する。
【０１３３】
図１７と図１８を参照すると、ＵＬ−ｏｎｌｙスロットを割り当てられた端末は前のスロットがＤＬ−ｏｎｌｙスロットからなることを知ったら、ＵＬ−ｏｎｌｙスロットの最初のＧ個のＯＦＤＭシンボルをパンクチャリングするか伝送しない。ここで、ＧはＤＬとＵＬとの間のギャップであって、端末またはセルごとに異なる値、またはセルごとに異なる値であってもよく、端末と基地局が予め知っている値であってもよい。Ｇは、ＯＦＤＭシンボルの個数または一定時間区間で表現される。一例として、Ｇが端末ごとに異なる値を有すれば、基地局と端末との間に設定されたＴＡ値を利用してＧが決定される。ＴＡ値が小さい端末のＧ値は一つのＯＦＤＭシンボルで与えられ、ＴＡ値が大きい端末のＧ値は２つのＯＦＤＭシンボルで与えられる。
【０１３４】
実施例２：スロット構成情報オーバーライド（ｏｖｅｒｒｉｄｅ）
上述したように、スロット構成情報を端末に知らせる３つの方法、（i）半−静的ＳＦＩ、（ii）ＳＦＩ＿ＧＣ−ＰＤＣＣＨ、（iii）ＳＦＩ＿ＵＳ−ＰＤＣＣＨが存在する。上述したように、半−静的ＳＦＩはＲＲＣ信号からなるスロット構成情報であり、ＳＦＩ＿ＧＣ−ＰＤＣＣＨとＳＦＩ＿ＵＳ−ＰＤＣＣＨはＬ１信号からなるスロット構成情報である。半−静的ＳＦＩには、スロットのシンボルをＤＬシンボル、ＵＬシンボル、またはＵｎｋｎｏｗｎシンボルに指示する情報がある。ＳＦＩ＿ＧＣ−ＰＤＣＣＨには、スロットのシンボルをＤＬシンボル、ＵＬシンボル、またはＵｎｋｎｏｗｎシンボルに指示する情報がある。ＳＦＩ＿ＵＳ−ＰＤＣＣＨには、スロットのシンボルをＤＬシンボル、またはＵＬシンボルに指示する情報がある。端末はＲＲＣ信号とＬ１信号を受信したら、スロットのシンボルがＤＬシンボル、ＵＬシンボル、Ｕｎｋｎｏｗｎシンボルのうちどのシンボルであるのかを判断すべきであり、判断されたシンボルに応じて信号伝送可否を決定すべきである。
【０１３５】
本発明において、半−静的ＳＦＩで設定した下りリンクシンボルと上りリンクシンボルは、ＳＦＩ＿ＧＣ−ＰＤＣＣＨまたはＳＦＩ＿ＵＳ−ＰＤＣＣＨによって他の方向に指示されるか、Ｕｎｋｏｗｎに指示なれない。しかし、半−静的ＳＦＩで設定したＵｎｋｏｗｎシンボルは、ＳＦＩ＿ＧＣ−ＰＤＣＣＨまたはＳＦＩ＿ＵＳ−ＰＤＣＣＨによって他の方向に指示される。よって、本発明で解決しようとする問題は、特別な記載がない限り、半−静的ＳＦＩでＵｎｋｏｗｎに構成したシンボルに関する。
【０１３６】
ＳＦＩ＿ＧＣ−ＰＤＣＣＨ間のオーバーライド
本発明で解決しようとする問題のうち一つは、一つのスロットに関する構成情報が複数のＳＦＩ＿ＧＣ−ＰＤＣＣＨで受信されるように構成される際、端末が複数のＳＦＩ＿ＧＣ−ＰＤＣＣＨを解析する方法に関する。
【０１３７】
図１３と図１９を参照すると、基地局はＳＦＩ＿ＧＣ−ＰＤＣＣＨを介して、（i）現在のスロットのみのためのスロット構成情報、（ii）現在のスロットと次のスロットに関する構成情報、または（iii）現在のスロット及び未来のＮ個のスロットのスロット構成情報を含む。端末はＳＦＩ＿ＧＣ−ＰＤＣＣＨから伝送されるスロット構成情報に応じて、現在のスロットまたは現在のスロットの後のＮ個のスロット構成をＳＦＩ＿ＧＣ−ＰＤＣＣＨを受信する際に知るように設定される。ここで、Ｎは１以上の整数である。Ｎは動的に変更されるか、ＲＲＣに設定されるか、ＲＲＣに設定されたセット内で基地局が端末に動的に指示する。図１９を参照すると、ＳＦＩ＿ＧＣ−ＰＤＣＣＨが複数のスロット構成情報を伝達する際、一つのスロットのスロット構成情報が複数のＳＦＩ＿ＧＣ−ＰＤＣＣＨによって伝送される。本発明の一例として、端末が基地局が端末から一つのスロットの構成情報に関するＳＦＩ＿ＧＣ−ＰＤＣＣＨを複数個受信すれば、基地局と端末は以下のように動作する。
−複数個のＳＦＩ＿ＧＣ−ＰＤＣＣＨのうち最も最近に受信に成功したＳＦＩ＿ＧＣ−ＰＤＣＣＨの情報を利用し、ＤＬシンボル、ＵＬシンボル、またはＵｎｋｎｏｗｎシンボルを判断して下りリンク伝送を受信するか、上りリンクの送信を行う。つまり、複数個のＳＦＩ＿ＧＣ−ＰＤＣＣＨのうち一つのＳＦＩ＿ＧＣ−ＰＤＣＣＨの受信に成功したら、そのＳＦＩ＿ＧＣ−ＰＤＣＣＨの情報を利用してＤＬシンボル、ＵＬシンボル、またはＵｎｋｎｏｗｎシンボルを判断する。つまり、端末は一つのスロットに対して複数個のＳＦＩ＿ＧＣ−ＰＤＣＣＨが同じＤＬシンボル、ＵＬシンボル、またはＵｎｋｎｏｗｎシンボルの構成を指示すると仮定する。
−複数個のＳＦＩ＿ＧＣ−ＰＤＣＣＨのうち最も最近に受信するように構成されたＳＦＩ＿ＧＣ−ＰＤＣＣＨの情報を利用し、ＤＬシンボル、ＵＬシンボル、またはＵｎｋｎｏｗｎシンボルを判断して下りリンク伝送を受信するか、上りリンクの送信を行う。つまり、複数個のＳＦＩ＿ＧＣ−ＰＤＣＣＨの最も最新のＳＦＩ＿ＧＣ−ＰＤＣＣＨの受信に成功したら、そのＳＦＩ＿ＧＣ−ＰＤＣＣＨの情報を利用してＤＬシンボル、ＵＬシンボル、またはＵｎｋｎｏｗｎシンボルを判断する。端末は前のＳＦＩ＿ＧＣ−ＰＤＣＣＨのが指示したＤＬシンボル、ＵＬシンボル、またはＵｎｋｎｏｗｎシンボルがこの後ＳＦＩ＿ＧＣ−ＰＤＣＣＨで変更され得ると仮定する。
【０１３８】
例えば、連続した２つのスロットにおいて、或いは連続した周期のスロットでスロット構成情報の変更に関するＧＣ−ＰＤＣＣＨを受信するようにする際、一つは受信し他の一つは受信できないことがある。例えば、１）２つのスロットにおいて、先行スロットではＳＦＩ＿ＧＣ−ＰＤＣＣＨを受信できず、後行スロットではＳＦＩ＿ＧＣ−ＰＤＣＣＨを受信するか、２）逆に、２つのスロットにおいて、先行スロットではＳＦＩ＿ＧＣ−ＰＤＣＣＨを受信し、後行スロットではＳＦＩ＿ＧＣ−ＰＤＣＣＨを受信できない可能性がある。この場合、端末は受信に成功したＳＦＩ＿ＧＣ−ＰＤＣＣＨで指示した構成情報を端末動作に活用する。一方、１）と２）の場合、端末は基地局からスロット構成情報を受信することに失敗したと仮定する。これによって、端末はスロット構成情報を変更／更新せずに端末が現在有するスロット構成情報を利用して、スケジューリングされた下りリンクの受信や上りリンクの送信を行う。或いは、１）と２）の場合であっても、ＳＦＩ＿ＧＣ−ＰＤＣＣＨを受信したスロットを基準に、基地局から連続してスロット構成情報の変更に関するＳＦＩ＿ＧＣ−ＰＤＣＣＨを受信した場合と同じく、下記３つの方式で端末の下りリンクの受信、及び上りリンクの伝送を行う。
−ＧＣ−ＰＤＣＣＨを受信したスロットの次のスロットから、基地局は変更されたスロット構成情報を利用して下りリンクの伝送を行うか上りリンクの受信を行い、端末は変更されたスロット構成情報を仮定して、下りリンクの受信、及び上りリンクの伝送を行う。
−周期的に設定された伝送区間において、ＧＣ−ＰＤＣＣＨを受信した次の周期のスロットから始まって、基地局は変更されたスロットの構成情報を利用して下りリンクの伝送を行うか上りリンクの受信を行うようにし、端末は変更されたスロット構成情報を仮定して、下りリンクの受信、及び上りリンクの伝送を行う。
−ＧＣ−ＰＤＣＣＨを受信したスロットから始まって、基地局は変更されたスロット構成情報を利用して下りリンクの伝送を行うか上りリンクの受信を行い、端末は変更されたスロット構成情報を仮定して下りリンクの受信、及び上りリンクの伝送を行う。
【０１３９】
ＳＦＩ＿ＧＣ−ＰＤＣＣＨとＳＦＩ＿ＵＳ−ＰＤＣＣＨとの間のオーバーライド
本発明の提案において、スロット構成情報はＳＦＩ＿ＧＣ−ＰＤＣＣＨ及び／またはＳＦＩ＿ＵＳ−ＰＤＣＣＨから伝送される。本発明が解決しようとする問題のうち他の一つは、一つの端末がＳＦＩ＿ＧＣ−ＰＤＣＣＨとＳＦＩ＿ＵＳ−ＰＤＣＣＨを受信すれば、ＳＦＩ＿ＧＣ−ＰＤＣＣＨで指示したスロット構成に関する情報とＳＦＩ＿ＵＳ−ＰＤＣＣＨで指示したスロット構成に関する情報と異なる場合の端末の動作に関する。
【０１４０】
図１３と図１４を参照すると、端末はＳＦＩ＿ＧＣ−ＰＤＣＣＨのスロット構成情報（例えば、スロット内のシンボル構成情報）を介してスロットの構成を知り（図１３）、ＳＦＩ＿ＵＳ−ＰＤＣＣＨのスケジューリング情報（例えば、ＤＬ／ＵＬスケジューリングされたＯＦＤＭシンボルセット）を利用してスケジューリングされたスロットの構成を知る（図１４）。同じスロットに対し、前記２つの情報を介して得たスロットの構成は同じであってもよく、異なってもよい。
【０１４１】
一方、（スケジューリングされたシンボルに対して）ＳＦＩ＿ＧＣ−ＰＤＣＣＨから伝送されるスロット構成情報とＳＦＩ＿ＵＳ−ＰＤＣＣＨから伝送されるスロット構成情報が互いに合わなければ、端末はＳＦＩ＿ＵＳ−ＰＤＣＣＨを優先し、受信に成功したＳＦＩ＿ＧＣ−ＰＤＣＣＨから伝送されたスロット構成情報を捨てる。つまり、端末はＳＦＩ＿ＧＣ−ＰＤＣＣＨ内のスロット構成情報は検出されていないと仮定し（例えば、ＳＦＩ＿ＧＣ−ＰＤＣＣＨ検出後の動作をスキップ／取り消し）、ＳＦＩ＿ＵＳ−ＰＤＣＣＨ内のスケジューリング情報とスロット構成情報に応じて下りリンクの受信動作や上りリンクの送信動作を行う。つまり、ＳＦＩ＿ＧＣ−ＰＤＣＣＨとＳＦＩ＿ＵＳ−ＰＤＣＣＨの衝突可否とは関係なく、端末は常にＳＦＩ＿ＵＳ−ＰＤＣＣＨを介してスケジューリングされた通りにＰＵＳＣＨ伝送またはＰＤＳＣＨ受信を行う。一方、本方案はシンボル単位で適用される。例えば、端末は衝突シンボルに対してのみＳＦＩ＿ＧＣ−ＰＤＣＣＨが検出されていないと仮定する。
【０１４２】
他の方案として、（スケジューリングされたシンボルに対して）ＳＦＩ＿ＵＳ−ＰＤＣＣＨから受信されたスケジューリング情報がＳＦＩ＿ＧＣ−ＰＤＣＣＨから受信した構成情報とは異なければ端末はＳＦＩ＿ＵＳ−ＰＤＣＣＨによるスケジューリング情報を無視し、該当スケジューリングによる上りリンクの伝送（例えば、ＰＵＳＣＨ）或いは下りリンクの受信（例えば、ＰＤＳＣＨ）を行わない。
【０１４３】
一例として、ＳＦＩ＿ＵＳ−ＰＤＣＣＨのスケジューリング情報が知らせたＰＤＳＣＨ受信区間（ＯＦＤＭシンボル）がＳＦＩ＿ＧＣ−ＰＤＣＣＨのスロット構成情報によるＤＬ構成と一致しなければ、端末はＳＦＩ＿ＵＳ−ＰＤＣＣＨから受信されたスケジューリング情報がＧＣ−ＰＤＣＣＨから受信された（スロット構成）情報と異なると判断する。例えば、図１１と図１４を参照すると、ＳＦＩ＿ＧＣ−ＰＤＣＣＨがスロット構成３を指示すれば、ＳＦＩ＿ＵＳ−ＰＤＣＣＨがＰＤＳＣＨの終了位置が４番目のＯＦＤＭシンボルと知らせる場合にのみ、ＳＦＩ＿ＧＣ−ＰＤＣＣＨのスロット構成情報とＳＦＩ＿ＵＳ−ＰＤＣＣＨのスケジューリング情報が一致すると判断し、端末はＳＦＩ＿ＵＳ−ＰＤＣＣＨのスケジューリング情報に応じてＰＤＣＣＨの受信を行う。
【０１４４】
類似して、ＳＦＩ＿ＵＳ−ＰＤＣＣＨのスケジューリング情報が知らせたＰＵＳＣＨ送信区間（ＯＦＤＭシンボル）がＧＣ−ＰＤＣＣＨのスロット構成情報によるＤＬ構成と一致しなければ、端末はＳＦＩ＿ＵＳ−ＰＤＣＣＨから受信されたスケジューリング情報がＳＦＩ＿ＧＣ−ＰＤＣＣＨから受信された（スロット構成）情報と異なると判断する。例えば、図１１と図１４を参照すると、ＳＦＩ＿ＧＣ−ＰＤＣＣＨがスロット構成３を指示すれば、ＳＦＩ＿ＵＳ−ＰＤＣＣＨでＰＵＳＣＨの開始位置が６番目のＯＦＤＭシンボルと知らせる場合にのみ、ＳＦＩ＿ＧＣ−ＰＤＣＣＨのスロット構成情報とＳＦＩ＿ＵＳ−ＰＤＣＣＨのスケジューリング情報が一致すると判断し、端末はＳＦＩ＿ＵＳ−ＰＤＣＣＨのスケジューリング情報に応じてＰＵＣＣＨの送信を行う。
【０１４５】
他の例として、ＳＦＩ＿ＵＳ−ＰＤＣＣＨのＤＬスケジューリング情報が知らせたＯＦＤＭシンボルの開始位置、長さ、或いは終了位置がＳＦＩ＿ＧＣ−ＰＤＣＣＨのスロット構成情報によるＤＬ構成に含まれておらず、Ｕｎｋｏｗｎシンボルと重なれば、端末はＳＦＩ＿ＵＳ−ＰＤＣＣＨから受信されたスケジューリング情報がＳＦＩ＿ＧＣ−ＰＤＣＣＨから受信された情報と異なると判断する。例えば、ＳＦＩ＿ＧＣ−ＰＤＣＣＨは下りリンクのＤＬ伝送が４番目のＯＦＤＭシンボルからなると指示し、ＳＦＩ＿ＵＳ−ＰＤＣＣＨはＰＤＳＣＨが該当区間を超えて７番目のＯＦＤＭシンボルにも存在すると指示すれば、端末はＰＤＳＣＨの受信を行わない（例えば、受信動作をスキップ／取り消し）。
【０１４６】
類似して、ＳＦＩ＿ＵＳ−ＰＤＣＣＨのＵＬスケジューリング情報が知らせたＯＦＤＭシンボルの開始位置、長さ、或いは終了位置がＳＦＩ＿ＧＣ−ＰＤＣＣＨのスロット構成情報によるＵＬ構成に含まれておらず、Ｕｎｋｏｗｎシンボルと重なれば、端末はＳＦＩ＿ＵＳ−ＰＤＣＣＨから受信されたスケジューリング情報がＳＦＩ＿ＧＣ−ＰＤＣＣＨから受信された情報と異なると判断する。例えば、ＳＦＩ＿ＧＣ−ＰＤＣＣＨが図１１のスロット構成３を指示し、ＳＦＩ＿ＵＳ−ＰＤＣＣＨはＰＵＳＣＨの開始位置を５番目のＯＦＤＭシンボルと知らせたら、端末はＰＵＳＣＨ送信を行わない（例えば、受信動作をスキップ／取り消し）。
【０１４７】
説明の便宜上、以下では「ＳＦＩ＿ＵＳ−ＰＤＣＣＨから受信されたスケジューリング情報がＳＦＩ＿ＧＣ−ＰＤＣＣＨから受信された（スロット構成）情報と異なる場合」を、「（スロット構成）違背」が発生したと表現する。
【０１４８】
図２０を参照すると、基地局が端末にｎ番目のスロットからＳＦＩ＿ＵＳ−ＰＤＣＣＨを伝送し、そのＳＦＩ＿ＵＳ−ＰＤＣＣＨが（ｎ＋ｋ）番目（ここで、ｋは１以上の整数）スロットにＰＤＳＣＨを割り当てれば、受信されたＳＦＩ＿ＵＳ−ＰＤＣＣＨからＰＤＳＣＨを割り当てられた端末はＰＤＳＣＨの受信可否を決定するために、上述したスロット構成違背可否を判断すべきである。本発明の一例として、下りリンクがスケジューリングされたスロットにＳＦＩ＿ＧＣ−ＰＤＣＣＨが伝送されれば、端末はＳＦＩ＿ＵＳ−ＰＤＣＣＨかのスロット構成情報とＳＦＩ＿ＵＳ−ＰＤＣＣＨのスケジューリング情報を利用して違背可否を判断する。図２０において、ＳＦＩ＿ＵＳ−ＰＤＣＣＨがスロットｎから伝送され、ＰＤＳＣＨの伝送がスロットｎ＋ｋにスケジューリングされれば、端末はスロットｎ＋ｋで受信されたＳＦＩ＿ＧＣ−ＰＤＣＣＨを利用して違背可否を確認する。
【０１４９】
図２１を参照すると、ＰＵＳＣＨ（ＰＤＳＣＨ）がスケジューリングされたスロットでＳＦＩ＿ＧＣ−ＰＤＣＣＨが伝送されないか受信されなければ（ＵＬ−ｏｎｌｙスロットのケース）、端末は最も最近に受信したＳＦＩ＿ＧＣ−ＰＤＣＣＨのスロット構成情報とＳＦＩ＿ＵＳ−ＰＤＣＣＨのスケジューリング情報を利用して、スケジューリングされたスロットの違背可否を判断する。図２１のように、スロットｎ〜スロットｎ＋ｋがスケジューリングされ、スロットｎ＋ｋ−ｉでＳＦＩ＿ＧＣ−ＰＤＣＣＨが受信され、スロットｎ＋ｋ−ｉ＋１〜スロットｎ＋ｋでＳＦＩ＿ＧＣ−ＰＤＣＣＨが受信されなければ、端末はスロットｎ＋ｋ−ｉで受信されたＳＦＩ＿ＧＣ−ＰＤＣＣＨを利用してスロットｎ＋ｋ−ｉ＋１〜スロットｎ＋ｋの違背可否を判断する。
【０１５０】
端末は、スケジューリングされる時点（例えば、スロットｎ）にＳＦＩ＿ＧＣ−ＰＤＣＣＨまたはスケジューリング情報が入ったＳＦＩ＿ＵＳ−ＰＤＣＣＨを介して未来のスロット（例えば、スロットｎ＋ｋ）の構成としてＤＬ−ｏｎｌｙを割り当てられ、割り当てられたＤＬ−ｏｎｌｙスロット（例えば、スロットｎ＋ｋ）でＳＦＩ＿ＧＣ−ＰＤＣＣＨが伝送／受信される。この場合、ＤＬ−ｏｎｌｙスロットのＳＦＩ＿ＧＣ−ＰＤＣＣＨはＤＬ−ｏｎｌｙスロットの後のスロット構成を知らせ、端末はＤＬ−ｏｎｌｙスロットの直後のスロット（例えば、スロットｎ＋ｋ＋１）がＵＬ−ｏｎｌｙスロットであるのかを知るために、ＳＦＩ＿ＧＣ−ＰＤＣＣＨのスロット構成情報を利用する。
【０１５１】
端末は、スケジューリングされる時点（例えば、スロットｎ）にＧＣ−ＰＤＣＣＨまたはスケジューリング情報が入ったＵＳ−ＰＤＣＣＨを介して未来のスロット（例えば、スロットｎ＋ｋ）の構成としてＤＬ−ｏｎｌｙを割り当てられ、割り当てられたＤＬ−ｏｎｌｙスロット（例えば、スロットｎ＋ｋ）でＧＣ−ＰＤＣＣＨが伝送／受信されない。この場合、ＤＬ−ｏｎｌｙスロットの前の最も近いスロット（例えば、スロットｎ＋ｋ−ｉ）で受信されたＧＣ−ＰＤＣＣＨがＤＬ−ｏｎｌｙスロットの後のスロット構成を知らせ、端末はＤＬ−ｏｎｌｙスロットの直後のスロット（例えば、スロットｎ＋ｋ＋１）がＵＬ−ｏｎｌｙスロットであるのかを知るために、前記ＧＣ−ＰＤＣＣＨのスロット構成情報を利用する。
【０１５２】
クロス−スロットスケジューリングが設定されれば、基地局からＵＬ（或いはＤＬ）スケジューリング情報を受信した端末の動作は以下のようである。端末は特定スロットに対するスケジューリング情報（つまり、ＵＳ−ＰＤＣＣＨ）を受信すれば、該当スロットの構成が変更されたのかを確認するために、基地局からＵＳ−ＰＤＣＣＨが受信さ得たスロットの後のスロットからスケジューリングされたスロットまでＧＣ−ＰＤＣＣＨをモニタリングする。前記モニタリングするスロットをモニタリング区間（ｍｏｎｉｔｏｒｉｎｇ  ｉｎｔｅｒｖａｌ）と称する。端末は、モニタリング区間の間にＧＣ−ＰＤＣＣＨを受信できなければ、ＵＳ−ＰＤＣＣＨのスケジューリング情報に応じてスケジューリングされたスロットからＰＵＳＣＨの送信（或いはＰＤＳＣＨの受信）を行う。端末は、モニタリング区間の間ＧＣ−ＰＤＣＣＨを一つ以上受信されば（スケジューリングされたスロットを基準に）最も最近に受信したＧＣ−ＰＤＣＣＨから知らせるスロット構成と前記スケジューリング情報に応じてＰＤＳＣＨの受信及びＰＵＳＣＨの送信を行うか行わない（例えば、関連動作をスキップ／取り消し）。
【０１５３】
図１９、図２２、図２３は、スケジューリング情報を受信した端末の動作を示す。端末は、スロットｎでＵＳ−ＰＤＣＣＨを介してスロットｎ＋３にＰＤＳＣＨの受信またはＰＵＳＣＨの送信をスケジューリングされる。この際、ＵＳ−ＰＤＣＣＨはスロットｎ＋３のスロット構成がＡと知らせる。端末はＵＳ−ＰＤＣＣＨを受信した後のスロットからスケジューリングされたスロットまでのスロット、つまり、スロットｎ＋１、スロットｎ＋２、スロットｎ＋３をモニタリング区間として設定する。端末は、モニタリング区間の間にＧＣ−ＰＤＣＣＨをモニタリングする。この際、スロットｎ＋１、スロットｎ＋２、スロットｎ＋３において、スロットｎ＋３のスロット構成情報を伝送するＧＣ−ＰＤＣＣＨがそれぞれ受信される。ここで、スロットｎ＋１、スロットｎ＋２、スロットｎ＋３のＧＣ−ＰＤＣＣＨは、スロットｎ＋３のスロット構成をそれぞれスロットフォーマットＢ、スロットフォーマットＣ、スロットフォーマットＤに指示する。この場合、端末はスロットｎ＋３に最も近い情報、つまり、ｎ＋３のスロット構成をスロットフォーマットＤと判定する。それによって、端末は、（i）スロットフォーマットＤによるスロット構成と、（ii）スロットｎで受信されたスケジューリング情報に基づいて、スロットｎ＋３でＰＤＳＣＨの受信やＰＵＳＣＨの送信を行うか行わない（例えば、関連動作をスキップ／取り消し）。もし、モニタリング区間の間にＧＣ−ＰＤＣＣＨが受信されなければ、端末はスロットｎでスケジューリングされた情報に応じてスロットｎ＋３でＰＤＳＣＨの受信やＰＵＳＣＨの送信を行う。
【０１５４】
前記スケジューリング情報に応じてＰＤＳＣＨの受信またはＰＵＳＣＨの送信を行うか行わない一例として、端末はＰＤＳＣＨ（ＰＵＳＣＨ）がスケジューリングされている際、ＰＤＳＣＨ（ＰＵＳＣＨ）が割り当てられているＯＦＤＭシンボルがモニタリング区間内で最も最近に受信されたＧＣ−ＰＤＣＣＨで依然としてＤＬ（ＵＬ）で構成されていれば、ＰＤＳＣＨの受信（ＰＵＳＣＨの送信）を行う。前記スケジューリング情報に応じてＰＤＳＣＨの受信またはＰＵＳＣＨの送信を行うか行わない他の例として、端末はＰＤＳＣＨ（ＰＵＳＣＨ）がスケジューリングされる際に知ったスロット構成とモニタリング区間内で最も最近に受信したＧＣ−ＰＤＣＣＨを介して知ったスロット構成が同じであればＰＤＳＣＨの受信（ＰＵＳＣＨの送信）を行い、異なればＰＤＳＣＨの受信（ＰＵＳＣＨの送信）を行わない。ＧＣ−ＰＤＣＣＨとＵＳ−ＰＤＣＣＨのスロット構成情報が異なれば、ＵＬ伝送は干渉信号を生成する恐れがあるため禁止し、ＤＬの受信のみを許容してもよい。ここでは、ＵＳ−ＰＤＣＣＨを介してスケジューリングされたＰＤＳＣＨ／ＰＵＳＣＨを挙げて説明したが、本発明は（非）周期的に送受信される参照信号、ＵＣＩ、ＳＲＳなどの上り／下りリンク制御信号にも適用される。この際、該当制御信号が伝送されるＯＦＤＭシンボルまたはＲＢ単位で同じ動作を構成する。ここで、非周期的信号の伝送はＵＳ−ＰＤＣＣＨを介してスケジューリングされる。
【０１５５】
他の実施例として、ＵＳ−ＰＤＣＣＨを介して下りリンクまたは上りリンクスケジューリング情報と共にスロット構成情報を伝送する。この場合、端末のスロット判定方法は以下のようである。
【０１５６】
図２４は、ＵＳ−ＰＤＣＣＨにスロット構成情報を含む場合の動作を例示する。図１１のスロットフォーマットを知らせる場合、ＵＳ−ＰＤＣＣＨに内のスロット構成情報のビットサイズは３ビットである。一方、スロットのフォーマット／構成がＤＬ及びＵＬのみに限らず、ＤＬ、ＵＬ、ａｎｙ、ｓｉｄｅｌｉｎｋ、ｂｌａｎｋなどの構成があってもよい。この場合、スロット構成情報の数に依存してスロット構成情報のビットサイズが決定される。図２４を参照すると、ＣＲＣチェックを介してＧＣ−ＰＤＣＣＨ（スロット構成情報）の受信／検出に成功したら（Ｓ２４０２、Ｓ２４０４、ｙｅｓ）、端末（ら）はＵＳ−ＰＤＣＣＨから伝送されるスロット構成情報（例えば、３ビット情報）を使用せず、ＧＣ−ＰＤＣＣＨのスロット構成情報に応じて該当スロットで上りリンクの伝送と下りリンクの受信を行う（Ｓ２４０６）。一方、ＣＲＣチェックを介してＧＣ−ＰＤＣＣＨの受信／検出には失敗したが（Ｓ２４０２、Ｓ２４０４、ｎｏ）、ＵＳ−ＰＤＣＣＨのＣＲＣチェックには成功したら（Ｓ２４０８）、端末はＵＳ−ＰＤＣＣＨ内のスロット構成情報（例えば、３ビット情報）を使用してスロット内のシンボルの上りリンク／下りリンク／Ｕｎｋｏｗｎ構成を知り（Ｓ２４１０、ｙｅｓ）、それに基づいて該当スロットで上りリンクの伝送と下りリンクの受信を行う（Ｓ２４１２）。もし、ＵＳ−ＰＤＣＣＨからスロット構成情報を読み取ることができなければ、端末は該当スロットで上りリンクの伝送と下りリンクの受信を行わない（Ｓ２４１４）。一方、図面の例示とは異なって、端末はＧＣ−ＰＤＣＣＨ（スロット構成情報）を受信せず、ＵＳ−ＰＤＣＣＨのみを受信してスロット構成を知る。つまり、ＵＳ−ＰＤＣＣＨ（スロット構成情報）の受信／検出に成功したら、端末はＧＣ−ＰＤＣＣＨ（スロット構成情報）を受信しなくてもよい。ここで、ＧＣ−ＰＤＣＣＨ（スロット構成情報）を受信しないということは、ＧＣ−ＰＤＣＣＨのデコーディングをスキップするか、（ＵＳ−ＰＤＣＣＨ（スロット構成情報）がスケジューリングするシンボルセットに対しては）ＧＣ−ＰＤＣＣＨの検出に成功してもスロット構成情報による動作をスキップ／取り消すことを含む。また、ＧＣ−ＰＤＣＣＨ（スロット構成情報）が複数のスロットに関する構成情報を有したら、ＧＣ−ＰＤＣＣＨを受信しないということは、ＵＳ−ＰＤＣＣＨがスケジューリングするスロットに対してのみ極限的に適用される。
【０１５７】
一方、上りリンクまたは下りリンクスケジューリング情報が伝送されるＵＳ−ＰＤＣＣＨ内のスロット構成情報は、基地局が伝送し得るスロット構成の場合の数に応じて決定される。より詳しくは、ＵＳ−ＰＤＣＣＨから伝送されるスロット構成情報は、ＧＣ−ＰＤＣＣＨから伝送されるスロット構成情報と同じである。図１１を参照すると、ＧＣ−ＰＤＣＣＨ内のスロット構成情報は８つのスロット構成のうち一つを指示し、ＵＳ−ＰＤＣＣＨ内のスロット構成情報は同じ情報を伝達する。一方、ＵＳ−ＰＤＣＣＨ内のスロット構成情報を介しては、ＧＣ−ＰＤＣＣＨから伝送し得る場合の数より少ない場合の数が伝送される。一例として、図１１を参照すると、ＧＣ−ＰＤＣＣＨ内のスロット構成情報は８つのスロット構成のうち一つを指示し、ＵＳ−ＰＤＣＣＨ内のスロット構成情報は４つのスロット構成（例えば、８つのスロット構成０〜７のうち特定の４つのスロット構成）のうち一つを２ビットで指示する。
【０１５８】
他の例として、下りリンクスケジューリング情報が伝送されるＵＳ−ＰＤＣＣＨにおいて、スロット構成情報はスロットで下りリンクＯＦＤＭシンボルが終わる位置を知らせる。例えば、基地局がスロット構成５を使用すれば、２番目のＯＦＤＭシンボルまで下りリンクが伝送されることを知らせる。下りリンクでスケジューリングされた端末は、スロット構成情報（例えば、３ビット）から下りリンクＯＦＤＭシンボルの終了時点を知り、前記情報を利用して下りリンクの受信に成功する。また、上りリンクでスケジューリングされた端末は、スロット構成情報から下りリンクＯＦＤＭシンボルの終了時点を知り、ＧＰ構成に応じて上りリンクＯＦＤＭシンボルの開始時点を知る。
【０１５９】
また、上りリンクスケジューリング情報が伝送されるＵＳ−ＰＤＣＣＨにおいて、スロット構成情報はスロットで上りリンクＯＦＤＭシンボルが始まる位置を知らせる。例えば、ロット構成５を使用すれば、4番目のＯＦＤＭシンボルから上りリンクの伝送が始まることを知らせる。上りンクでスケジューリングされた端末は、スロット構成情報から上りリンクＯＦＤＭシンボルの開始時点を知り、前記情報を利用して上りリンクの送信に成功する。類似して、下りリンクでスケジューリングされた端末は、スロット構成情報から上りリンクＯＦＤＭシンボルの開始時点を知り、ＧＰ構成に応じて下りリンクＯＦＤＭシンボルの終了時点を知る。
【０１６０】
基地局と端末が半−静的ＳＦＩを知っていれば、上述したスロット構成情報は、基地局が使用したスロット構成が半−静的ＳＦＩと同じであるのか否かを１ビットで知られる。スロット構成情報が０であれば、基地局が使用したスロット構成が半−静的ＳＦＩと同じであり、スロット構成情報が１であれば、基地局が使用したスロット構成が半−静的ＳＦＩとは異なることを知らせる。端末は、スロット構成情報に応じてＵＳ−ＰＤＣＣＨでスケジューリング下情報による動作を行うか否かを決定する。前記スロット構成情報が０であれば、基地局が使用したスロット構成が半−静的ＳＦＩと同じであるため、端末は半−静的ＳＦＩに基づいて、スケジューリングされた上りリンクの伝送または下りリンクの受信を行う。前記スロット構成情報が１であれば、基地局が使用したスロット構成が半−静的ＳＦＩと異なるため、端末はスケジューリングされた上りリンクの伝送または下りリンクの受信を行わない。
【０１６１】
基地局と端末が半−静的ＳＦＩを知っていれば、上述したスロット構成情報は、半−静的ＳＦＩに応じて決定される。一例として、半−静的ＳＦＩがスロット構成情報ｉを示し、ＵＳ−ＰＤＣＣＨで異なる４つのスロット構成を知らせるためのスロット構成情報が２ビット情報であれば、００はスロット構成情報ｉを、０１はスロット構成情報ｉ＋ｊ１を、１０はスロット構成情報ｉ＋ｊ２を、１１はスロット構成情報ｉ＋ｊ３を示す。ここで、ｉ１、ｉ２、ｉ３は異なるスロット構成情報を知らせるのに使用されるが、半−静的ＳＦＩ及び構成情報に応じて予め決定される。つまり、４つの異なるスロットフォーマット情報を知らせるが、そのうち一つは半−静的ＳＦＩと同じくなるように（ビット００）設定する。端末は、半−静的ＳＦＩを利用して、ＵＳ−ＰＤＣＣＨでスケジューリングした上りリンクの伝送または下りリンクの受信を行う。他の例として、スロット構成情報を知らせることとは異なって、ＤＬやＵＬのシンボル数に対する増加及び減少を指定する方法が考慮される。つまり、本動作は半−静的ＳＦＩで指示したスロット構成に比べスロット構成を変える動作（ｏｐｅｒａｔｉｏｎ）に対することであり、例えば、ＤＬの増加を指定する。一例として、半−静的ＳＦＩがＤＬ（ａ）／Ｕｎｋｏｗｎ（１）／ＵＰ（６−ａ）であれば、基地局はａに対して１増加／２増加／１減少／そのままの４つのオープションを有する。基地局は選択されたオープションを２ビット情報で端末に伝送することで、予め−定義されたスロットフォーマット及び構成情報の変更ではなく、ＤＬ／ＵＬの数を柔軟に変更する。
【０１６２】
基地局と端末が半−静的ＳＦＩを知っていれば、スロット構成情報はＵＳ−ＰＤＣＣＨで知らせる端末の動作と半−静的ＳＦＩに応じて決定される。例えば、ＵＳ−ＰＤＣＣＨはスケジューリング情報による下りリンクの受信や上りリンクの送信を半−静的ＳＦＩを仮定して行うことができるのかを端末に知らせる。より詳しくは、ＵＳ−ＰＤＣＣＨ内の１ビットのスロット構成情報が０に設定されていれば、半−静的ＳＦＩを仮定してＵＳ−ＰＤＣＣＨのスケジューリング情報の応じて下りリンクの受信動作を行うか、上りリンクの伝送動作を行う。一方、ＵＳ−ＰＤＣＣＨ内の１ビットのスロット構成情報が１に設定されていれば、端末はＵＳ−ＰＤＣＣＨのスケジューリング情報にかかわらず、下りリンクの受信と上りリンクの伝送に関する動作をいずれも行わない。
【０１６３】
図１１を参照すると、半−静的ＳＦＩで構成したスロット構成が４であり、基地局がスロット構成５を使用すれば、上りリンクスケジューリングされた端末は５、６、７番目のＯＦＤＭシンボルを利用して上りリンクの伝送を行う。この場合、基地局は４番目のＯＦＤＭシンボルを上りリンクに割り当てたが、端末はＤＬ−ＵＬスイッチングギャップで使用する。よって、この場合、基地局はＵＳ−ＰＤＣＣＨ内の１ビットのスロット構成情報を０に設定して、該当スロットで端末が上りリンクの送信を行うようにし、基地局は端末からの該当上りリンクの受信を行う。しかし、半−静的ＳＦＩで構成したスロットが４で、基地局がスロット構成３を使用すれば、上りリンクスケジューリングされた端末は半−静的ＳＦＩで構成したスロット構成では伝送できない可能性がある。よって、この場合、基地局はＵＳ−ＰＤＣＣＨ内の１ビットのスロット構成情報を１に設定し、該当スロットで端末が上りリンクに送信を行わないようにする。図１１を参照すると、半−静的ＳＦＩで構成したスロット構成が４であり、基地局がスロット構成３を使用すれば、上りリンクスケジューリングされた端末は２、３番目のＯＦＤＭシンボルを利用し下りリンクの受信を行う。この場合、基地局は４番目のＯＦＤＭシンボルを下りリンクに割り当てたが、端末はこれを無視して受信する。よって、この場合、基地局はＵＳ−ＰＤＣＣＨ内の１ビットのスロット構成情報を０に設定して、該当スロットで端末が下りリンクで受信を行うようにし、基地局は端末からの該当下りリンクの受信を行う。しかし、半−静的ＳＦＩで構成したスロットが４で、基地局がスロット構成５を使用すれば、下りリンクスケジューリングされた端末は下りリンクの受信ができない可能性がある。この場合、基地局はＵＳ−ＰＤＣＣＨ内の１ビットのスロット構成情報を１に設定し、該当スロットで端末が下りリンクで受信を行わないようにする。
【０１６４】
基地局は端末が半−静的ＳＦＩを知っていれば、ＵＳ−ＰＤＣＣＨ内のスロット構成情報は前記ＵＳ−ＰＤＣＣＨが上りリンクの伝送に関するのか、下りリンクの伝送に関するのかと、半−静的ＳＦＩに応じて決定される。例えば、下りリンクスケジューリングされた端末には、半−静的ＳＦＩに従う際に下りリンクの伝送をモニタリングしてだめな区間（例えば、ＵＬ）をモニタリングする際に対するスロット構成のみを知らせ、上りリンクスケジューリングされた端末には、半−静的ＳＦＩに従う際に上りリンクの送信をしてだめな区間（例えば、ＤＬ）に送信する際に対するスロット構成のみを知らせる。例えば、図１１を参照すると、半−静的ＳＦＩで構成したスロット構成としてスロット構成４を使用すれば、上りリンクスケジューリングされた端末にはスロット構成５、６、７に対する情報のみスロット構成情報として伝達し、下りリンクスケジューリングされた端末にはスロット構成０、１、２に対するスロット構成情報のみ伝達する。本方式は、半−静的ＳＦＩで構成したスロット構成に応じて必要なスロット構成情報のサイズが異なり得る。また、上りリンク、下りリンクに応じて必要なスロット構成情報のサイズが異なり得る。
【０１６５】
端末にスロット構成を知らせるために、ＵＳ−ＰＤＣＣＨを異なるＲＮＴＩにスクランブルして送る。一つの端末にスロット構成を知らせるために一つ以上のＲＮＴＩを割り当てるか、割り当てられた一つのＲＮＴＩを利用して多数個のＲＮＴＩを生成する。例えば、一つのＲＮＴＩから決められたパターンのインターリーバー（ｉｎｔｅｒｌｅａｖｅｒ）を利用し、いくつかのＲＮＴＩを生成してもよい。また、一つのＲＮＴＩから決められたパターンのスクランブルを利用していくつかのＲＮＴＩを生成してもよい。端末において、ＲＮＴＩを生成するためのパターンは基地局と端末との間に予め約束されている。異なるＲＮＴＩうちからあるＲＮＴＩにスクランブルされたＵＳ−ＰＤＣＣＨを検出することで、スロットフォーマット及びスロット構成を知ることができる。
【０１６６】
本方式で使用されるＲＮＴＩは、スロット構成に応じて決定される。ここで、ＲＮＴＩは、スロット構成情報を指示するために定義された端末−特定ＲＮＴＩを意味する。図５と図１１を参照すると、基地局は現在のスロット構成に応じて８つのＲＮＴＩのうち一つを選択し、ＵＳ−ＰＤＣＣＨをスクランブルする。一例として、下りリンクをスケジューリングするＵＳ−ＰＤＣＣＨに使用するＲＮＴＩは、下りリンクＯＦＤＭシンボルが終わる位置に応じて決定される。また、上りリンクをスケジューリングするＰＤＣＣＨに使用するＲＮＴＩは、上りリンクＯＦＤＭシンボルが始まる位置に応じて決定される。また、本方式で、ＲＮＴＩは半−静的ＳＦＩで構成したスロット構成に応じて決定される。基地局と端末が半−静的ＳＦＩで構成したスロット構成を知っていれば、図５と図１１を参照すると、ＲＮＴＩは基地局の現在のスロット構成と半−静的ＳＦＩで構成したスロット構成の相対的な差に応じて決定される。例えば、半−静的ＳＦＩで構成したスロット構成がスロット構成ｉで４つのＲＮＴＩを使用することができれば、最初のＲＮＴＩは半−静的ＳＦＩで構成したスロット構成であるスロット構成ｉを、２番目のＲＮＴＩはスロット構成ｉ＋ｊ１を、３番目のＲＮＴＩはスロット構成ｉ＋ｊ２を、４番目のＲＮＴＩはスロット構成ｉ＋ｊ３を知らせる。ここで、ｊ１、ｊ２、ｊ３は異なるスロット構成を知らせるために予め決定される。つまり、４つの異なるスロットフォーマット情報を知らせるが、そのうち一つは半−静的ＳＦＩと同じくなるように（例えば、ビット００）設定する。基地局と端末が半−静的ＳＦＩで構成したスロット構成を知っていれば、本方式において、ＲＮＴＩはＵＳ−ＰＤＣＣＨで知らせる端末の動作と半−静的ＳＦＩで構成したスロット構成に応じて決定される。一例として、２つのＲＮＴＩを使用することができる場合、最初のＲＮＴＩを使用すれば半−静的ＳＦＩで構成したスロット構成を仮定してＵＳ−ＰＤＣＣＨでスケジューリングした動作を行い、２番目のＲＮＴＩを使用すればＵＳ−ＰＤＣＣＨでスケジューリングした動作を行わない。他の例として、スロット構成情報を知らせることとは異なって、ＤＬやＵＬのシンボルの個数に対する増加及び減少を指定する。つまり、半−静的ＳＦＩに比べスロットフォーマットを変える動作に対することであり、例えば、ＤＬの増加を指定する。例えば、半−静的ＳＦＩがＤＬ（ａ）／Ｕｎｋｏｗｎ（１）／ＵＰ（６−ａ）であれば、基地局はａに対して１増加／２増加／１減少／そのままの４つのオープションを有する。基地局は４つのオープションのうち一つを２ビット情報で伝送することで、予め−定義されたスロットフォーマット及び構成情報の変更ではなく、ＤＬ／ＵＬの数を柔軟に変更する。
【０１６７】
図２５は、ＲＮＴＩを利用してスロット構成を知らせる際の受信器のブロック図である。受信器はＤＭ−ＲＳパターンを利用してチャネルを推定及び補償するステップ（Ｓ２５０２）と、（ＱＰＳＫ）復調ステップ（Ｓ２５０４）と、チャネルデコーディングステップ（Ｓ２５０６）と、できる限りのＲＮＴＩでＣＲＣをチェックするステップ（Ｓ２５０８）と、ＣＲＣチェックに応じてＰＤＣＣＨ復号の成功を判定する過程（Ｓ２５１０）と、からなる。受信器は、スロット構成を知らせるのに使用可能な全てのＲＮＴＩを利用してＣＲＣをチェックする。この際、たった一つのＣＲＣのみ有効で（ｖａｌｉｄ）、残りの全てのＣＲＣが有効ではなければ、有効なＣＲＣを提供したＲＮＴＩからスロット構成情報及び対応する動作を知る。ここで、ＲＮＴＩは、スロット構成情報を指示するために定義された端末−特定ＲＮＴＩを意味する。
【０１６８】
図２６は、基地局が使用したスロット構成と端末が使用したスロット構成が異なる際に発生し得る状況を示す。図２６において、ａｃｔｕａｌスロットフォーマットは基地局が実施際に使用しているスロット構成であり、ＵＥ  ｄｅｃｉｓｉｏｎは端末が認知しているスロット構成である。上述したように、基地局はスロット構成を端末（ら）に知らせるために、ＧＣ−ＰＤＣＣＨ（Ｄｙｎａｍｉｃ  ＳＦＩ）を伝送する。しかし、特定端末は基地局から伝送されたＧＣ−ＰＤＣＣＨ（Ｄｙｎａｍｉｃ  ＳＦＩ）の受信に失敗する。この場合、端末は基地局がスロット構成を知らせるためにＧＣ−ＰＤＣＣＨを伝送したのかが分からないため、端末は基地局が使用すると予想される巣ロト構成で動作する。
【０１６９】
図２６（ａ）を参照すると、基地局はスロット構成２を使用し、端末はスロット構成０を使用する際（図１１を参照）、下りリンクスケジューリングされた端末は全てのスロットが下りリンクＯＦＤＭシンボルであると判断して信号を受信する。よって、端末は下りリンクに割り当てられていない２つのＯＦＤＭシンボルでも信号を受信するため、下りリンク信号の復号に失敗する確率が高くなり、端末エネルギーを浪費してしまう。また、下りリンクに割り当てられていない２つのＯＦＤＭシンボルに当たるＬＬＲ（Ｌｏｇ  Ｌｉｋｅｌｉｈｏｏｄ  Ｒａｔｉｏ）値をソフトバッファに貯蔵していれば、再電送の際に性能劣化が発生する恐れがある。前記問題以外にも、下りリンク再電送のための資源消耗が発生する恐れがある。図２６（ｂ）を参照すると、基地局はスロット構成４を使用し、端末はスロット構成５を使用する際（図１１を参照）、上りリンクスケジューリングされた端末は4番目のＯＦＤＭシンボルから上りリンク伝送を始める。しかし、基地局のスロット構成によると、５番目のＯＦＤＭシンボルから上りリンク伝送であるため、前記間違った端末の上りリンク伝送のため基地局は上りリンク信号を受信することが難しい。また、下りリンク−上りリンク緩衝を防ぐためのＧＰに間違った上りリンク信号が送信されるため、下りリンクを受信する周辺端末に緩衝が発生し、周辺端末の下りリンク受信性能が劣化する恐れがある。
【０１７０】
上述した問題点を解決るための一例として、端末はＧＣ−ＰＤＣＣＨから伝送されるスロット構成情報を成功的に受信できなければ（つまり、ＧＣ−ＰＤＣＣＨを未検出）、端末はスケジューリングされた上りリンクシンボルにおける送信を行わないか、スケジューリングされた下りリンクシンボルを受信しないか、上りリンクの送信と下りリンクの受信を両方とも行わない。下りリンクでスケジューリングされた下りリンクシンボルをユーザが受信しなければ、基地局はＨＡＲＱ再電送を介して更に情報を伝送する。上りリンクでスケジューリングされた上りリンクシンボルをユーザが送信しなければ、基地局は更に上りリンクスケジューリング情報を伝送し、端末が上りリンクの伝送を行うようにする。しかし、上述した方式はスケジューリングされたスロットで割り当てられた資源を使用しないため資源の浪費が発生し、再電送または再スケジューリング方式を必要とするため、追加の遅延時間が発生してしまう。
【０１７１】
他の例として、基地局は予め使用する半−静的ＳＦＩを定義する。端末はＧＣ−ＰＤＣＣＨを介して伝送されるスロット構成情報を成功的に受信すると（つまり、ＧＣ−ＰＤＣＣＨを検出）、指示されたスロットフォーマットに応じて動作する。一方、端末はＧＣ−ＰＤＣＣＨを介して伝送されるスロット構成情報を成功的に受信できなければ（つまり、ＧＣ−ＰＤＣＣＨを未検出）、半−静的ＳＦＩに応じて上りリンクの送信または下りリンクの受信を行う。
【０１７２】
ＳＦＩと周期的（ｐｅｒｉｏｄｉｃ）信号間のオーバーライド＃１
本発明が解決しようとする問題のうち一つは一つの端末にＲＲＣで構成された周期的信号の伝送／受信可否を判断する方法であって、ＳＦＩ＿ＧＣ−ＰＤＣＣＨのスロット構成に関する情報を利用するシンボルの方向を決定する端末の動作に関する。ここで取り扱う問題は、ＳＦＩ＿ＧＣ−ＰＤＣＣＨの受信に失敗した場合を含む。また、ここで取り扱う問題は、端末がＳＦＩ＿ＵＳ−ＰＤＣＣＨを受信しなかった場合である。
【０１７３】
周期的信号は上位階層（ＲＲＣ）によって周期的に伝送されるように設定されたＤＬ／ＵＬ信号を全て通称する。３ＧＰＰ  ＮＲシステムにおいて、ＲＲＣ階層で設定された周期的に伝送されるＵＬ信号は、ｐｅｒｉｏｄｉｃ  ＳＲＳ（ｓｏｕｎｄｉｎｇ  ｒｅｆｅｒｅｎｃｅ  ｓｉｇｎａｌ）、ＳＲ（ｓｃｈｅｄｕｌｉｎｇ  ｒｅｑｅｕｓｔ）、ｐｅｒｉｏｄｉｃ  ＣＳＩ、ＳＰＳ−ＰＵＳＣＨ（Ｓｅｍｉ−ｐｅｒｓｉｓｔｅｎｔ  ＰＵＳＣＨ）などがあり、周期的に伝送されるＤＬ信号は、ＣＳＩ−ＲＳ（Ｃｈａｎｎｅｌ  ｓｔａｔｅ  ｉｎｆｏｒｍａｔｉｏｎ  ｒｅｆｅｒｅｎｃｅ  ｓｉｇｎａｌ）、ＳＰＳ−ＰＤＳＣＨなどがある。ＳＲとｐｅｒｉｏｄｉｃ  ＣＳＩはＰＵＣＣＨを介して伝送される。詳しくは、基地局はＲＲＣ信号を介して周期的信号のスロット−周期／オフセット及び伝送資源（例えば、スロット内ＯＦＤＭシンボル（ら））を端末に知らせる。
【０１７４】
ＳＦＩ＿ＵＳ−ＰＤＣＣＨを介してスケジューリング情報を受信する際とは異なって、周期的信号を伝送或いは受信するように構成される端末は、自らにスケジューリングされた情報がなければ、周期的信号の伝送／受信が予定されているスロットに対し、スロット構成情報を得るためのＳＦＩ＿ＵＳ−ＰＤＣＣＨが存在しない。よって、ＳＦＩ＿ＵＳ−ＰＤＣＣＨを介してスケジューリング情報が受信されなければ、周期的ＵＬの伝送や周期的ＤＬの受信を行うための端末動作が定義される必要がる。また、スケジューリング情報なしに周期的に送信／受信を行うように構成された端末が周期的に送信／受信を行うように設定されたスロット（以下、周期的スロット）で周期的な信号の送信或いは周期的信号の受信を行うのか否かを決定するためにスロット構成を判断する方法が必要である。
【０１７５】
ＳＦＩ＿ＵＳ−ＰＤＣＣＨを介してスケジューリング情報を受けていない状態で、周期的に送信／受信を行う端末の動作は以下のようである。まず、端末は現在周期の周期的信号を送信／受信するスロットの後から、次の周期の周期的信号を送信／受信するスロットまでのスロットをモニタリング区間と定義する。端末はモニタリング区間をＲＲＣ信号を介して知るか、ＳＦＩ＿ＧＣ−ＰＤＣＣＨが伝送される周期に応じて決定する。次に、端末は、前記モニタリング区間の間に次の周期の送信／受信スロットに対するスロット構成情報を含むＳＦＩ＿ＧＣ−ＰＤＣＣＨをモニタリングする。一例として、（周期的に構成された各スロット内の）特定時間−周波数資源（例えば、ＯＦＤＭシンボル（ら））で周期的に上りリンク信号（例えば、ｐｅｒｉｏｄｉｃ  ＳＲＳ、ＳＲ、ｐｅｒｉｏｄｉｃ  ＣＳＩ、ＳＰＳ−ＰＵＳＣＨ）を送信するように構成される場合、端末は（周期的に構成されたスロット内の）その周期的信号の時間−周波数資源がＳＦＩ＿ＧＣ−ＰＤＣＣＨを介して上りリンクの構成であると指示されれば、（該当スロットで）前記周期的信号を前記時間−周波数資源で伝送する。一方、（周期的に構成された各スロット内の）特定時間−周波数資源で周期的に上りリンク信号（例えば、ｐｅｒｉｏｄｉｃ  ＳＲＳ、ＳＲ、ｐｅｒｉｏｄｉｃ  ＣＳＩ、ＳＰＳ−ＰＵＳＣＨ）を送信するように構成される場合、端末は（周期的に構成されたスロット内の）その周期的信号の時間−周波数資源がＳＦＩ＿ＧＣ−ＰＤＣＣＨを介して上りリンクの構成ではないと指示されれば（例えば、下りリンク（ＤＬ）シンボルまたはＵｎｋｎｏｗｎシンボル）、（該当スロットで）前記周期的信号を送信しない（例えば、送信動作をスキップ／取り消し）。類似して、（周期的に構成された各スロット内の）特定時間−周波数資源（例えば、ＯＦＤＭシンボル（ら））で周期的に下りリンク信号（例えば、ＣＳＩ−ＲＳ、ＳＰＳ−ＰＤＳＣＨ）を受信するように構成される場合、端末は（周期的に構成されたスロット内の）その周期的信号の時間−周波数資源がＳＦＩ＿ＧＣ−ＰＤＣＣＨを介して下りリンクの構成であると指示されれば、（該当スロットで）前記周期的信号を前記時間−周波数資源で受信する。一方、（周期的に構成された各スロット内の）特定時間−周波数資源で周期的に下りリンク信号（例えば、ＣＳＩ−ＲＳ、ＳＰＳ−ＰＤＳＣＨ）を受信するように構成される場合、端末は（周期的に構成されたスロット内の）周期的信号の時間−周波数資源がＳＦＩ＿ＧＣ−ＰＤＣＣＨを介して下りリンクの構成ではないと指示されれば（例えば、上りリンク（ＵＬ）シンボルまたはＵｎｋｎｏｗｎシンボル）、（該当スロットで）前記周期的信号を受信しない（例えば、受信動作をスキップ／取り消し）。また、端末は（周期的に構成されたスロット内の）その周期的信号の時間−周波数資源（例えば、ＯＦＤＭシンボル（ら））に対するＳＦＩ＿ＧＣ−ＰＤＣＣＨを受信できなかった場合（つまり、ＳＦＩ＿ＧＣ−ＰＤＣＣＨが検出されていない場合）、（該当スロットで）前記周期的信号を送信しない（例えば、送信動作をスキップ／取り消し）。ここで、特定時間−周波数資源は、ＯＦＤＭシンボル及び／またはＲ���単位の上り／下りリンク送受信資源を含む。例えば、特定時間−周波数資源は、スロット内の特定ＯＦＤＭシンボル或いはＯＦＤＭシンボルセットに定義される。
【０１７６】
他の例として、端末はモニタリング区間の間にＧＣ−ＰＤＣＣＨの受信／確認にかかわらず、元々周期的に行われるように構成された信号（つまり、周期的信号）の送受信を行う。ここで、端末は周期的信号のうち一部／全部の特定信号、例えば、ＲＳ、ＡＣＫ／ＮＡＣＫ、ＳＲＳなどの重要度が高い信号は、スロット構成情報（例えば、ＳＦＩ＿ＧＣ−ＰＤＣＣＨ）を確認せずに送受信する。この場合、端末は基地局が該当周期的信号の送受信のためにスケジューリングを適切に行い、衝突が発生しないと仮定して送受信動作を行う。
【０１７７】
更に、（周期的信号のうち）ＡＣＫ／ＮＡＣＫは常にＧＣ−ＰＤＣＣＨのスロット構成情報を確認せずに端末が送信する。ＡＣＫ／ＮＡＣＫを伝送するためのＰＵＣＣＨは、スロット内で一つ以上の最後のＯＦＤＭシンボルに割り当てられ、端末はＰＵＣＣＨに当たるシンボルは（ＧＣ−ＰＤＣＣＨのスロット構成情報にかかわらず）、少なくともＵＬに割り当てられていると仮定して常にＰＵＣＣＨを送信する。ここで、周期的ＡＣＫ／ＮＡＣＫとは、周期的に受信するように構成されたＳＰＳ−ＰＤＳＣＨの受信成功可否を示すＡＣＫ／ＮＡＣＫをいう。
【０１７８】
図２２は、一定区間の間にスケジューリング情報を受けていない状態で周期的に送受信を行う場合の端末動作を示す。図２２を参照すると、端末はスロットｎとスロットｎ＋３で周期的信号を送受信するように構成される。スロットｎ＋３における周期的信号の送受信可能性を判断するために、モニタリング区間をスロットｎ＋１、スロットｎ＋２、スロットｎ＋３に定義する。この際、スロットｎ＋１、スロットｎ＋２、スロットｎ＋３のＧＣ−ＰＤＣＣＨは、スロットｎ＋３のスロット構成をそれぞれスロットフォーマットＢ、スロットフォーマットＣ、スロットフォーマットＤで知らせる。この際、端末は周期的スロットｎ＋３に最も近いスロット（つまり、スロットｎ＋２）から伝送されたＳＦＩ＿ＧＣ−ＰＤＣＣＨが指示したスロット構成（つまり、スロット構成Ｄ）をスロットｎ＋３のスロット構成と判断し、スロット構成Ｄに基づいてスロットｎ＋３で周期的信号の送受信を行うか行わない。
【０１７９】
ＳＦＩと周期的信号との間のオーバーライド＃２
本発明が解決しようとする問題のうち一つは一つの端末にＲＲＣで構成された周期的信号の伝送／受信可否を判断する方法であって、ＳＦＩ＿ＵＳ−ＰＤＣＣＨのスロット構成に関する情報を利用してシンボルの方向を決定する端末の動作に関する。ここでは、基地局から周期的信号／チャネルの送信或いは受信を行うように構成された端末が、周期的信号及びチャネルの送信或いは受信を行うスロット（以下、周期的スロット）に、基地局から下りリンクデータチャネル或いは下りリンク共有チャネル（例えば、ＰＤＳＣＨ）の伝送、または上りリンクデータチャネル或いは上りリンク共有チャネル（例えば、ＰＵＳＣＨ）の伝送をスケジューリングされれば、端末が該当スロットの構成を判断する方法について説明する。ここで取り扱う問題は、端末がＧＣ−ＰＤＣＣＨ（ｄｙｎａｍｉｃ  ＳＦＩ）をモニタリングしないように構成され鵜か、ＧＣ−ＰＤＣＣＨ（ｄｙｎａｍｉｃ  ＳＦＩ）をモニタリングするように構成されたが受信に失敗した場合（例えば、ＧＣ−ＰＤＣＣＨ（ｄｙｎａｍｉｃ  ＳＦＩ）の検出に失敗）である。
【０１８０】
周期的信号は上位階層（ＲＲＣ）によって周期的に伝送されるように設定されたＤＬ／ＵＬ信号を全て通称する。３ＧＰＰ  ＮＲシステムにおいて、ＲＲＣ階層で設定された周期的に伝送されるＵＬ信号は、ｐｅｒｉｏｄｉｃ  ＳＲＳ、ＳＲ、ｐｅｒｉｏｄｉｃ  ＣＳＩ、ＳＰＳ−ＰＵＳＣＨなどがあり、周期的に伝送されるＤＬ信号は、ＣＳＩ−ＲＳ、ＳＰＳ−ＰＤＳＣＨなどがある。ＳＲとｐｅｒｉｏｄｉｃ  ＣＳＩはＰＵＣＣＨを介して伝送される。詳しくは、基地局はＲＲＣ信号を介して周期的信号のスロット−周期／オフセット及び伝送資源（例えば、スロット内ＯＦＤＭシンボル（ら））を端末に知らせる。
【０１８１】
端末が（周期的に構成されたスロット内の）周期的信号／チャネルを送受信するシンボルと同じシンボルに対してスケジューリングを指示したＵＳ−ＰＤＣＣＨを基地局から伝送されれば、端末はモニタリング区間で受信したＧＣ−ＰＤＣＣＨ（ら）とＳＦＩ＿ＵＳ−ＰＤＣＣＨのうち最も最近に受信したスロット構成情報に応じて周期的スロットの構成を判断する。基地局が周期的信号／チャネルの伝送をいずれも管理しており、また、スケジューリング情報（ＵＳ−ＰＤＣＣＨ）の伝送も管理しているため、基地局スケジューラーが同じスロットで異なる動作を行うようにスケジューリングしない可能性があるためである。よって、最も最近に受信したＳＦＩ＿ＧＣ−ＰＤＣＣＨでスケジューリングしたＰＤＳＣＨのうち、最も最近に受信したスロット構成情報に応じて周期的スロットの構成を判断する。端末は、判断したスロット構成に応じてＳＦＩ＿ＵＳ−ＰＤＣＣＨでスケジューリングしたＰＤＳＣＨを受信（或いはＰＵＳＣＨの送信）が可能であるのかを判断し、該当ＰＤＳＣＨの受信（或いはＰＵＳＣＨの伝送）を行うか、周期的信号／チャネルの送信或いは受信が可能であるのかを判断して、周期的信号／チャネルの送受信を行う。
【０１８２】
ここで、（周期的信号の送受信が予定されているスロットで）ＰＤＳＣＨの受信（或いはＰＵＳＣＨの送信）が可能であるのかは以下のように判断する。
−ＵＳ−ＰＤＣＣＨがＧＣ−ＰＤＣＣＨより最近に受信されれば、端末はＵＳ−ＰＤＣＣＨ（ＤＣＩ）がスケジューリングしたＰＤＳＣＨの受信（或いはＰＵＳＣＨの受信）を行う。
−ＵＳ−ＰＤＣＣＨより最近に受信されたＧＣ−ＰＤＣＣＨがあれば、端末はＵＳ−ＰＤＣＣＨのスケジューリング情報によってＰＤＳＣＨ（或いはＰＵＳＣＨ）が割り当てられたＯＦＤＭシンボル（ら）が、モニタリング区間内で最も最近に受信されたＧＣ−ＰＤＣＣＨのスロット構成情報によってＤＬ（或いはＵＬ）からなっていれば、ＰＤＳＣＨの受信（或いはＰＵＳＣＨの送信）を行う。
−ＵＳ−ＰＤＣＣＨを介してＰＤＳＣＨ（或いはＰＵＳＣＨ）をスケジューリングされる際、端末が受信したスロット構成と、モニタリング区間内で最も最近に受信されたＧＣ−ＰＤＣＣＨのスロット構成情報を介して端末が受信したスロット構成が同じであれば、端末はＰＤＳＣＨの受信（或いはＰＵＳＣＨの送信）を行う。そうでなければ、端末はＰＤＳＣＨの受信（或いはＰＵＳＣＨの送信）を行わない（例えば、関連動作をスキップ／取り消し）。
【０１８３】
また、（周期的に構成されたスロットで）周期的信号／チャネルの送受信が可能であるのかを判断する一例として、周期的信号／チャネルの送受信が割り当てられたＯＦＤＭシンボル（ら）のＵＬ／ＤＬ方向が、モニタリング区間内で最も最近に受信されたＧＣ−ＰＤＣＣＨのスロット構成情報を介して端末が受信したスロット構成またはＵＳ  ＤＣＩ（ＵＳ−ＰＤＣＣＨ）を介して端末が受信したＯＦＤＭシンボル（ら）のＵＬ／ＤＬ方向と一致すれば、端末は（該当スロットで）周期的信号／チャネルの送受信を行い、一致しなければ端末は（該当スロットで）周期的信号／チャネルの送受信を行わない。
【０１８４】
図２３は、周期的信号／チャネルを送受信するように設定された端末がスケジューリング情報を基地局から受信した際の動作を示す。図２３を参照すると、端末は、スロットｎとスロットｎ＋３に周期的信号／チャネルを送受信するように構成され、スロットｎ＋２からスロットｎ＋３のスケジューリング情報を指示するＵＳ−ＰＤＣＣＨが受信される。スロットｎ＋３で周期的信号／チャネルの送受信を行うのか否かとスケジューリング情報に応じた端末動作の遂行可否を判断するために、スロットｎ＋１〜スロットｎ＋３内で受信されたＧＣ−ＰＤＣＣＨと、スロットｎ＋２で受信されたＵＳ−ＰＤＣＣＨのうちスロットｎ＋３に最も近いスロットから伝送されるＵＳ−ＰＤＣＣＨによる、或いはＧＣ−ＰＤＣＣＨのスロット構成情報に応じたスロット構成によってスロットｎ＋３の巣ロト構成を判断する。図２３では、スロットｎ＋３のＧＣ−ＰＤＣＣＨ（ＳＦＩ）がスロットｎ＋３に最も近いスロット構成を知らせてくれる。よって、スロットｎ＋３でＧＣ−ＰＤＣＣＨ（ＳＦＩ）を樹脂すれば、端末前記ＧＣ−ＰＤＣＣＨのスロット構成情報（例えば、スロットフォーマットＤ）によってスロットｎ＋３のスロット構成を判断する。
【０１８５】
周期的信号／チャネルを送受信するように設定された特定スロット（つまり、周期的スロット）にＰＤＳＣＨ或いはＰＵＳＣＨがスケジューリングされれば、周期的信号／チャネルのうち一部／全部の特定の周期的信号／チャネルは、該当スケジューリングのためのスロット構成情報を確認せずに送受信する。この場合、端末は基地局が該当周期的信号／チャネルの送受信のためにスケジューリングを適切に行い、衝突が発生しないと仮定して、特定周期的信号／チャネルの送受信動作を行う。ここで、特定周期的信号／チャネルはＳＳ（Ｓｙｎｃｈｒｏｎｉｚａｔｉｏｎ  Ｓｉｇｎａｌ：ＰＳＳ、ＳＳＳ）／ＰＢＣＨブロック、ＲＳ（例えば、ＣＳＩ−ＲＳ、Ｐｈａｓｅ  Ｔｒａｃｋｉｎｇ  ＲＳ、Ｔｒａｃｋｉｎｇ  ＲＳ）、ＡＣＫ／ＮＡＣＫ伝送チャネル、ＳＲ伝送チャネル、ＲＢ（Ｂｅａｍ  ｒｅｃｏｖｅｒｙ  ｒｅｑｕｅｓｔ）伝送チャネル、及びＳＲＳなどの重要度が高い信号／チャネルを含む。特定の周期的信号／チャネルは、ＳＳ、ＲＳ、ＡＣＫ／ＮＡＣＫ伝送チャネル、ＳＲ伝送チャネル、ＢＲ伝送チャネル、及びＳＲＳを全て含むか、これらのサブセットを含む。例えば、特定周期的信号／チャネルはＡＣＫ／ＮＡＣＫ伝送チャネルを含んでもよい。この場合、ＡＣＫ／ＮＡＣＫ伝送チャネルは、常にスロット構成情報を確認せずに端末が送受信するように構成する。ＡＣＫ／ＮＡＣＫを伝送するためのＰＵＣＣＨは、スロットで一つ以上の最後のＯＦＤＭシンボルに割り当てられる。例えば、ＰＵＣＣＨ（ＡＣＫ／ＮＡＣＫ）はスロットの最後の一つのＯＦＤＭシンボル、最後の２つのＯＦＤＭシンボル、或いは最後から４〜１４個のＯＦＤＭシンボルに割り当てられる。端末は、ＰＵＣＣＨに当たるＯＦＤＭシンボルは少なくともＵＬに割り当てられていると仮定し、常にＰＵＣＣＨを送信する。ここで、周期的ＡＣＫ／ＮＡＣＫとは、周期的に受信するように構成されたＳＰＳ  ＰＤＳＣＨの受信成功可否を示すＡＣＫ／ＮＡＣＫをいう。また、例えば、特定の周期的信号／チャネルは、基地局から伝送されるＳＳ、ＰＢＣＨ、或いはＳＳＢを含んでもよい。この場合、端末はスロット構成情報を確認せず、常にＳＳ／ＰＢＣＨブロックを受信する。
【０１８６】
ＳＦＩと周期的信号との間のオーバーライド＃３
本発明が解決しようとする問題のうち一つは一つの端末にＲＲＣで構成された周期的信号の伝送／受信可否を判断する方法であって、ＳＦＩ＿ＧＣ−ＰＤＣＣＨのスロット構成に関する情報とＳＦＩ＿ＵＳ−ＰＤＣＣＨのスロット構成に関する情報を利用してシンボルの方向を決定する端末の動作に関する。
【０１８７】
周期的信号は上位階層（ＲＲＣ）によって周期的に伝送されるように設定されたＤＬ／ＵＬ信号を全て通称する。３ＧＰＰ  ＮＲシステムにおいて、ＲＲＣ階層で設定された周期的に伝送されるＵＬ信号は、ｐｅｒｉｏｄｉｃ  ＳＲＳ、ＳＲ、ｐｅｒｉｏｄｉｃ  ＣＳＩ、ＳＰＳ−ＰＵＳＣＨなどがあり、周期的に伝送されるＤＬ信号は、ＣＳＩ−ＲＳ、ＳＰＳ−ＰＤＳＣＨなどがある。ＳＲとｐｅｒｉｏｄｉｃ  ＣＳＩはＰＵＣＣＨを介して伝送される。また、基地局から伝送されたＲＲＣ信号を介して端末に構成され、端末が下りリンクに周期的に受信するように構成される信号として、ｐｅｒｉｏｄｉｃ  ＳＣＩ−ＲＳ、ｓｅｍｉ−ｐｅｒｓｉｓｔｅｎｔ  ＣＳＩ−ＲＳ、ＴＲＳ、或いはＰｈａｓｅ  Ｔｒａｃｋｉｎｇ  ＲＳ、ＳＰＳ−ＰＤＳＣＨなどがある。詳しくは、基地局はＲＲＣ信号を介して周期的信号のスロット−周期／オフセット及び伝送資源（例えば、スロット内ＯＦＤＭシンボル（ら））を端末に知らせる。
【０１８８】
スロット内で端末が周期的に受信するように構成される信号（つまり、周期的信号）（例えば、ＣＳＩ−ＲＳ、ＳＰＳ−ＰＤＳＣＨ）が位置するシンボルが半−静的ＤＬ／ＵＬ割当（半−静的ＳＦＩ）でＤＬシンボルで指示されれば、該当スロットで端末は周期的に受信するように構成される信号を受信する。スロット内で端末が周期的に受信するように構成される信号が位置するシンボル（ら）が半−静的ＤＬ／ＵＬ割当（半−静的ＳＦＩ）でＵｎｋｎｏｗｎシンボル（ら）であると指示されていれば、該当スロットで端末が周期的に受信する条件は、１）周期的信号が受信されるシンボルに対するＳＦＩ＿ＧＣ−ＰＤＣＣＨを受信し、該当ＳＦＩ＿ＧＣ−ＰＤＣＣＨがそのシンボル（ら）をＤＬシンボルと指示するか、２）ＳＦＩ＿ＧＣ−ＰＤＣＣＨの受信にかかわらず、前記周期的に受信するように構成される信号が受信されるシンボル（ら）に対してＳＦＩ＿ＵＳ−ＰＤＣＣＨを介してＤＬシンボルと知らせることを含む。１）の場合、ＳＦＩ＿ＵＳ−ＰＤＣＣＨの検出可否にかかわらず、端末は該当スロットで周期的信号を受信する。２）の場合、前記周期的に受信するように構成される信号が受信されるシンボル（ら）に対してＳＦＩ＿ＵＳ−ＰＤＣＣＨを介してＤＬシンボルと知らせたら、ＳＦＩ＿ＧＣ−ＰＤＣＣＨが受信されなくても（つまり、ＳＦＩ＿ＧＣ−ＰＤＣＣＨが未検出）、端末は該当スロットで周期的信号を受信する。ちなみに、端末はＳＦＩ＿ＵＳ−ＰＤＣＣＨを介して受信したＤＬデータ（例えば、ＰＤＳＣＨ）のスケジューリング情報を介し、前記周期的に受信するように構成される信号が受信されるシンボルがＤＬシンボルであるのか否かを判断する。逆に、スロット内で端末が周期的に受信するように構成される信号を受信しない条件は、１）周期的に受信するように構成される信号が受信されるシンボルに対するＳＦＩ＿ＧＣ−ＰＤＣＣＨを受信し、該当ＳＦＩ＿ＧＣ−ＰＤＣＣＨがそのシンボルをＵｎｋｎｏｗｎシンボルまたはＵＬシンボルと指示するか、２）ＳＦＩ＿ＧＣ−ＰＤＣＣＨの受信に失敗するか、３）周期的に受信するように構成される信号が受信されるシンボルがＤＬシンボルである情報をＳＦＩ＿ＵＳ−ＰＤＣＣＨから受信できなかったことを含む。ＳＦＩ＿ＧＣ−ＰＤＣＣＨ、ＳＦＩ＿ＵＳ−ＰＤＣＣＨと周期的信号との間のオーバーライド状況を考慮すると、１）はＳＦＩ＿ＵＳ−ＰＤＣＣＨの受信まで失敗したことを意味し、２）はＳＦＩ＿ＧＣ−ＰＤＣＣＨとＳＦＩ＿ＵＳ−ＰＤＣＣＨ両方の受信に失敗したことを意味し、３）はＳＦＩ＿ＧＣ−ＰＤＣＣＨの受信に失敗した場合を意味する。
【０１８９】
基地局から伝送されたＲＲＣ信号を介して端末に構成され、周期的に上りリンクに伝送される信号として、ｐｅｒｉｏｄｉｃ  ＳＲＳ、ｓｅｍｉ−ｐｅｒｓｉｓｔｅｎｔ  ＳＲＳ、ＣＳＩ報告のための周期的ＰＵＣＣＨ、ＳＰＳ−ＰＵＳＣＨなどがある。周期的ＰＵＣＣＨは、ＵＳ−ＰＤＣＣＨによってスケジューリングされたＰＵＳＣＨにピギーバックされる。基地局から伝送されたＲＲＣ信号を介して周期的な信号を伝送するように構成された端末が（或いはユーザが）周期的な信号を伝送するための動作は以下のようである。スロット内で端末が周期的に送信するように構成される信号が位置するシンボルが半−静的ＤＬ／ＵＬ割当（半−静的ＳＦＩ）でＵＬシンボルであると指示されれば、該当スロットで端末は周期的に送信するように構成される信号（例えば、ｐｅｒｉｏｄｉｃ  ＳＲＳ、ｓｅｍｉ−ｐｅｒｓｉｓｔｅｎｔ  ＳＲＳ、ＣＳＩ、ＳＰＳ−ＰＵＳＣＨ）を送信する。また、スロット内で端末が周期的に送信するように構成される信号が位置するシンボルが半−静的ＤＬ／ＵＬ割当（半−静的ＳＦＩ）でＵｎｋｎｏｗｎシンボルであると指示されれば、該当スロットで端末が周期的に送信するように構成された信号を送信する条件は、１）周期的信号が送信されるように構成された信号が伝送されるシンボルに対するＳＦＩ＿ＧＣ−ＰＤＣＣＨを受信し、該当ＳＦＩ＿ＧＣ−ＰＤＣＣＨがそのシンボルをＵＬシンボルと指示するか、２）ＳＦＩ＿ＧＣ−ＰＤＣＣＨの受信にかかわらず、前記周期的に送信するように構成される信号が伝送されるシンボルに対してＳＦＩ＿ＵＳ−ＰＤＣＣＨでＤＬシンボルと知らせることを含む。ちなみに、ＳＦＩ＿ＵＳ−ＰＤＣＣＨを介してＵＬデータ（例えば、ＰＵＳＣＨ）がスケジューリングされているか、ＵＬ制御信号（例えば、ＰＵＣＣＨ）がスケジューリングされているシンボルは、ＵＬシンボルと判断する。１）の場合、ＳＦＩ＿ＵＳ−ＰＤＣＣＨの検出可否にかかわらず、端末は該当スロットで周期的信号を送信する。２）の場合、前記周期的に受信するように構成される信号が受信されるシンボル（ら）に対してＳＦＩ＿ＵＳ−ＰＤＣＣＨを介してＵＬシンボルと知らせたら、ＳＦＩ＿ＧＣ−ＰＤＣＣＨが受信されなくても（つまり、ＳＦＩ＿ＧＣ−ＰＤＣＣＨが未検出）、端末は該当スロットで周期的信号を送信する。逆に、スロット内で端末が周期的に送信するように構成される信号を送信しない条件は、１）周期的に送信するように構成される信号が伝送されるシンボルに対するＳＦＩ＿ＧＣ−ＰＤＣＣＨを受信し、該当ＳＦＩ＿ＧＣ−ＰＤＣＣＨがそのシンボルをＵｎｋｎｏｗｎシンボルまたはＤＬシンボルと指示するか、２）ＳＦＩ＿ＧＣ−ＰＤＣＣＨの受信に失敗するか、３）周期的に送信するように構成される信号が伝送されるシンボルがＵＬシンボルである情報をＳＦＩ＿ＵＳ−ＰＤＣＣＨ或いはＵＳ−ＰＤＣＣＨから受信できなかったことを含む。ＳＦＩ＿ＧＣ−ＰＤＣＣＨ、ＳＦＩ＿ＵＳ−ＰＤＣＣＨと周期的信号との間のオーバーライド状況を考慮すると、１）はＳＦＩ＿ＵＳ−ＰＤＣＣＨの受信まで失敗したことを意味し、２）はＳＦＩ＿ＧＣ−ＰＤＣＣＨとＳＦＩ＿ＵＳ−ＰＤＣＣＨ両方の受信に失敗したことを意味し、３）はＳＦＩ���ＧＣ−ＰＤＣＣＨの受信に失敗した場合を意味する。
【０１９０】
実施例３：スロット構成に関する全般的な動作
以下、スロット構成情報を知らせる方法として、半−静的ＳＦＩ、ＳＦＩ＿ＧＣ−ＰＤＣＣＨ、ＳＦＩ＿ＵＳ−ＰＤＣＣＨがあるか、或いは一部がある際、端末がスロット内のシンボルをＤＬ／ＵＬ／Ｕｎｋｎｏｗｎと判断する方法について説明する。以下の説明において、ＳＦＩが「Ｎｏｔｈｉｎｇ」という表現は、前記ＳＦＩを基地局が伝送していないか、端末が受信できなかった場合（例えば、ＰＤＣＣＨ  ｍｉｓｓｉｎｇ、ＰＤＣＣＨ検出失敗）を意味する。また、ＳＦＩが「Ａｎｙｔｈｉｎｇ」という表現は、前記ＳＦＩを介してあるスロット構成情報が伝送された場合を意味する。特別に言及しない限り、ＳＦＩ＝「Ａｎｙｔｈｉｎｇ」はＳＦＩ＝「Ｎｏｔｈｉｎｇ」を含む。
【０１９１】
本発明の好ましい実施例を表４に示した。表４を参照すると、端末はスロット内の各シンボルに対してフォーマット／構成を以下のように判断する。まず、ＤＬ／ＵＬ／Ｕｎｋｎｏｗｎシンボルに対し、端末は以下の優先順位で判断する。
−Ｓｅｍｉ−ｓｔａｔｉｃ  ＳＦＩ＞Ｄｙｎａｍｉｃ  ＳＦＩ  ｆｒｏｍ  ＵＳ−ＰＤＣＣＨ＞Ｄｙｎａｍｉｃ  ＳＦＩ  ｆｒｏｍ  ＧＣ−ＰＤＣＣＨ
【０１９２】
そして、Ｕｎｋｎｏｗｎシンボルに対し、端末は以下の優先順位で判断する。
−Ｄｙｎａｍｉｃ  ＳＦＩ  ｆｒｏｍ  ＵＳ−ＰＤＣＣＨ＞Ｄｙｎａｍｉｃ  ＳＦＩ  ｆｒｏｍ  ＧＣ−ＰＤＣＣＨ＞Ｓｅｍｉ−ｓｔａｔｉｃ  ＳＦＩ
【０１９３】
より詳しくは、表４を参照すると、端末はスロット構成情報と以下のシンボル判断規則によってスロット内のシンボルに対してフォーマット／構成を判断及び定義する。
−半−静的ＳＦＩで構成したＤＬ／ＵＬ／Ｒｅｓｅｒｖｅｄシンボルは変更されない。
−半−静的ＳＦＩで構成したＵｎｋｎｏｗｎシンボル、または半−静的ＳＦＩで構成していないシンボルは、ＳＦＩ＿ＧＣ−ＰＤＣＣＨまたはＳＦＩ＿ＵＳ−ＰＤＣＣＨのシンボル構成で修正される。
・半−静的ＳＦＩで構成したＵｎｋｎｏｗｎシンボル、または半−静的ＳＦＩで構成していないシンボルに対し、ＳＦＩ＿ＧＣ−ＰＤＣＣＨとＳＦＩ＿ＵＳ−ＰＤＣＣＨが互いに同じシンボル構成を指示すれば、端末はＳＦＩ＿ＧＣ−ＰＤＣＣＨとＳＦＩ＿ＵＳ−ＰＤＣＣＨのシンボル構成に従う。
・半−静的ＳＦＩで構成したＵｎｋｎｏｗｎシンボル、または半−静的ＳＦＩで構成していないシンボルに対し、ＳＦＩ＿ＧＣ−ＰＤＣＣＨとＳＦＩ＿ＵＳ−ＰＤＣＣＨが該当シンボルに対して異なるシンボル構成を指示すれば、端末は常にＳＦＩ＿ＧＣ−ＰＤＣＣＨを優先して該当シンボルを判断する。
【０１９４】
【表４】
2020511897.tif 000014
【０１９５】
表５を参照すると、端末はスロット内の各シンボルに対してフォーマット／構成を以下のように判断する。まず、ＤＬ／ＵＬ／Ｒｅｓｅｒｖｅｄの優先順位とＵｎｋｎｏｗｎの優先順位は異なるように構成され、ＤＬ／ＵＬ／Ｒｅｓｅｒｖｅｄシンボルに対し、端末は以下の優先順位で判断する。
−Ｓｅｍｉ−ｓｔａｔｉｃ  ＳＦＩ＞Ｄｙｎａｍｉｃ  ＳＦＩ  ｆｒｏｍ  ＧＣ−ＰＤＣＣＨ＝Ｄｙｎａｍｉｃ  ＳＦＩ  ｆｒｏｍ  ＵＳ−ＰＤＣＣＨ
【０１９６】
また、Ｕｎｋｎｏｗｎシンボルに対し、端末は以下の優先順位で判断する。
−Ｄｙｎａｍｉｃ  ＳＦＩ  ｆｒｏｍ  ＧＣ−ＰＤＣＣＨ＝Ｄｙｎａｍｉｃ  ＳＦＩ  ｆｒｏｍ  ＵＳ−ＰＤＣＣＨ＞ｓｅｍｉ−ｓｔａｔｉｃ  ＳＦＩ
【０１９７】
ここで、「＝」は同じ優先順位を示す。「＝」で表示されたＳＦＩの間には、端末がＳＦＩを受信する時間に応じて優先順位が異なるように決定される。例えば、最近受信したＳＦＩの優先順位が高くてもよい。
【０１９８】
より詳しくは、表５を参照すると、端末はスロット構成情報と以下のシンボル判断規則によってスロット内のシンボルに対してフォーマット／構成を判断及び定義する。
−半−静的ＳＦＩで構成したＤＬ／ＵＬ／Ｒｅｓｅｒｖｅｄシンボルは変更されない。
−半−静的ＳＦＩで構成したＵｎｋｎｏｗｎシンボル、または半−静的ＳＦＩで構成していないシンボルは、ＳＦＩ＿ＧＣ−ＰＤＣＣＨまたはＳＦＩ＿ＵＳ−ＰＤＣＣＨのシンボル構成で修正される。
・半−静的ＳＦＩで構成したＵｎｋｎｏｗｎシンボル、または半−静的ＳＦＩで構成していないシンボルに対し、ＳＦＩ＿ＧＣ−ＰＤＣＣＨとＳＦＩ＿ＵＳ−ＰＤＣＣＨが互いに同じシンボル構成を指示すれば、端末はＳＦＩ＿ＧＣ−ＰＤＣＣＨとＳＦＩ＿ＵＳ−ＰＤＣＣＨのシンボル構成に従う。
・半−静的ＳＦＩで構成したＵｎｋｎｏｗｎシンボル、または半−静的ＳＦＩで構成していないシンボルに対し、ＳＦＩ＿ＧＣ−ＰＤＣＣＨとＳＦＩ＿ＵＳ−ＰＤＣＣＨが異なるシンボル構成を指示すれば、端末はＳＦＩ＿ＧＣ−ＰＤＣＣＨとＳＦＩ＿ＵＳ−ＰＤＣＣＨのうち最も最近に受信されたものを優先してスロットフォーマットを決定する。ＳＦＩ＿ＧＣ−ＰＤＣＣＨとＳＦＩ＿ＵＳ−ＰＤＣＣＨが同時に受信されれば、端末は常に同じシンボル構成を有するスロットフォーマットを期待できる。それによって、ＳＦＩ＿ＧＣ−ＰＤＣＣＨとＳＦＩ＿ＵＳ−ＰＤＣＣＨが同時に受信されたが、異なるシンボル構成を指示すれば、端末はエラーケースと判定する。
【０１９９】
【表５】
2020511897.tif 000015
【０２００】
表６を参照すると、端末はスロット内の各シンボルに対してフォーマット／構成を以下のように判断する。まず、ＤＬ／ＵＬ／Ｒｅｓｅｒｖｅｄシンボルに対し、端末は以下の優先順位で判断する。
−Ｓｅｍｉ−ｓｔａｔｉｃ  ＳＦＩ＞Ｄｙｎａｍｉｃ  ＳＦＩ  ｆｒｏｍ  ＧＣ−ＰＤＣＣＨ＞Ｄｙｎａｍｉｃ  ＳＦＩ  ｆｒｏｍ  ＵＳ−ＰＤＣＣＨ
【０２０１】
そして、Ｕｎｋｎｏｗｎシンボルに対し、端末は以下の優先順位で判断する。
−Ｄｙｎａｍｉｃ  ＳＦＩ  ｆｒｏｍ  ＧＣ−ＰＤＣＣＨ＞Ｄｙｎａｍｉｃ  ＳＦＩ  ｆｒｏｍ  ＵＳ−ＰＤＣＣＨ＞半−静的  ＳＦＩ
【０２０２】
より詳しくは、表６を参照すると、端末はスロット構成情報と以下のシンボル判断規則によってスロット内のシンボルに対してフォーマット／構成を判断及び定義する。
−半−静的ＳＦＩで構成したＤＬ／ＵＬ／Ｒｅｓｅｒｖｅｄシンボルは変更されない。
−半−静的ＳＦＩで構成したＵｎｋｎｏｗｎシンボル、または半−静的ＳＦＩで構成していないシンボルは、ＳＦＩ＿ＧＣ−ＰＤＣＣＨまたはＳＦＩ＿ＵＳ−ＰＤＣＣＨのシンボル構成で修正される。
・半−静的ＳＦＩで構成したＵｎｋｎｏｗｎシンボル、または半−静的ＳＦＩで構成していないシンボルに対しＳＦＩ＿ＧＣ−ＰＤＣＣＨとＳＦＩ＿ＵＳ−ＰＤＣＣＨが互いに同じシンボル構成を指示すれば、端末はＳＦＩ＿ＧＣ−ＰＤＣＣＨとＳＦＩ＿ＵＳ−ＰＤＣＣＨのシンボル構成に従う。
・半−静的ＳＦＩで構成したＵｎｋｎｏｗｎシンボル、または半−静的ＳＦＩで構成していないシンボルに対し、ＳＦＩ＿ＧＣ−ＰＤＣＣＨとＳＦＩ＿ＵＳ−ＰＤＣＣＨが異なるシンボル構成を指示すれば、端末は常にＳＦＩ＿ＧＣ−ＰＤＣＣＨを優先して該当シンボルを判断する。
【０２０３】
【表６】
2020511897.tif 000016
【０２０４】
次に、「Ｒｅｓｅｒｖｅｄ」シンボルの優先順位とＤＬ／ＵＬ／Ｕｎｋｎｏｗｎシンボルの優先順位が異なるように構成される場合について説明する。
【０２０５】
表７を参照すると、端末はスロット内の各シンボルに対してフォーマット／構成を以下のように判断する。まず、Ｒｅｓｅｒｖｅｄシンボルに対し、端末は以下の優先順位で判断する。
−Ｓｅｍｉ−ｓｔａｔｉｃ  ＳＦＩ＞Ｄｙｎａｍｉｃ  ＳＦＩ  ｆｒｏｍ  ＧＣ−ＰＤＣＣＨ＝Ｄｙｎａｍｉｃ  ＳＦＩ  ｆｒｏｍ  ＵＳ−ＰＤＣＣＨ
【０２０６】
そして、ＤＬ／ＵＬ／Ｕｎｋｎｏｗｎシンボルに対し、端末は以下の優先順位で判断する。
−Ｄｙｎａｍｉｃ  ＳＦＩ  ｆｒｏｍ  ＧＣ−ＰＤＣＣＨ＝Ｄｙｎａｍｉｃ  ＳＦＩ  ｆｒｏｍ  ＵＳ−ＰＤＣＣＨ＞ｓｅｍｉ−ｓｔａｔｉｃ  ＳＦＩ
【０２０７】
ここで、「＝」は同じ優先順位を示す。「＝」で表示されたＳＦＩの間には、端末がＳＦＩを受信する時間に応じて優先順位が異なるように決定される。例えば、最近受信したＳＦＩの優先順位が高くてもよい。
【０２０８】
より詳しくは、表７を参照すると、端末はスロット構成情報と以下のシンボル判断規則によってスロット内のシンボルに対してフォーマット／構成を判断及び定義する。
−半−静的ＳＦＩで構成したＲｅｓｅｒｖｅｄシンボルは常にＲｅｓｅｒｖｅｄシンボルである。
−半−静的ＳＦＩで構成したＲｅｓｅｒｖｅｄシンボルを除いた全てのシンボルは、ＳＦＩ＿ＧＣ−ＰＤＣＣＨとＳＦＩ＿ＵＳ−ＰＤＣＣＨのシンボルに変更される。
・半−静的ＳＦＩで構成したＲｅｓｅｒｖｅｄシンボルを除いた全てのシンボルに対し、ＳＦＩ＿ＧＣ−ＰＤＣＣＨとＳＦＩ＿ＵＳ−ＰＤＣＣＨが互いに同じシンボル構成を指示すれば、端末はＳＦＩ＿ＧＣ−ＰＤＣＣＨとＳＦＩ＿ＵＳ−ＰＤＣＣＨのシンボル構成に従う。
・半−静的ＳＦＩで構成したＲｅｓｅｒｖｅｄシンボルを除いた全てのシンボルに対し、ＳＦＩ＿ＧＣ−ＰＤＣＣＨとＳＦＩ＿ＵＳ−ＰＤＣＣＨが異なるシンボル構成を指示すれば、端末は常にＳＦＩ＿ＵＳ−ＰＤＣＣＨを優先して該当シンボルを判断する。
【０２０９】
【表７】
2020511897.tif 000017
【０２１０】
表８を参照すると、端末はスロット内の各シンボルに対してフォーマット／構成を以下のように判断する。まず、Ｒｅｓｅｒｖｅｄシンボルに対し、端末は以下の優先順位で判断する。
−Ｓｅｍｉ−ｓｔａｔｉｃ  ＳＦＩ＞Ｄｙｎａｍｉｃ  ＳＦＩ  ｆｒｏｍ  ＧＣ−ＰＤＣＣＨ＝Ｄｙｎａｍｉｃ  ＳＦＩ  ｆｒｏｍ  ＵＥ−ｓｐｅｃｉｆｉｃ  ＰＤＣＣＨ
【０２１１】
そして、ＤＬ／ＵＬ／Ｕｎｋｎｏｗｎシンボルに対し、端末は以下の優先順位で判断する。
−Ｄｙｎａｍｉｃ  ＳＦＩ  ｆｒｏｍ  ＵＥ−ｓｐｅｃｉｆｉｃ  ＰＤＣＣＨ＞Ｄｙｎａｍｉｃ  ＳＦＩ  ｆｒｏｍ  ＧＣ−ＰＤＣＣＨ＞Ｓｅｍｉ−ｓｔａｔｉｃ  ＳＦＩ
【０２１２】
より詳しくは、表８を参照すると、端末はスロット構成情報と以下のシンボル判断規則によってスロット内のシンボルに対してフォーマット／構成を判断及び定義する。
−半−静的ＳＦＩで構成したＲｅｓｅｒｖｅｄシンボルは常にＲｅｓｅｒｖｅｄシンボルである。
−半−静的ＳＦＩで構成したＲｅｓｅｒｖｅｄシンボルを除いた全てのシンボルは、ＳＦＩ＿ＧＣ−ＰＤＣＣＨとＳＦＩ＿ＵＳ−ＰＤＣＣＨのシンボルに変更される。
・半−静的ＳＦＩで構成したＲｅｓｅｒｖｅｄシンボルを除いた全てのシンボルに対し、ＳＦＩ＿ＧＣ−ＰＤＣＣＨとＳＦＩ＿ＵＳ−ＰＤＣＣＨが互いに同じシンボル構成を指示すれば、端末はＳＦＩ＿ＧＣ−ＰＤＣＣＨとＳＦＩ＿ＵＳ−ＰＤＣＣＨのシンボル構成に従う。
・半−静的ＳＦＩで構成したＲｅｓｅｒｖｅｄシンボルを除いた全てのシンボルに対し、ＳＦＩ＿ＧＣ−ＰＤＣＣＨとＳＦＩ＿ＵＳ−ＰＤＣＣＨが異なるシンボル構成を指示すれば、端末は常にＳＦＩ＿ＵＳ−ＰＤＣＣＨを優先して該当シンボルを判断する。
【０２１３】
【表８】
2020511897.tif 000018
【０２１４】
表９を参照すると、端末はスロット内の各シンボルに対してフォーマット／構成を以下のように判断する。まず、Ｒｅｓｅｒｖｅｄシンボルに対し、端末は以下の優先順位で判断する。
−Ｓｅｍｉ−ｓｔａｔｉｃ  ＳＦＩ＞Ｄｙｎａｍｉｃ  ＳＦＩ  ｆｒｏｍ  ＧＣ−ＰＤＣＣＨ＝Ｄｙｎａｍｉｃ  ＳＦＩ  ｆｒｏｍ  ＵＥ−ｓｐｅｃｉｆｉｃ  ＰＤＣＣＨ
【０２１５】
そして、ＤＬ／ＵＬ／Ｕｎｋｎｏｗｎシンボルに対し、端末は以下の優先順位で判断する。
−Ｄｙｎａｍｉｃ  ＳＦＩ  ｆｒｏｍ  ＧＣ−ＰＤＣＣＨ＞Ｄｙｎａｍｉｃ  ＳＦＩ  ｆｒｏｍ  ＵＥ−ｓｐｅｃｉｆｉｃ  ＰＤＣＣＨ＞Ｓｅｍｉ−ｓｔａｔｉｃ  ＳＦＩ
【０２１６】
より詳しくは、表９を参照すると、端末はスロット構成情報と以下のシンボル判断規則によってスロット内のシンボルに対してフォーマット／構成を判断及び定義する。
−半−静的ＳＦＩで構成したＲｅｓｅｒｖｅｄシンボルは常にＲｅｓｅｒｖｅｄシンボルである。
−半−静的ＳＦＩで構成したＲｅｓｅｒｖｅｄシンボルを除いた全てのシンボルは、ＳＦＩ＿ＧＣ−ＰＤＣＣＨとＳＦＩ＿ＵＳ−ＰＤＣＣＨのシンボルに変更される。
・半−静的ＳＦＩで構成したＲｅｓｅｒｖｅｄシンボルを除いた全てのシンボルに対し、ＳＦＩ＿ＧＣ−ＰＤＣＣＨとＳＦＩ＿ＵＳ−ＰＤＣＣＨが互いに同じシンボル構成を指示すれば、端末はＳＦＩ＿ＧＣ−ＰＤＣＣＨとＳＦＩ＿ＵＳ−ＰＤＣＣＨのシンボル構成に従う。
・半−静的ＳＦＩで構成したＲｅｓｅｒｖｅｄシンボルを除いた全てのシンボルに対し、ＳＦＩ＿ＧＣ−ＰＤＣＣＨとＳＦＩ＿ＵＳ−ＰＤＣＣＨが異なるシンボル構成を指示すれば、端末は常にＳＦＩ＿ＧＣ−ＰＤＣＣＨを優先して該当シンボルを判断する。
【０２１７】
【表９】
2020511897.tif 000019
【０２１８】
表４乃至表９において、スロットフォーマットを知るためにスロット内の各シンボルに対してフォーマット／構成を判断する方法において、端末は静的または半−静的に構成された周期的信号／チャンネルの方向（例えば、ＤＬ、ＵＬ、或いはＳＬ（ｓｉｄｅｌｉｎｋ））を使用しない。もし、端末に静的または半−静的に構成された周期的信号／チャネルが存在すれば、端末は表４乃至表９にそれぞれ追加して以下の端末動作に適用する。
−周期的信号／チャンネルが割り当てられたシンボルの方向が端末が判定したシンボルの方向と同じであれば、端末は周期的信号／チャンネルを送受信する。−そうでなければ（つまり、シンボルの方向が異なれば）、端末は周期的信号／チャンネルを送受信しない（例えば、送受信動作をスキップ）。
【０２１９】
本発明の好ましい実施例である表４に周期的信号に対する端末動作は図１０に例示する。
【０２２０】
【表１０】
2020511897.tif 000020
【０２２１】
他の例として、端末に構成された周期的信号／チャンネルの方向を最優先して、端末はスロット構成情報を判断する。つまり、端末に静的または半−静的に割り当てられた周期的信号／チャンネルの方向を変えず、端末は常に静的または半−静的に割り当てられた周期的信号／チャンネル送受信する。
【０２２２】
表４乃至表９の基地局及び端末の動作に加えて、本発明の一実施例として端末からの前記シンボルの判断は以下のようである。静的または半−静的に割り当てられた周期的信号／チャンネルと重ならないＯＦＤＭシンボルの構成は、表４乃至表９を介して知ることができる。静的または半−静的に割り当てられた周期的信号／チャンネルと重なるＯＦＤＭシンボルの構成は、表４乃至表９の端末動作にかかわらずに常に静的または半−静的に割り当てられた周期的信号／チャンネルが指示する方向に判定する。例えば、同期信号、ＰＢＣＨ、ｐｅｒｉｏｄｉｃ  ＣＳＩ−ＲＳなどを伝送するシンボルは常にＤＬシンボルとみなす。また、ＰＲＡＣＨとｐｅｒｉｏｄｉｃ  ＳＲＳを伝送するシンボルも常にＵＬシンボルとみなす。更に、ｐｅｒｉｏｄｉｃ  ＰＵＣＣＨを伝送するシンボルも常にＵＬシンボルとみなす。
【０２２３】
端末はＵＳ−ＰＤＣＣＨまたはＧＣ−ＰＤＣＣＨを受信するためのＣＯＲＥＳＥＴを周期的にモニタリングまたは受信するように構成される。この際、ＣＯＲＥＳＥＴが伝送されるシンボルの構成がＤＬと判断されれば、端末はＣＯＲＥＳＥＴをモニタリングするまたは受信するように設定される。更に、ＣＯＲＥＳＥＴが伝送されるシンボルの構成が半−静的ＳＦＩでＵｎｋｎｏｗｎと判断されても、端末はＣＯＲＥＳＥＴをモニタリングまたは受信するように設定される。
【０２２４】
次に、端末が特定周期ごとにＧＣ−ＰＤＣＣＨをモニタリングする際、モニタリングするシンボルがＵＬシンボルまたはＳＦＩ＿ＧＣ−ＰＤＣＣＨでＵｎｋｎｏｗｎであれば、スロット構成情報を判断する方法について説明する。
【０２２５】
一例として、端末が特定周期ごとにＧＣ−ＰＤＣＣＨをモニタリングする際、モニタリングするＣＯＲＥＳＥＴに当たるシンボルがＵＬシンボルであれば（例えば、半−静的ＳＦＩでＵＬと知らせたか、以前伝送されたＳＦＩ＿ＧＣ−ＰＤＣＣＨでＵＬと知らせたか、以前伝送されたＳＦＩ＿ＵＳ−ＰＤＣＣＨでＵＬと知らせた際）、端末はＳＦＩ＿ＧＣ−ＰＤＣＣＨの受信を期待せずに動作する。つまり、端末は表４乃至表９による端末動作において、ＳＦＩ＿ＧＣ−ＰＤＣＣＨを「Ｎｏｔｈｉｎｇ」と改定してスロット構成を判定する。
【０２２６】
他の例として、端末が特定周期ごとにＧＣ−ＰＤＣＣＨをモニタリングする際、モニタリングするＣＯＲＥＳＥＴに当たるシンボルがＵＬシンボルであれば（例えば、半−静的ＳＦＩでＵＬと知らせたか、以前伝送されたＳＦＩ＿ＧＣ−ＰＤＣＣＨでＵＬと知らせたか、以前伝送されたＳＦＩ＿ＵＳ−ＰＤＣＣＨでＵＬと知らせた際）、端末はＧＣ−ＰＤＣＣＨが隣接スロットで伝送されると仮定し、前記隣接スロットでＧＣ−ＰＤＣＣＨをモニタリングしてＳＦＩ＿ＧＣ−ＰＤＣＣＨを受信する。好ましくは、前記隣接スロットは構成された共通−探索空間のち未来の最も近い共通−探索空間である。好ましくは、前記隣接スロットはＲＲＣ信号またはＬ１信号で指示される。図２７（ａ）を参照すると、端末が４スロットごとにＳＦＩ＿ＧＣ−ＰＤＣＣＨをモニタリングするように構成される。この際、スロットｎ＋５でＳＦＩ＿ＧＣ−ＰＤＣＣＨをモニタリングするＣＯＲＥＳＥＴがＵＬシンボルであれば、端末はスロットｎ＋４の代わりにスロットｎ＋４（例えば、ｎ＋５）でＳＦＩ＿ＧＣ−ＰＤＣＣＨをモニタリングする。ここで、スロットｎ＋４＋ｋは、ＤＬシンボルを含むスロットのうちスロットｎ＋４と最も近いスロットを示す。図２７（ｂ）を参照すると、端末が４スロットごとにＳＦＩ＿ＧＣ−ＰＤＣＣＨをモニタリングするように構成される。この際、スロットｎ＋４でＳＦＩ＿ＧＣ−ＰＤＣＣＨをモニタリングするＣＯＲＥＳＥＴがＵＬシンボルであれば、端末はスロットｎ＋４の代わりにスロットｎ＋４＋ｋ（例えば、ｎ＋３）でＳＦＩ＿ＧＣ−ＰＤＣＣＨをモニタリングする。ここで、スロットｎ＋４−ｋは、ＤＬシンボルを含むスロットのうちスロットｎ＋４と最も近いスロットを示す。
【０２２７】
もし、モニタリングするスロットが変更されれば、端末は異なる長さのＳＦＩ＿ＧＣ−ＰＤＣＣＨを期待する。より詳しくは、端末はＳＦＩ＿ＧＣ−ＰＤＣＣＨのスロット構成情報が適用するスロットの数はモニタリング周期と同じであると仮定する。図２７を参照すると、端末が４スロットごとにＳＦＩ＿ＧＣ−ＰＤＣＣＨをモニタリングするように構成されれば、ＳＦＩ＿ＧＣ−ＰＤＣＣＨは４スロットのスロット構成情報を有する。もし、モニタリングするスロットが変更され、端末が変更されたスロットでＳＦＩ＿ＧＣ−ＰＤＣＣＨを受信すれば、端末は変更されたスロットから次にモニタリングするスロットまでのスロット数に当たるスロット構成情報がＳＦＩ＿ＧＣ−ＰＤＣＣＨに伝送されると仮定してＧＣ  ＰＤＣＣＨをモニタリングする。図２７（ａ）を参照すると、モニタリングするスロットがスロットｎ＋４からスロットｎ＋５に変更されたため、端末はスロットｎ＋５ではスロットｎ＋５、スロットｎ＋６、スロットｎ＋７、つまり、３つのスロットに対するスロット構成情報がＧＣ−ＰＤＣＣＨを介して伝達されると仮定する。図２７（ｂ）を参照すると、モニタリングするスロットがスロットｎ＋４からスロットｎ＋３に変更されたため、端末はスロットｎ＋３ではスロットｎ＋４、スロットｎ＋５、スロットｎ＋６、スロットｎ＋７、つまり、４つのスロットに対するスロット構成情報がＧＣ−ＰＤＣＣＨを介して伝達されると仮定する。ここで、スロットｎ＋３に対するスロット情報はスロットｎからＳＦＩ＿ＧＣ−ＰＤＣＣＨを介して受信されると期待されるため、スロットｎ＋３に伝送されるＳＦＩ＿ＵＳ−ＰＤＣＣＨにはスロットｎ＋３に対するスロット情報が含まれない。
【０２２８】
端末は、ＳＦＩ＿ＵＳ−ＰＤＣＣＨを周期的にモニタリングするように構成される。端末は、モニタリング周期ごとに常にＳＦＩ＿ＧＣ−ＰＤＣＣＨがＧＣ−ＰＤＣＣＨを介して伝送されると期待する。端末がモニタリング周期ごとにＧＣ−ＰＤＣＣＨをモニタリングする場合、端末がＧＣ  ＰＤＣＣＨの受信に失敗したら、端末は前記ＳＦＩ＿ＧＣ−ＰＤＣＣＨが指示するスロットのスロット内の全てのシンボルを「Ｕｎｋｎｏｗｎ」と仮定する。よって、端末はＳＦＩ＿ＧＣ−ＰＤＣＣＨが「Ｕｎｋｎｏｗｎ」を指示する際の端末動作に従う。例えば、図２７（ａ）を参照すると、スロットｎでＧＣ  ＰＤＣＣＨの受信に失敗したら、端末はスロットｎ〜スロットｎ＋３内の全てのシンボルを「Ｕｎｋｎｏｗｎ」シンボルと仮定する。
【０２２９】
端末は、ＳＦＩ＿ＵＳ−ＰＤＣＣＨを周期的にモニタリングするように構成される。この際、端末はモニタリング周期ごとに常にＧＣ−ＰＤＣＣＨが伝送されると期待するか、そうしないかに対する情報をＲＲＣシグナリングを介して指示される。好ましくは、ＲＲＣシグナリングにおいて、前記情報は１ビットで指示される。端末はモニタリング周期ごとにＧＣ−ＰＤＣＣＨが伝送されると期待するように構成されれば、端末はモニタリング周期ごとにＧＣ  ＰＤＣＣＨをモニタリングし、ＧＣ−ＰＤＣＣＨの受信に失敗したら、ＳＦＩ＿ＧＣ−ＰＤＣＣＨが指示するスロットのスロット内の全てのシンボルを「Ｕｎｋｎｏｗｎ」シンボルと仮定する。よって、端末はＳＦＩ＿ＧＣ−ＰＤＣＣＨが「Ｕｎｋｎｏｗｎ」を指示する際の端末動作に従う（図１０参照）。
【０２３０】
一方、端末はモニタリング周期ごとにＧＣ−ＰＤＣＣＨが常に伝送できないと構成されれば、端末はモニタリング周期ごとにＧＣ  ＰＤＣＣＨをモニタリングするが、ＧＣ−ＰＤＣＣＨの受信に失敗したら、ＳＦＩ＿ＧＣ−ＰＤＣＣＨが指示するスロットのスロット内の全てのシンボルを「Ｎｏｔｈｉｎｇ」と判断する。それによって、該当スロット内のシンボルは半−静的割当（半−静的ＳＦＩ）、周期的に構成される信号のシンボル方向、ＳＦＩ＿ＵＳ−ＰＤＣＣＨ或いはＵＳ−ＰＤＣＣＨで指示したシンボル方向（例えば、ＤＬ、ＵＬ、Ｕｎｋｎｏｗｎ、ｒｅｓｅｒｖｅｄ、またはｇｕａｒｄ  ｐｅｒｉｏｄ）に従う。
【０２３１】
ＮＲではＵＬグラントなしに上りリンクの伝送を支援する。この際、基地局は端末にＵＬグラントなしに上りリンクの伝送を行い得る資源をＲＲＣに知らせるか、Ｌ１信号（例えば、ＵＳ−ＰＤＣＣＨ）に知らせる。ＲＲＣに資源を知らせることをｔｙｐｅ−１と称し、Ｌ１信号に知らせることをｔｙｐｅ−２と称する。端末は、ｔｙｐｅ−１伝送とｔｙｐｅ−２伝送で知らせる上りリンク伝送資源に対して以下のように仮定する。端末は、２つのタイプにかかわらずに知らせてくれた上りリンク資源に当たるシンボルを常にＵＬシンボルと仮定する。つまり、前記ＵＬシンボルは他のスロット構成情報、例えば、ＳＦＩ＿ＵＳ−ＰＤＣＣＨから伝送される情報などによって変わらない。よって、前記ＵＬシンボルを半−静的ＵＬ／ＤＬ割当（半−静的ＳＦＩ）でＵＬシンボルと知らせてくれることと同じくみなす。他の方法として、端末はｔｙｐｅ−１で知らせてくれた上りリンク資源に当たるシンボルは常にULシンボルと仮定する。一方、ｔｙｐｅ−２で知らせてくれた上りリンク資源に当たるシンボルが半−静的ＤＬ／ＵＬ割当でＵｎｋｎｏｗｎと知らせてくれた資源に位置していれば、前記上りリンク資源はＲＲＣによって周期的信号が伝送されるように設定されたシンボルと同じく、ＳＦＩ＿ＧＣ−ＰＤＣＣＨ、ＳＦＩ＿ＵＳ−ＰＤＣＣＨによって下りリンクまたはＵｎｋｎｏｗｎシンボルに変わる。つまり、端末は、ｔｙｐｅ−１伝送で知らせてくれたシンボルは半−静的ＳＦＩで知らせてくれたＵＬシンボルとみなして端末動作を行い、ｔｙｐｅ−２伝送で知らせてくれたシンボルは周期的信号が送受信されるように設定されたシンボルとみなして端末動作を行う（表１０を参照）。
【０２３２】
ＲＲＣ  ｃｏｎｎｅｃｔｅｄモードではない端末（つまり、初期セル接続を試みる端末、またはＲＲＣ  ｒｅｃｏｎｎｅｃｔｉｏｎを試みる端末）は、スロット構成を以下のように仮定する。まず、同期信号、ＰＢＣＨの受信に失敗したら、端末はセルの全てのシンボルがＤＬシンボルであると仮定する。端末がＰＢＣＨを受信しＲＭＳＩ（ｒｅｍａｉｎｉｎｇ  ｍｉｎｉｍｕｍ  ｓｙｓｔｅｍ  ｉｎｆｏｒｍａｔｉｏｎ）をスケジューリングするためのＰＤＣＣＨをモニタリングするためのＣＯＲＥＳＥＴを割り当てられれば、端末はＣＯＲＥＳＥＴで割り当てられたシンボルは下りリンクと仮定し、前記情報がない残りのシンボルはＵｎｋｎｏｗｎシンボルと仮定する。端末がＣＯＲＥＳＥＴをモニタリングしてＲＭＳＩをスケジューリングするＰＤＣＣＨを受信すれば、ＰＤＣＣＨで指示したシンボルは常にＤＬシンボルと判定する。ＲＭＳＩを介してシステム情報を受信するか、後に他のシステム情報からランダム接続のためのＰＲＡＣＨ資源を構成されれば、端末はＰＲＡＣＨ資源はＵＬシンボルであると仮定する。端末は、半−静的ＤＬ／ＵＬ割当または半−静的ＳＦＩ情報を受信する前まで前記判定を維持する。ＲＲＣ  ｒｅｃｏｎｎｅｃｔｉｏｎを試みる端末は、既に端末に構成されている半−静的ＤＬ／ＵＬ割当または半−静的ＳＦＩ情報を有する可能性がある。よって、ＲＲＣ  ｒｅｃｏｎｎｅｃｔｉｏｎを試みる端末は、有する半−静的ＤＬ／ＵＬ割当または半−静的ＳＦＩ情報が有効であると仮定する。ＲＲＣ  ｒｅｃｏｎｎｅｃｔｉｏｎを試みる端末は、既に端末−特定に構成されている半−静的ＤＬ／ＵＬ割当情報または半−静的ＳＦＩ情報があっても、常にセル−特定の新しい半−静的ＤＬ／ＵＬ割当または半−静的ＳＦＩ情報を優先する。
【０２３３】
図２８は、本発明の一実施例による端末と基地局の構成をそれぞれ示すブロック図である。
【０２３４】
図示したように、本発明の実施例による端末１００は、プロセッサ１１０、通信部１２０、メモリ１３０、ユーザインタフェース部１４０、及びディスプレイユニット１５０を含む。
【０２３５】
まず、プロセッサ１１０は多様な命令またはプログラムを行い、端末１００内部のデータをプロセッシングする。また、プロセッサ１００は端末１００の各ユニットを含む全体の動作を制御し、ユニット間のデータの送受信を制御する。ここで、プロセッサ１１０は、本発明で説明した実施例による動作を行うように構成される。例えば、プロセッサ１１０はスロット構成情報を受信し、それに基づいてスロットの構成を判断して、判断されたスロット構成に応じて通信を行う。
【０２３６】
次に、通信モジュール１２０は無線通信網を利用した無線通信、及び無線ＬＡＮを利用した無線ＬＡＮ接続を行う統合モジュールである。そのために、通信モジュール１２０はセルラー通信インターフェースカード１２１、１２２、及び無線ＬＡＮインターフェースカード１２３のような複数のネットワークインターフェースカード（Ｎｅｔｗｏｒｋ  Ｉｎｔｅｒｆａｃｅ  Ｃａｒｄ）を内装または外装の形で備える。図面において、通信モジュール１２０は一体型統合モジュールと示されているが、それぞれのネットワークインターフェースカードは図面とは異なって回路構成または用途に応じて独立に配置されてもよい。
【０２３７】
セルラー通信インターフェースカード１２１は、移動通信網を利用して基地局２００、外部ディバイス、サーバのうち少なくとも一つと無線信号を送受信し、プロセッサ１１０の命令に基づいて第１周波数バンドによるセルラー通信サービスを提供する。ここで、無線信号は音声呼信号、ビデオ電話呼信号、テキスト／マルチメディアメッセージなど、多様な形のデータまたは情報を含む。セルラー通信インターフェースカード１２１は、ＬＴＥ−Ｌｉｃｅｎｓｅｄ周波数バンドを利用して少なくとも一つのＮＩＣモジュールを含む。少なくとも一つのＮＩＣモジュールは、該当ＮＩＣモジュールが支援する周波数バンドのセルラー通信規格またはプロトコールによって、独立に基地局２００、外部ディバイス、サーバのうち少なくとも一つとセルラー通信を行う。
【０２３８】
セルラー通信インターフェースカード１２２は、移動通信網を利用して基地局２００、外部ディバイス、サーバのうち少なくとも一つと無線信号を送受信し、プロセッサ１１０の命令に基づいて第2周波数バンドによるセルラー通信サービスを提供する。セルラー通信インターフェースカード１２２は、ＬＴＥ−Ｕｎｌｉｃｅｎｓｅｄ周波数バンドを利用する少なくとも一つのＮＩＣモジュールを含む。例えば、ＬＴＥ−Ｕｎｌｉｃｅｎｓｅｄ周波数バンドは２．４ＧＨｚまたは５ＧＨｚのバンドである。
【０２３９】
無線ＬＡＮインターフェースカード１２３は、無線ＬＡＮ接続を利用して基地局２００、外部ディバイス、サーバのうち少なくとも一つと無線信号を送受信し、プロセッサ１１０の命令に基づいて第２周波数バンドによるセ無線ＬＡＮサービスを提供する。無線ＬＡＮインターフェースカード１２３は、無線ＬＡＮ周波数バンドを利用する少なくとも一つのＮＩＣモジュールを含む。例えば、無線ＬＡＮ周波数バンドは２．４ＧＨｚまたは５ＧＨｚバンドのようなＵｎｌｉｃｅｎｓｅｄ  ｒａｄｉｏバンドであってもよい。少なくとも一つのＮＩＣモジュールは、該当ＮＩＣモジュールが支援する周波数バンドの無線ＬＡＮ規格またはプロトコールによって、独立に基地局２００、外部ディバイス、サーバのうち少なくとも一つと無線通信を行う。
【０２４０】
次に、メモリ１３０は、端末１００で使用される制御プログラム及びそれによる各種データを貯蔵する。このような制御プログラムには、端末１００が基地局２００、外部ディバイス、サーバのうち少なくとも一つと無線通信を行うのに必要な所定のプログラムが含まれる。
【０２４１】
次に、ユーザインタフェース１４０は、端末１００に備えられた多様な形態の入出力手段を含む。つまり、ユーザインタフェース１４０は多様な入力手段を利用してユーザの入力を受信し、プロセッサ１１０は受信されたユーザ入力に基づいて端末１００を制御する。また、ユーザインタフェース１４０は、多様な出力手段を利用してプロセッサ１１０の命令に基づいた出力を行う。
【０２４２】
次に、ディスプレイユニット１５０は、ディスプレイ画面にイメージを出力する。前記ディスプレイユニット１５０は、プロセッサ１１０によって行われるコンテンツ、またはプロセッサン１１０の制御命令に基づいたユーザインタフェースなどの多様なディスプレイオブジェクトを出力する。
【０２４３】
また、本発明の実施例による基地局２００は、プロセッサ２１０、通信モジュール２２０、及びメモリ２３０を含む。
【０２４４】
まず、プロセッサ２１０は多様な命令またはプログラムを行い、基地局２００内部のデータをプロセッシングする。また、プロセッサ１００は基地局２００の各ユニットを含む全体の動作を制御し、ユニット間のデータの送受信を制御する。ここで、プロセッサ２１０は、本発明で説明した実施例による動作を行うように構成される。例えば、プロセッサ２１０はスロット構成情報をシグナリングし、シグナリングしたスロット構成に応じて通信を行う。
【０２４５】
次に、通信モジュール２２０は無線通信網を利用した無線通信、及び無線ＬＡＮを利用した無線ＬＡＮ接続を行う統合モジュールである。そのために、通信モジュール１２０はセルラー通信インターフェースカード２２１、２２２、及び無線ＬＡＮインターフェースカード２２３のような複数のネットワークインターフェースカードを内装または外装の形で備える。図面において、通信モジュール２２０は一体型統合モジュールと示されているが、それぞれのネットワークインターフェースカードは図面とは異なって回路構成または用途に応じて独立に配置されてもよい。
【０２４６】
セルラー通信インターフェースカード２２１は、移動通信網を利用して端末１００、外部ディバイス、サーバのうち少なくとも一つと無線信号を送受信し、プロセッサ２１０の命令に基づいて第１周波数バンドによるセルラー通信サービスを提供する。ここで、無線信号は音声呼信号、ビデオ電話呼信号、テキスト／マルチメディアメッセージなど、多様な形のデータまたは情報を含む。セルラー通信インターフェースカード２２１は、ＬＴＥ−Ｌｉｃｅｎｓｅｄ周波数バンドを利用して少なくとも一つのＮＩＣモジュールを含む。少なくとも一つのＮＩＣモジュールは、該当ＮＩＣモジュールが支援する周波数バンドのセルラー通信規格またはプロトコールによって、独立に端末１００、外部ディバイス、サーバのうち少なくとも一つとセルラー通信を行う。
【０２４７】
セルラー通信インターフェースカード２２２は、移動通信網を利用して端末１００、外部ディバイス、サーバのうち少なくとも一つと無線信号を送受信し、プロセッサ２１０の命令に基づいて第２周波数バンドによるセルラー通信サービスを提供する。セルラー通信インターフェースカード２２２は、ＬＴＥ−Ｕｎｌｉｃｅｎｓｅｄ周波数バンドを利用する少なくとも一つのＮＩＣモジュールを含む。例えば、ＬＴＥ−Ｕｎｌｉｃｅｎｓｅｄ周波数バンドは２．４ＧＨｚまたは５ＧＨｚのバンドである。本発明の実施例によると、少なくとも一つのＮＩＣモジュールは、該当ＮＩＣモジュールが支援する周波数バンドのセルラー通信規格またはプロトコールによって、独立に端末１００、外部ディバイス、サーバのうち少なくとも一つとセルラー通信を行う。
【０２４８】
無線ＬＡＮインターフェースカード２２３は、無線ＬＡＮ接続を利用して端末１００、外部ディバイス、サーバのうち少なくとも一つと無線信号を送受信し、プロセッサ２１０の命令に基づいて第2周波数バンドによるセ無線ＬＡＮサービスを提供する。無線ＬＡＮインターフェースカード２２３は、無線ＬＡＮ周波数バンドを利用する少なくとも一つのＮＩＣモジュールを含む。例えば、無線ＬＡＮ周波数バンドは２．４ＧＨｚまたは５ＧＨｚバンドのようなＵｎｌｉｃｅｎｓｅｄ  ｒａｄｉｏバンドであってもよい。少なくとも一つのＮＩＣモジュールは、該当ＮＩＣモジュールが支援する周波数バンドの無線ＬＡＮ規格またはプロトコールによって、独立に端末１００、外部ディバイス、サーバのうち少なくとも一つと無線通信を行う。
【０２４９】
図２８に示した端末１００及び基地局２００は本発明の一実施例によるブロック図であって、分離して示したブロックはディバイスのエレメントを論理的に区別して示したものである。よって、上述したディバイスのエレメントは、ディバイスの設計に応じて一つのチップまたは複数のチップに取り付けられる。また、端末１００の一部の構成、例えば、ユーザインタフェース部１４０及びディスプレイユニット１５０などは端末１００に選択的に備えられる。また、ユーザインタフェース１４０及びディスプレイユニット１５０などは、基地局２００に必要によって追加に備えられる。
【０２５０】
本発明の方法及びシステムを特定実施例に関連して説明したが、本発明の構成要素、動作の一部または全部は、汎用ハードウェアアーキテクチャを有するコンピュータシステムを使用して具現されてもよい。
【０２５１】
上述した本発明の説明は例示のためのものであって、本発明が属する技術分野における通常の知識を有する者は、本発明の技術的思想や必須的特徴を変更せずとも他の具体的な形態に容易に変更可能であることを理解できるはずである。よって、上述した実施例は全ての面で例示的なものであり、限定的なものであると理解すべきである。例えば、単一型として説明されている各構成要素は分散されて実施されてもよく、同じく分散されていると説明されている構成要素も結合された形態で実施されてもよい。
【０２５２】
本発明の範囲は、上述した詳細な説明よりは後述する特許請求の範囲によって示され、特許請求の範囲の意味及び範囲、そしてその均等概念から導き出される全ての変更または変形された形態が本発明の範囲に含まれると解釈すべきである。
【産業上の利用可能性】
【０２５３】
本発明は、無線システムとそのための通信装置（例えば、端末、基地局）に適用される。
【符号の説明】
【０２５４】
１００  端末
１１０  プロセッサ
１２０  通信モジュール
１２１、１２２  セルラー通信インターフェースカード
１２３  無線ＬＡＮインターフェースカード
１３０  メモリ
１４０  ユーザインタフェース部
１５０  ディスプレイユニット
２００  基地局
２１０  プロセッサ
２２０  通信モジュール
２２１、２２２  セルラー通信インターフェースカード
２２３  無線ＬＡＮインターフェースカード
２３０  メモリ
【図１】
2020511897.tif 000021
【図２】
2020511897.tif 000022
【図３】
2020511897.tif 000023
【図４（ａ）】
2020511897.tif 000024
【図４（ｂ）】
2020511897.tif 000025
【図５】
2020511897.tif 000026
【図６】
2020511897.tif 000027
【図７】
2020511897.tif 000028
【図８】
2020511897.tif 000029
【図９】
2020511897.tif 000030
【図１０】
2020511897.tif 000031
【図１１】
2020511897.tif 000032
【図１２】
2020511897.tif 000033
【図１３】
2020511897.tif 000034
【図１４】
2020511897.tif 000035
【図１５】
2020511897.tif 000036
【図１６】
2020511897.tif 000037
【図１７】
2020511897.tif 000038
【図１８】
2020511897.tif 000039
【図１９】
2020511897.tif 000040
【図２０】
2020511897.tif 000041
【図２１】
2020511897.tif 000042
【図２２】
2020511897.tif 000043
【図２３】
2020511897.tif 000044
【図２４】
2020511897.tif 000045
【図２５】
2020511897.tif 000046
【図２６（ａ）】
2020511897.tif 000047
【図２６（ｂ）】
2020511897.tif 000048
【図２７（ａ）】
2020511897.tif 000049
【図２７（ｂ）】
2020511897.tif 000050
【図２８】
2020511897.tif 000051
【国際調査報告】
2020511897.tif 000052
2020511897.tif 000053
2020511897.tif 000054
2020511897.tif 000055
2020511897.tif 000056
2020511897.tif 000057